(57)【要約】【課題】ディスク装置に備えられるピックアップ装置のハウジングをクラックが発生され難いものとさせる。【解決手段】メディアのデータを読み取るための部品が装備されるハウジング１０１を備えたピックアップ装置１に関する。ハウジング１０１を移動可能に支える軸部材３１０に対応して、ハウジング１０１に軸受部１１，１２が設けられ、軸部材３１０が軸受部１１，１２に装備された状態でハウジング１０１に衝撃が加えられたときに、ハウジング１０１の割れを防ぐクラック発生防止部１６，１７が、軸受部１１，１２に設けられた。クラック発生防止部１６，１７は、軸受部１１，１２の内部１１ｎ，１２ｎに向けてすぼめられつつ穿設された略円錐状の切欠き部１６ｃ，１７ｃを備える。これにより、ハウジング１０１の軸受部１１，１２からクラックが生じるという不具合の発生は回避され易くなる。【選択図】図２
2010231886.tif 000002
【特許請求の範囲】
【請求項１】
メディアのデータを読み取るための部品が装備されるハウジングを備え、
該ハウジングを移動可能に支える軸部材に対応して、該ハウジングに軸受部が設けられ、
該軸部材が該軸受部に装備された状態で該ハウジングに衝撃が加えられたときに、該ハウジングの割れを防ぐクラック発生防止部が、該軸受部に設けられたことを特徴とするピックアップ装置。
【請求項２】
前記クラック発生防止部は、前記軸受部の内部に向けて深く穿設された切欠き部を備えることを特徴とする請求項１に記載のピックアップ装置。
【請求項３】
前記クラック発生防止部は、前記軸受部の内部に向けてすぼめられつつ穿設された略円錐状の切欠き部を備えることを特徴とする請求項１又は２に記載のピックアップ装置。
【請求項４】
前記クラック発生防止部は、前記軸受部の内部に向けてすぼめられつつ穿設された略円錐状の切欠き部を備え、
該軸受部は、該切欠き部と、該切欠き部に続き前記軸部材に接する略円筒状の軸摺接部とを有し、
該軸摺接部の内面に対し、該切欠き部の傾斜面は鈍角に設定されて、該傾斜面は、該軸受部の開口部に向けて広げられたことを特徴とする請求項１〜３の何れか１項に記載のピックアップ装置。
【請求項５】
前記クラック発生防止部は、前記軸受部の内部に向けて穿設された略座ぐり穴状の切欠き部を備えることを特徴とする請求項１〜４の何れか１項に記載のピックアップ装置。
【請求項６】
前記クラック発生防止部は、前記軸受部の開口部から該軸受部の内部に向けて深く穿設された切欠き部を備え、
該軸受部に前記軸部材が挿入されたときに、該軸受部と該軸部材との間に隙間が形成され、該切欠き部の深さ寸法は、該軸受部と該軸部材との間の隙間寸法よりも大きく設定されたことを特徴とする請求項１〜５の何れか１項に記載のピックアップ装置。
【請求項７】
前記軸部材を備える前記ハウジングに衝撃が加えられたときに、該軸部材が前記軸受部に当たることで該軸受部が受ける衝撃力をやわらげる応力緩和部が、前記クラック発生防止部に設けられたことを特徴とする請求項１〜６の何れか１項に記載のピックアップ装置。
【請求項８】
前記クラック発生防止部は、略丸孔状の前記軸受部の内部に向けてすぼめられて形成された略円錐状の切欠き部を備え、
略丸棒状の前記軸部材を備える前記ハウジングに衝撃が加えられたときに、該軸部材が該軸受部に当たることで該軸受部が受ける衝撃力をやわらげる応力緩和部が、略円錐状の該切欠き部と、該切欠き部に続き該軸部材に接する略円筒状の軸摺接部との間に設けられたことを特徴とする請求項１〜７の何れか１項に記載のピックアップ装置。
【請求項９】
前記クラック発生防止部は、前記軸受部の内部に向けて形成された略座ぐり穴状の切欠き部を備え、
略座ぐり穴状の該切欠き部は、略円筒状の側面部と、該側面部に略直交する略円環状の底面部とを有し、
前記軸部材を備える前記ハウジングに衝撃が加えられたときに、該軸部材が該軸受部に当たることで該軸受部が受ける衝撃力をやわらげる応力緩和部が、略座ぐり穴状の該切欠
き部の該底面部と、該底面部に略直交すると共に該切欠き部に続き該軸部材に接する略円筒状の軸摺接部との間に設けられたことを特徴とする請求項１〜７の何れか１項に記載のピックアップ装置。
【請求項１０】
前記応力緩和部は、曲面部として形成されたことを特徴とする請求項７〜９の何れか１項に記載のピックアップ装置。
【請求項１１】
前記ハウジングに一対の前記軸受部が設けられ、隣り合う一対の該軸受部の両外側部に、前記クラック発生防止部が形成されたことを特徴とする請求項１〜１０の何れか１項に記載のピックアップ装置。
【請求項１２】
前記ハウジングに一対の前記軸受部が設けられ、隣り合う一対の該軸受部の両対向部に、前記クラック発生防止部が形成されたことを特徴とする請求項１〜１１の何れか１項に記載のピックアップ装置。
【請求項１３】
前記軸部材は、略丸棒状に形成され、
前記軸受部は、略丸孔状に形成されて略丸状の開口部を有し、
前記クラック発生防止部は、該軸受部の該開口部から該軸受部の内部に向けて形成された切欠き部を有し、
該軸受部の該開口部は、該切欠き部の開口部を兼ねて形成され、
該軸部材が該軸受部に装備されたときに、該軸部材の表面部は、該開口部に非接触とされたことを特徴とする請求項１〜１２の何れか１項に記載のピックアップ装置。
【請求項１４】
前記ハウジングは、樹脂材料が用いられて形成されたことを特徴とする請求項１〜１３の何れか１項に記載のピックアップ装置。
【請求項１５】
請求項１〜１４の何れか１項に記載のピックアップ装置を備えることを特徴とするディスク装置。
【発明の詳細な説明】
【技術分野】
【０００１】
本発明は、ディスク等のメディアに記録されたデータを再生させることや、ディスク等のメディアにデータを記録させることが可能なピックアップ装置およびそれを備えるディスク装置に関するものである。
【背景技術】
【０００２】
図１０〜図１４は、従来のピックアップ装置の一形態を示すものである。
【０００３】
光ピックアップ装置５０１（図１０，図１１）が用いられて、メディア（図示せず）における情報などのデータの再生または記録が行われる。メディアとして、例えば、ＣＤ（Compact Disc）や、ＤＶＤ（Digital Versatile Disc）等の光ディスクが挙げられる（何れも図示せず）。
【０００４】
この光ピックアップ装置５０１は、不図示の光ディスクを回転させるモータ（図示せず）などを備えた光ディスク装置（図示せず）に装備される。
【０００５】
光ピックアップ装置５０１を構成するハウジング６０１に対物レンズ６１０（図１０）が備えられている。ハウジングとは、例えば、装置、部品などの物が収容される箱形のものや、箱に類似したものを意味する。光ピックアップ装置５０１のハウジング６０１は、第一シャフト８１０と、第二シャフト８２０とによって移動可能に支持されている。各シャフト８１０，８２０は、シャーシ（図示せず）に取り付けられる。シャーシとは、例えば、部品が取り付けられる台を意味する。
【０００６】
光ピックアップ装置５０１のハウジング６０１に設けられた軸受部５１１，５１２に、第一シャフト８１０が移動可能に挿通されている。また、光ピックアップ装置５０１のハウジング６０１に設けられた軸受部５９３に、第二シャフト８２０が移動可能に装備されている。このようにして、光ピックアップ装置５０１のハウジング６０１は、各シャフト８１０，８２０にガイドされつつ移動可能に支えられる。
【０００７】
光ピックアップ装置５０１のハウジング６０１は、シャフト８１０，８２０が延設された方向に沿って移動する。これにより、光ピックアップ装置５０１のハウジング６０１は、不図示の光ディスクの径方向に沿って移動する。シャフト８１０，８２０は、例えば光ピックアップ装置５０１のハウジング６０１をガイドしつつ支えるガイドシャフト８１０，８２０として形成されている。
【０００８】
不図示のシャーシに、光ピックアップ装置５０１のハウジング６０１を移動可能とさせる送りモータ（図示せず）が取り付けられる。また、不図示の送りモータから送り用ねじ（図示せず）が延設される。不図示の送り用ねじは、各シャフト８１０，８２０に対して略平行に設置される。第一シャフト８１０の近傍に、不図示の送り用ねじが並設される。送り用ねじには、ハウジング６０１を移動可能とさせる略螺旋状の送り溝（図示せず）が設けられている。送り用ねじは、シャーシに取り付けられた支持部材（図示せず）に装備される。また、光ピックアップ装置５０１のハウジング６０１に、送り用ねじと接する伝達部材（図示せず）が装着される。不図示の伝達部材には、不図示の送り用ねじの送り溝に合わせられる係り合わせ部（図示せず）が設けられている。
【０００９】
送りモータを回動させることにより、送り用ねじが回動する。そのときに、送り用ねじの送り溝に合わせられたハウジング６０１側の伝達部材の係り合わせ部が押動されること
で、光ピックアップ装置５０１のハウジング６０１は、長尺状のシャフト８１０，８２０が延設された方向に沿って移動する。光ディスク（図示せず）に対し、光ピックアップ装置５０１の対物レンズ６１０を備えるハウジング６０１が移動されて、光ディスクのデータ記録／再生が行われる。
【００１０】
また、光ディスクのデータ記録／再生が行われるときに、光ピックアップ装置５０１のハウジング６０１内の発光素子（図示せず）から出射されたレーザ光が、光ピックアップ装置５０１の対物レンズ６１０を透過し、光ピックアップ装置５０１の外側に向けて出射される。対物レンズ６１０によって絞られたレーザ光は、光ディスクの信号層（図示せず）に焦点が合わせられる。
【００１１】
前記送り用ねじを用いて、光ピックアップ装置５０１のハウジング６０１を移動させる駆動方式のほかに、他の駆動方式の光ピックアップ装置（図示せず）も挙げられるが、ここでは、その詳細な説明を省略する。
【００１２】
また、従来の光ピックアップ装置に関するものとして、例えば、光学式記録再生装置に使用される小型で振動の少ないレンズ駆動装置および当該装置を用いた光ピックアップというものがある（例えば、特許文献１参照。）。
【先行技術文献】
【特許文献】
【００１３】
【特許文献１】特開２００１−３４４７７７号公報（第１，３頁、第１−７図）
【発明の概要】
【発明が解決しようとする課題】
【００１４】
近年、光ディスク装置に光ピックアップ装置５０１を組み込む光ディスク装置の組立メーカや、光ピックアップ装置５０１を備えるコンピュータの組立メーカ等から、光ディスク装置に装備される光ピックアップ装置５０１の軽量化や小型化を要求されている。このため、各種光学系部品６１０などが装備される金属製のハウジング６０１を、樹脂製のハウジング６０１とさせて、光ピックアップ装置５０１の軽量化を図ることが考えられた。金属製のハウジング６０１を樹脂製のハウジング６０１とさせた場合、光ピックアップ装置５０１は軽量化される。
【００１５】
しかしながら、金属製ハウジング６０１が樹脂製ハウジング６０１に変更された場合、ハウジング６０１の強度不足が問題とされた。例えば、金属製ハウジング６０１から樹脂製ハウジング６０１に変更されることで、樹脂製ハウジング６０１の強度が低下し、樹脂製ハウジング６０１に、割れが生じることが懸念される。具体的に説明すると、金属製の各シャフト８１０，８２０が樹脂製ハウジング６０１に装着された状態で光ピックアップ装置５０１が落下され、光ピックアップ装置５０１の樹脂製ハウジング６０１に衝撃が加えられたときに、ハウジング６０１の軸受部５１１，５１２にシャフト８１０が局部接触し（図１３，図１４）、これが原因で樹脂製ハウジング６０１にクラックが生じることが心配された。「クラック」とは、「割れ目」や「裂け目」を意味する。
【００１６】
また、光ピックアップ装置５０１が輸送されるときに、例えば、光ピックアップ装置５０１に多少の振動や衝撃が伝えられても、問題が生じることのない光ピックアップ装置５０１の提供を、光ディスク装置に光ピックアップ装置５０１を組み込む光ディスク装置の組立メーカや、光ピックアップ装置５０１を備えるコンピュータの組立メーカ等から要求されてきている。
【００１７】
本発明は、上記した問題点を解決することにある。本発明は、上記した点に鑑み、クラ
ックが発生され難いハウジングを備えたピックアップ装置およびそれを備えるディスク装置を提供することを目的とする。
【課題を解決するための手段】
【００１８】
上記目的を達成するために、本発明の請求項１に係るピックアップ装置は、メディアのデータを読み取るための部品が装備されるハウジングを備え、該ハウジングを移動可能に支える軸部材に対応して、該ハウジングに軸受部が設けられ、該軸部材が該軸受部に装備された状態で該ハウジングに衝撃が加えられたときに、該ハウジングの割れを防ぐクラック発生防止部が、該軸受部に設けられたことを特徴とする。
【００１９】
上記構成により、ハウジングにクラックが生じるという不具合の発生は防止され易くなる。クラックとは、割れ目や裂け目を意味する。また、ハウジングとは、例えば、装置、部品などの物が収容される箱形のものや、箱に類似したものを意味する。ハウジングの軸受部にクラック発生防止部が設けられることにより、例えば、軸部材がハウジングの軸受部に装備された状態で軸部材に衝撃が加えられ、そのときに、衝撃が軸部材を介してハウジングの軸受部に伝えられ、その結果、軸受部を起点としてハウジングが割れるということは、回避され易くなる。従って、割れ難いハウジングを備えたピックアップ装置の提供が可能となる。
【００２０】
請求項２に係るピックアップ装置は、請求項１に記載のピックアップ装置において、前記クラック発生防止部は、前記軸受部の内部に向けて深く穿設された切欠き部を備えることを特徴とする。
【００２１】
上記構成により、ハウジングの軸受部からクラックが生じることは、回避され易くなる。ハウジングの軸受部の内部に向けて、クラック発生防止用切欠き部が軸受部に深く穿設されているので、例えば、軸部材がハウジングの軸受部に装備された状態で軸部材に衝撃が加えられたときに、軸部材は、軸受部の内部の深い部分に接することとなる。従って、軸部材を介してハウジングの軸受部に衝撃が伝えられたときに、例えば、軸部材がハウジングの軸受部の開口部に局部接触し、その結果、軸受部の開口部からハウジングに割れが生じるということは、回避され易くなる。
【００２２】
請求項３に係るピックアップ装置は、請求項１又は２に記載のピックアップ装置において、前記クラック発生防止部は、前記軸受部の内部に向けてすぼめられつつ穿設された略円錐状の切欠き部を備えることを特徴とする。
【００２３】
上記構成により、ハウジングの軸受部からクラックが生じることは、回避され易くなる。ハウジングの軸受部の内部に向けてすぼめられた略円錐状のクラック発生防止用切欠き部が、ハウジングの軸受部に穿設されているので、例えば、軸部材がハウジングの軸受部に装備された状態で軸部材に衝撃が加えられたときに、軸部材がハウジングの軸受部に局部接触して、ハウジングの軸受部の一部に衝撃力が異常に集中するということは回避され易くなる。従って、ハウジングの軸受部から割れが生じるという不具合の発生は、防止され易くなる。
【００２４】
請求項４に係るピックアップ装置は、請求項１〜３の何れか１項に記載のピックアップ装置において、前記クラック発生防止部は、前記軸受部の内部に向けてすぼめられつつ穿設された略円錐状の切欠き部を備え、該軸受部は、該切欠き部と、該切欠き部に続き前記軸部材に接する略円筒状の軸摺接部とを有し、該軸摺接部の内面に対し、該切欠き部の傾斜面は鈍角に設定されて、該傾斜面は、該軸受部の開口部に向けて広げられたことを特徴とする。
【００２５】
上記構成により、ハウジングの軸受部の開口部にクラックが生じることは、回避され易くなる。鈍角とは、直角よりも大きく二直角よりも小さい角を意味する。軸受部の軸摺接部の内面に対し、略円錐状をしたクラック発生防止用切欠き部の傾斜面は鈍角に設定され、クラック発生防止用切欠き部の傾斜面は、軸受部の開口部に向けて広げられているので、軸部材がハウジングの軸受部に装備された状態で軸部材に衝撃が加えられたときに、例えば、軸部材がハウジングの軸受部の開口部に局部接触して、ハウジングの軸受部の開口部に衝撃力が異常に集中するということは回避され易くなる。従って、軸受部の開口部からハウジングに割れが生じるという不具合の発生は、防止され易くなる。
【００２６】
請求項５に係るピックアップ装置は、請求項１〜４の何れか１項に記載のピックアップ装置において、前記クラック発生防止部は、前記軸受部の内部に向けて穿設された略座ぐり穴状の切欠き部を備えることを特徴とする。
【００２７】
上記構成により、ハウジングの軸受部の開口部にクラックが生じることは、回避され易くなる。ハウジングの軸受部の内部に向けた略座ぐり穴状のクラック発生防止用切欠き部が、ハウジングの軸受部に穿設されているので、軸部材がハウジングの軸受部に装備された状態で軸部材に衝撃が加えられたときに、例えば、軸受部の開口部からハウジングに割れが生じるという不具合の発生は、防止され易くなる。
【００２８】
請求項６に係るピックアップ装置は、請求項１〜５の何れか１項に記載のピックアップ装置において、前記クラック発生防止部は、前記軸受部の開口部から該軸受部の内部に向けて深く穿設された切欠き部を備え、該軸受部に前記軸部材が挿入されたときに、該軸受部と該軸部材との間に隙間が形成され、該切欠き部の深さ寸法は、該軸受部と該軸部材との間の隙間寸法よりも大きく設定されたことを特徴とする。
【００２９】
上記構成により、ハウジングの軸受部の開口部からクラックが生じることは、回避され易くなる。ハウジングの軸受部に設けられたクラック発生防止用切欠き部の深さ寸法は、軸受部と軸部材との間の隙間寸法よりも大きく設定されているので、例えば、軸部材がハウジングの軸受部に装備された状態で軸部材に衝撃が加えられたときに、軸部材は、軸受部の内部の比較的深い部分で接する。軸受部の内部の比較的深い部分に軸部材が接するので、軸部材を介してハウジングの軸受部に衝撃が伝えられたときに、例えば、ハウジングの軸受部の開口部に軸部材が局部接触し、その結果、軸受部の開口部からハウジングが割れるという不具合の発生は、防止され易くなる。
【００３０】
請求項７に係るピックアップ装置は、請求項１〜６の何れか１項に記載のピックアップ装置において、前記軸部材を備える前記ハウジングに衝撃が加えられたときに、該軸部材が前記軸受部に当たることで該軸受部が受ける衝撃力をやわらげる応力緩和部が、前記クラック発生防止部に設けられたことを特徴とする。
【００３１】
上記構成により、ハウジングにクラックが生じるという不具合の発生は、より回避され易くなる。例えば、軸部材がハウジングの軸受部に装備された状態で軸部材に衝撃が加えられ、そのときに、衝撃が軸部材を介してハウジングの軸受部に伝えられても、衝撃は、ハウジングの軸受部に設けられたクラック発生防止用応力緩和部により、やわらげられる。従って、軸部材を介してハウジングの軸受部に衝撃が伝えられ、その結果、軸受部からハウジングが割れるという不具合の発生は、防止され易くなる。
【００３２】
請求項８に係るピックアップ装置は、請求項１〜７の何れか１項に記載のピックアップ装置において、前記クラック発生防止部は、略丸孔状の前記軸受部の内部に向けてすぼめられて形成された略円錐状の切欠き部を備え、略丸棒状の前記軸部材を備える前記ハウジングに衝撃が加えられたときに、該軸部材が該軸受部に当たることで該軸受部が受ける衝
撃力をやわらげる応力緩和部が、略円錐状の該切欠き部と、該切欠き部に続き該軸部材に接する略円筒状の軸摺接部との間に設けられたことを特徴とする。
【００３３】
上記構成により、ハウジングにクラックが生じるという不具合の発生は、より回避され易くなる。例えば、略丸棒状の軸部材がハウジングの略丸孔状軸受部に装備された状態で軸部材に衝撃が加えられ、そのときに、衝撃が軸部材を介してハウジングの軸受部に伝えられても、衝撃は、ハウジングの軸受部に設けられたクラック発生防止用応力緩和部により、やわらげられる。軸部材が受けた衝撃は、ハウジングの略丸孔状軸受部に設けられた略円錐状の切欠き部と、この切欠き部に続き略丸棒状の軸部材に接する略円筒状の軸摺接部との間のクラック発生防止用応力緩和部によって低減する。従って、ハウジングの軸受部は、より割れ難いものとなる。
【００３４】
請求項９に係るピックアップ装置は、請求項１〜７の何れか１項に記載のピックアップ装置において、前記クラック発生防止部は、前記軸受部の内部に向けて形成された略座ぐり穴状の切欠き部を備え、略座ぐり穴状の該切欠き部は、略円筒状の側面部と、該側面部に略直交する略円環状の底面部とを有し、前記軸部材を備える前記ハウジングに衝撃が加えられたときに、該軸部材が該軸受部に当たることで該軸受部が受ける衝撃力をやわらげる応力緩和部が、略座ぐり穴状の該切欠き部の該底面部と、該底面部に略直交すると共に該切欠き部に続き該軸部材に接する略円筒状の軸摺接部との間に設けられたことを特徴とする。
【００３５】
上記構成により、ハウジングにクラックが生じるという不具合の発生は、より回避され易くなる。例えば、軸部材がハウジングの軸受部に装備された状態で軸部材に衝撃が加えられ、そのときに、衝撃が軸部材を介してハウジングの軸受部に伝えられても、衝撃は、ハウジングの軸受部に設けられたクラック発生防止用応力緩和部により、やわらげられる。軸部材が受けた衝撃は、略座ぐり穴状の切欠き部の底面部と、この底面部に略直交すると共に切欠き部に続き軸部材に接する略円筒状の軸摺接部との間のクラック発生防止用応力緩和部によって低減する。従って、軸受部からハウジングが割れるという不具合の発生は、防止され易くなる。
【００３６】
請求項１０に係るピックアップ装置は、請求項７〜９の何れか１項に記載のピックアップ装置において、前記応力緩和部は、曲面部として形成されたことを特徴とする。
【００３７】
上記構成により、ハウジングにクラックが生じるという不具合の発生は、さらに回避され易くなる。軸部材が軸受部に当たることで軸受部が受ける衝撃力をやわらげる応力緩和部が、曲面部として軸受部に形成されていれば、応力集中は、軸受部に発生され難くなる。応力集中とは、例えば応力分布が高度に局在化した状態を意味する。軸受部における応力集中の発生が回避され易くなるので、ハウジングの軸受部を起点としたクラックの発生は、回避され易くなる。
【００３８】
請求項１１に係るピックアップ装置は、請求項１〜１０の何れか１項に記載のピックアップ装置において、前記ハウジングに一対の前記軸受部が設けられ、隣り合う一対の該軸受部の両外側部に、前記クラック発生防止部が形成されたことを特徴とする。
【００３９】
上記構成により、ハウジングの軸受部を起点としたクラックの発生は、より回避され易くなる。例えば、ハウジングに設けられた一対の軸受部に軸部材が装備された状態で、軸部材に衝撃が加えられたときに、軸部材は、一瞬、大きく撓まされることがある。その場合、軸部材は隣り合う一対の軸受部の両外側部に設けられた軸受開口部に接することが懸念される。ハウジングに一対の軸受部が設けられていれば、軸部材からハウジングに伝えられる衝撃は、一対の軸受部に分散される。また、隣り合う一対の軸受部の両外側部にク
ラック発生防止部が形成されていれば、一対の軸受部のうち何れか一方または両方の外側部を起点としたクラックの発生は、回避され易くなる。従って、ピックアップ装置を構成するハウジングは、より割れ難いものとなる。
【００４０】
請求項１２に係るピックアップ装置は、請求項１〜１１の何れか１項に記載のピックアップ装置において、前記ハウジングに一対の前記軸受部が設けられ、隣り合う一対の該軸受部の両対向部に、前記クラック発生防止部が形成されたことを特徴とする。
【００４１】
上記構成により、ハウジングの軸受部を起点としたクラックの発生は、より回避され易くなる。例えば、ハウジングに設けられた一対の軸受部に軸部材が装備された状態で、軸部材に衝撃が加えられたときに、軸部材は、一瞬、大きく撓まされることがある。その場合、軸部材は、例えば、隣り合う一対の軸受部の両対向部に設けられた軸受開口部に接することが懸念される。ハウジングに一対の軸受部が設けられていれば、軸部材からハウジングに伝えられる衝撃は、一対の軸受部に分散される。また、隣り合う一対の軸受部の両対向部にクラック発生防止部が形成されていれば、一対の軸受部のうち何れか一方または両方の対向部を起点としたクラックの発生は、回避され易くなる。従って、ピックアップ装置を構成するハウジングは、より割れ難いものとなる。
【００４２】
請求項１３に係るピックアップ装置は、請求項１〜１２の何れか１項に記載のピックアップ装置において、前記軸部材は、略丸棒状に形成され、前記軸受部は、略丸孔状に形成されて略丸状の開口部を有し、前記クラック発生防止部は、該軸受部の該開口部から該軸受部の内部に向けて形成された切欠き部を有し、該軸受部の該開口部は、該切欠き部の開口部を兼ねて形成され、該軸部材が該軸受部に装備されたときに、該軸部材の表面部は、該開口部に非接触とされたことを特徴とする。
【００４３】
上記構成により、ハウジングの軸受部の開口部がクラックの起点となって、軸受部の開口部からハウジングが割れるということは回避される。軸部材がハウジングの軸受部に装備されたときに、軸部材の表面部は、軸受部に設けられた切欠き部の開口部に非接触とされているので、軸部材からハウジングに衝撃が伝えられたときに、ハウジングの軸受部の開口部からハウジングが割れるということは回避される。例えば、軸部材がハウジングの軸受部に装備された状態で軸部材に衝撃が加えられ、そのときに、衝撃が軸部材を介してハウジングの軸受部の開口部に伝えられ、その結果、軸受部の開口部を起点としてハウジングが割れるということは、回避される。
【００４４】
請求項１４に係るピックアップ装置は、請求項１〜１３の何れか１項に記載のピックアップ装置において、前記ハウジングは、樹脂材料が用いられて形成されたことを特徴とする。
【００４５】
上記構成により、軽量化されたハウジングを備えるピックアップ装置が構成される。一般に、樹脂材料は、金属材料よりも比重が小さい。そのため、樹脂材料が用いられてハウジングが形成されることにより、ハウジングの軽量化が図られる。また、樹脂製ハウジングの軸受部にクラック発生防止部が設けられているので、軸受部からハウジングが割れるということは、回避され易くなる。従って、軽量化されると共に軸受部から割れ難い樹脂製ハウジングを備えたピックアップ装置の提供が可能となる。
【００４６】
請求項１５に係るディスク装置は、請求項１〜１４の何れか１項に記載のピックアップ装置を備えることを特徴とする。
【００４７】
上記構成により、ハウジングの割れ対策が行われたピックアップ装置を備えるディスク装置が構成される。ディスク装置に衝撃が加えられても、ディスク装置に装備されたピッ
クアップ装置のハウジングが割れるという不具合の発生は、防止され易くなる。従って、衝撃に強いピックアップ装置を備えたディスク装置の提供が可能となる。
【発明の効果】
【００４８】
以上の如く、請求項１に記載の発明によれば、ハウジングにクラックが生じるという不具合の発生は防止され易くなる。ハウジングの軸受部にクラック発生防止部が設けられることにより、例えば、軸部材がハウジングの軸受部に装備された状態で軸部材に衝撃が加えられ、そのときに、衝撃が軸部材を介してハウジングの軸受部に伝えられ、その結果、軸受部を起点としてハウジングが割れるということは、回避され易くなる。従って、割れ難いハウジングを備えたピックアップ装置を提供することができる。
【００４９】
請求項２に記載の発明によれば、ハウジングの軸受部からクラックが生じることは、回避され易くなる。ハウジングの軸受部の内部に向けて、クラック発生防止用切欠き部が軸受部に深く穿設されているので、例えば、軸部材がハウジングの軸受部に装備された状態で軸部材に衝撃が加えられたときに、軸部材は、軸受部の内部の深い部分に接することとなる。従って、軸部材を介してハウジングの軸受部に衝撃が伝えられたときに、例えば、軸部材がハウジングの軸受部の開口部に局部接触し、その結果、軸受部の開口部からハウジングに割れが生じるということを、回避させ易くすることができる。
【００５０】
請求項３に記載の発明によれば、ハウジングの軸受部からクラックが生じることは、回避され易くなる。ハウジングの軸受部の内部に向けてすぼめられた略円錐状のクラック発生防止用切欠き部が、ハウジングの軸受部に穿設されているので、例えば、軸部材がハウジングの軸受部に装備された状態で軸部材に衝撃が加えられたときに、軸部材がハウジングの軸受部に局部接触して、ハウジングの軸受部の一部に衝撃力が異常に集中するということは回避され易くなる。従って、ハウジングの軸受部から割れが生じるという不具合の発生を、防止させ易くすることができる。
【００５１】
請求項４に記載の発明によれば、ハウジングの軸受部の開口部にクラックが生じることは、回避され易くなる。軸受部の軸摺接部の内面に対し、略円錐状をしたクラック発生防止用切欠き部の傾斜面は鈍角に設定され、クラック発生防止用切欠き部の傾斜面は、軸受部の開口部に向けて広げられているので、軸部材がハウジングの軸受部に装備された状態で軸部材に衝撃が加えられたときに、例えば、軸部材がハウジングの軸受部の開口部に局部接触して、ハウジングの軸受部の開口部に衝撃力が異常に集中するということは回避され易くなる。従って、軸受部の開口部からハウジングに割れが生じるという不具合の発生を、防止させ易くすることができる。
【００５２】
請求項５に記載の発明によれば、ハウジングの軸受部の開口部にクラックが生じることは、回避され易くなる。ハウジングの軸受部の内部に向けた略座ぐり穴状のクラック発生防止用切欠き部が、ハウジングの軸受部に穿設されているので、軸部材がハウジングの軸受部に装備された状態で軸部材に衝撃が加えられたときに、例えば、軸受部の開口部からハウジングに割れが生じるという不具合の発生は、防止され易くなる。
【００５３】
請求項６に記載の発明によれば、ハウジングの軸受部の開口部からクラックが生じることを回避させ易くすることができる。ハウジングの軸受部に設けられたクラック発生防止用切欠き部の深さ寸法は、軸受部と軸部材との間の隙間寸法よりも大きく設定されているので、例えば、軸部材がハウジングの軸受部に装備された状態で軸部材に衝撃が加えられたときに、軸部材は、軸受部の内部の比較的深い部分で接する。軸受部の内部の比較的深い部分に軸部材が接するので、軸部材を介してハウジングの軸受部に衝撃が伝えられたときに、例えば、ハウジングの軸受部の開口部に軸部材が局部接触し、その結果、軸受部の開口部からハウジングが割れるという不具合の発生は、防止され易くなる。
【００５４】
請求項７に記載の発明によれば、ハウジングにクラックが生じるという不具合の発生は、より回避され易くなる。例えば、軸部材がハウジングの軸受部に装備された状態で軸部材に衝撃が加えられ、そのときに、衝撃が軸部材を介してハウジングの軸受部に伝えられても、衝撃は、ハウジングの軸受部に設けられたクラック発生防止用応力緩和部により、やわらげられる。従って、軸部材を介してハウジングの軸受部に衝撃が伝えられ、その結果、軸受部からハウジングが割れるという不具合の発生を、防止させ易くすることができる。
【００５５】
請求項８に記載の発明によれば、ハウジングにクラックが生じるという不具合の発生は、より回避され易くなる。例えば、略丸棒状の軸部材がハウジングの略丸孔状軸受部に装備された状態で軸部材に衝撃が加えられ、そのときに、衝撃が軸部材を介してハウジングの軸受部に伝えられても、衝撃は、ハウジングの軸受部に設けられたクラック発生防止用応力緩和部により、やわらげられる。軸部材が受けた衝撃は、ハウジングの略丸孔状軸受部に設けられた略円錐状の切欠き部と、この切欠き部に続き略丸棒状の軸部材に接する略円筒状の軸摺接部との間のクラック発生防止用応力緩和部によって低減する。従って、ハウジングの軸受部を、より割れ難いものとさせることができる。
【００５６】
請求項９に記載の発明によれば、ハウジングにクラックが生じるという不具合の発生は、より回避され易くなる。例えば、軸部材がハウジングの軸受部に装備された状態で軸部材に衝撃が加えられ、そのときに、衝撃が軸部材を介してハウジングの軸受部に伝えられても、衝撃は、ハウジングの軸受部に設けられたクラック発生防止用応力緩和部により、やわらげられる。軸部材が受けた衝撃は、略座ぐり穴状の切欠き部の底面部と、この底面部に略直交すると共に切欠き部に続き軸部材に接する略円筒状の軸摺接部との間のクラック発生防止用応力緩和部によって低減する。従って、軸受部からハウジングが割れるという不具合の発生は、防止され易くなる。
【００５７】
請求項１０に記載の発明によれば、ハウジングにクラックが生じるという不具合の発生を、さらに回避させ易くすることができる。軸部材が軸受部に当たることで軸受部が受ける衝撃力をやわらげる応力緩和部が、曲面部として軸受部に形成されていれば、応力集中は、軸受部に発生され難くなる。軸受部における応力集中の発生が回避され易くなるので、ハウジングの軸受部を起点としたクラックの発生を、回避させ易くすることができる。
【００５８】
請求項１１に記載の発明によれば、ハウジングの軸受部を起点としたクラックの発生は、より回避され易くなる。例えば、ハウジングに設けられた一対の軸受部に軸部材が装備された状態で、軸部材に衝撃が加えられたときに、軸部材は、一瞬、大きく撓まされることがある。その場合、軸部材は隣り合う一対の軸受部の両外側部に設けられた軸受開口部に接することが懸念される。ハウジングに一対の軸受部が設けられていれば、軸部材からハウジングに伝えられる衝撃は、一対の軸受部に分散される。また、隣り合う一対の軸受部の両外側部にクラック発生防止部が形成されていれば、一対の軸受部のうち何れか一方または両方の外側部を起点としたクラックの発生は、回避され易くなる。従って、ピックアップ装置を構成するハウジングを、より割れ難いものとさせることができる。
【００５９】
請求項１２に記載の発明によれば、ハウジングの軸受部を起点としたクラックの発生は、より回避され易くなる。例えば、ハウジングに設けられた一対の軸受部に軸部材が装備された状態で、軸部材に衝撃が加えられたときに、軸部材は、一瞬、大きく撓まされることがある。その場合、軸部材は、例えば、隣り合う一対の軸受部の両対向部に設けられた軸受開口部に接することが懸念される。ハウジングに一対の軸受部が設けられていれば、軸部材からハウジングに伝えられる衝撃は、一対の軸受部に分散される。また、隣り合う一対の軸受部の両対向部にクラック発生防止部が形成されていれば、一対の軸受部のうち
何れか一方または両方の対向部を起点としたクラックの発生は、回避され易くなる。従って、ピックアップ装置を構成するハウジングを、より割れ難いものとさせることができる。
【００６０】
請求項１３に記載の発明によれば、ハウジングの軸受部の開口部がクラックの起点となって、軸受部の開口部からハウジングが割れるということを回避することができる。軸部材がハウジングの軸受部に装備されたときに、軸部材の表面部は、軸受部に設けられた切欠き部の開口部に非接触とされているので、軸部材からハウジングに衝撃が伝えられたときに、ハウジングの軸受部の開口部からハウジングが割れるということは回避される。例えば、軸部材がハウジングの軸受部に装備された状態で軸部材に衝撃が加えられ、そのときに、衝撃が軸部材を介してハウジングの軸受部の開口部に伝えられ、その結果、軸受部の開口部を起点としてハウジングが割れるということは、回避される。
【００６１】
請求項１４に記載の発明によれば、軽量化されたハウジングを備えるピックアップ装置が構成される。一般に、樹脂材料は、金属材料よりも比重が小さい。そのため、樹脂材料が用いられてハウジングが形成されることにより、ハウジングの軽量化が図られる。また、樹脂製ハウジングの軸受部にクラック発生防止部が設けられているので、軸受部からハウジングが割れるということは、回避され易くなる。従って、軽量化されると共に軸受部から割れ難い樹脂製ハウジングを備えたピックアップ装置を提供することができる。
【００６２】
請求項１５に記載の発明によれば、ハウジングの割れ対策が行われたピックアップ装置を備えるディスク装置が構成される。ディスク装置に衝撃が加えられても、ディスク装置に装備されたピックアップ装置のハウジングが割れるという不具合の発生は、防止され易くなる。従って、衝撃に強いピックアップ装置を備えたディスク装置を提供することができる。
【図面の簡単な説明】
【００６３】
【図１】本発明に係るピックアップ装置およびそれを備えるディスク装置の第一実施形態を示す斜視図である。
【図２】ピックアップ装置に装備された軸部材に変形が生じた状態を示す断面図である。
【図３】図２のＢ部を示す拡大図である。
【図４】ピックアップ装置のハウジングの第一実施形態を示す拡大断面図である。
【図５】本発明に係るピックアップ装置のハウジングの第二実施形態を示す拡大断面図である。
【図６】本発明に係るピックアップ装置のハウジングの第三実施形態を示す拡大断面図である。
【図７】本発明に係るピックアップ装置のハウジングの第四実施形態を示す拡大断面図である。
【図８】本発明に係るピックアップ装置のハウジングの第五実施形態を示す拡大断面図である。
【図９】本発明に係るピックアップ装置のハウジングの第六実施形態を示す拡大断面図である。
【図１０】従来のピックアップ装置の一形態を示す平面図である。
【図１１】図１０のＰ−Ｐ断面図である。
【図１２】図１１のＱ部を示す拡大図である。
【図１３】ピックアップ装置に装備された軸部材に変形が生じた状態を示す断面図である。
【図１４】図１３のＲ部を示す拡大図である。
【発明を実施するための形態】
【００６４】
以下に本発明に係るピックアップ装置およびそれを備えるディスク装置の実施の形態を図面に基づいて詳細に説明する。
【実施例１】
【００６５】
図１は、本発明に係るピックアップ装置およびそれを備えるディスク装置の第一実施形態を示す斜視図、図２は、ピックアップ装置に装備された軸部材に変形が生じた状態を示す断面図、図３は、図２のＢ部を示す拡大図、図４は、ピックアップ装置のハウジングの第一実施形態を示す拡大断面図である。
【００６６】
図２は、図１のＡ−Ａ断面図において、軸部材に衝撃が加えられて軸部材に弾性変形が生じた状態を示す断面図である。
【００６７】
光ピックアップ装置１（図１，図２）が用いられて、メディア（図示せず）における情報などのデータの再生または記録が行われる。メディアとして、例えば、ＣＤ系列の光ディスクや、ＤＶＤ系列の光ディスクなどが挙げられる（何れも図示せず）。「ＣＤ」は、「Compact Disc」（商標）の略称である。また、「ＤＶＤ」は「Digital Versatile Disc」（登録商標）の略称である。
【００６８】
光ピックアップ装置１（図１，図２）が用いられて、メディア（図示せず）における情報などのデータの再生または記録が行われる。メディアとして、例えば、ＣＤ（Compact Disc）（商標）系列の光ディスクや、ＤＶＤ（Digital Versatile Disc）（登録商標）系列の光ディスクなどが挙げられる（何れも図示せず）。
【００６９】
ディスクについて詳しく説明すると、ディスクとして、例えば、「ＣＤ−ＲＯＭ」，「ＤＶＤ−ＲＯＭ」などのデータ読出し専用の光ディスクや、「ＣＤ−Ｒ」，「ＤＶＤ−Ｒ」，「ＤＶＤ＋Ｒ」などのデータ追記型の光ディスクや、「ＣＤ−ＲＷ」，「ＤＶＤ−ＲＷ」，「ＤＶＤ＋ＲＷ」（登録商標），「ＤＶＤ−ＲＡＭ」，「ＨＤ  ＤＶＤ」（登録商標），「Blu-ray Disc」（商標）などのデータ書込み／消去やデータ書換え可能なタイプの光ディスクなどが挙げられる。
【００７０】
「ＣＤ−ＲＯＭ」もしくは「ＤＶＤ−ＲＯＭ」の「ＲＯＭ」は、「Read Only Memory」の略称である。「ＣＤ−ＲＯＭ」もしくは「ＤＶＤ−ＲＯＭ」は、データ／情報読出し専用のものである。また、「ＣＤ−Ｒ」または「ＤＶＤ−Ｒ」もしくは「ＤＶＤ＋Ｒ」の「Ｒ」は、「Recordable」の略称である。「ＣＤ−Ｒ」または「ＤＶＤ−Ｒ」もしくは「ＤＶＤ＋Ｒ」は、データ／情報の書込みが可能なものである。また、「ＣＤ−ＲＷ」または「ＤＶＤ−ＲＷ」もしくは「ＤＶＤ＋ＲＷ」の「ＲＷ」は、「Re-Writable 」の略称である。「ＣＤ−ＲＷ」または「ＤＶＤ−ＲＷ」もしくは「ＤＶＤ＋ＲＷ」は、データ／情報の書換えが可能なものである。また、「ＤＶＤ−ＲＡＭ」は、「Digital Versatile Disc
Random Access Memory 」の略称である。「ＤＶＤ−ＲＡＭ」は、データ／情報の読み書き／消去が可能なものである。
【００７１】
また、「ＨＤ  ＤＶＤ」は、「High Definition DVD 」の略称である。「ＨＤ  ＤＶＤ」は、従来のＤＶＤ系列のものと互換性をもたせ、且つ、従来のＤＶＤ系列のディスクよりも記憶容量の大きいものである。従来のＣＤには、赤外レーザが用いられていた。また、従来のＤＶＤには、赤色レーザが用いられていた。しかしながら、「ＨＤ  ＤＶＤ」の光ディスクに記録されたデータ／情報が読み出されるときには、青紫色レーザが用いられる。また、「Blu-ray 」とは、従来の信号の読み書きに用いられていた赤色のレーザに対し、高密度記録が実現されるために採用された青紫色のレーザを意味する。
【００７２】
また、ディスクとして、例えばディスク両面に信号面が設けられ、データ書込み／消去やデータ書換えが可能とされた光ディスク（図示せず）等も挙げられる。また、ディスクとして、例えば二層の信号面が設けられ、データ書込み／消去やデータ書換えが可能とされた光ディスク（図示せず）等も挙げられる。また、例えば三層の信号面が設けられ、データ書込み／消去やデータ書換えが可能とされた「ＨＤ  ＤＶＤ」用光ディスク（図示せず）等も挙げられる。また、例えば四層の信号面が設けられ、データ書込み／消去やデータ書換えが可能とされた「Blu-ray Disc」用光ディスク（図示せず）等も挙げられる。
【００７３】
光ピックアップ装置１は、前記各種光ディスクに記録されたデータを再生させたり、前記書込み可能もしくは書換え可能な各種光ディスクにデータを記録させたりする。光ピックアップ装置１は、ＣＤ−ＲＯＭ，ＣＤ−Ｒ，ＣＤ−ＲＷなどのＣＤ系列のメディアと、ＤＶＤ−ＲＯＭ，ＤＶＤ±Ｒ，ＤＶＤ±ＲＷ，ＤＶＤ−ＲＡＭ，ＨＤ−ＤＶＤなどのＤＶＤ系列のメディアとに対応する。このように、光ピックアップ装置１は、複数のメディアに対応している。
【００７４】
データ再生専用の光ディスクやデータ記録用の光ディスクなどの各種光ディスクに対応可能な光ピックアップ装置１（図１，図２）は、不図示の光ディスクを回転させるモータ（図示せず）などを備えた光ディスク装置（図示せず）に装備される。
【００７５】
光ディスク装置を構成する金属製／合成樹脂製シャーシ（図示せず）に、スピンドルモータ（図示せず）が取り付けられる。上述した如く、「シャーシ」とは、例えば、部品が取り付けられる台を意味する。また、光ディスク（図示せず）が装備されるターンテーブル（図示せず）が、不図示のスピンドルモータの回転軸（図示せず）に圧入固定される。
【００７６】
光ピックアップ装置１を構成する合成樹脂製ハウジング１０１に、合成樹脂製／ガラス製対物レンズ１１０（図１）を備える合成樹脂製レンズホルダ１１１が装備されている。上述した如く、「ハウジング」とは、例えば、装置、部品などの物が収容される箱形のものや、箱に類似したものを意味する。対物レンズ１１０などは、光ピックアップ装置１における重要な光学系部品とされている。対物レンズ１１０を備えるレンズホルダ１１１は、複数のサスペンションワイヤ１２０によって、移動可能に支持されている。また、光ピックアップ装置１のハウジング１０１は、略円柱状の金属製第一軸部材３１０と、略円柱状の金属製第二軸部材３２０とによって移動可能に支持されている。一対の軸部材３１０，３２０は、シャーシ（図示せず）に取り付けられる。
【００７７】
光ピックアップ装置１のハウジング１０１は、略円柱状の金属製第一軸部材３１０と、略円柱状の金属製第二軸部材３２０とによって移動可能に支持されている。略丸棒状の長尺状軸部材３１０，３２０いわゆるシャフト３１０，３２０は、不図示のシャーシに取り付けられる。光ピックアップ装置１に一対のシャフト３１０，３２０が装備され、一対のシャフト３１０，３２０が不図示のシャーシに装着されることで、不図示の光ディスク装置が構成される。
【００７８】
光ピックアップ装置１のハウジング１０１に設けられた一対の合成樹脂製円筒状の滑り軸受部１１，１２に、金属製円柱状の第一シャフト３１０が移動可能に挿通されている。また、光ピックアップ装置１のハウジング１０１に設けられた合成樹脂製突出片状の滑り軸受部９３に、金属製円柱状の第二シャフト３２０が移動可能に装備されている。このようにして、光ピックアップ装置１のハウジング１０１は、各シャフト３１０，３２０にガイドされつつ移動可能に支えられる。略円柱状のシャフト３１０，３２０は、例えば光ピックアップ装置１のハウジング１０１をガイドしつつ支えるガイドシャフト３１０，３２０として形成されている。第一シャフト３１０は、主軸とされ、第二シャフト３２０は、副軸とされる。
【００７９】
不図示のシャーシに、光ピックアップ装置１のハウジング１０１を移動可能とさせる送りモータ（図示せず）が取り付けられる。また、不図示の送りモータから送り用ねじ（図示せず）が延設される。不図示の送り用ねじは、各シャフト３１０，３２０に対して略平行に設置される。第一シャフト３１０の近傍に、不図示の送り用ねじが並設される。送り用ねじには、ハウジング１０１を移動可能とさせる略螺旋状の送り溝（図示せず）が設けられている。送り用ねじは、シャーシに取り付けられた支持部材（図示せず）に装備される。また、光ピックアップ装置１のハウジング１０１に、送り用ねじと接する伝達部材（図示せず）が装着される。不図示の伝達部材には、不図示の送り用ねじの送り溝に合わせられる係り合わせ部（図示せず）が設けられている。
【００８０】
送りモータを回動させることにより、送り用ねじが回動する。そのときに、送り用ねじの送り溝に合わせられたハウジング１０１側の伝達部材の係り合わせ部が押動されることで、光ピックアップ装置１のハウジング１０１は、略円柱状のシャフト３１０，３２０が延設された方向に沿って移動する。即ち、光ピックアップ装置１のハウジング１０１は、図１および図２の如く、送り方向Ｘ１または送り方向Ｘ２に沿って移動する。これにより、光ピックアップ装置１のハウジング１０１は、不図示の光ディスクの径方向に沿って移動する。光ディスクに対し、対物レンズ１１０を備えるハウジング１０１が移動されて、光ディスクのデータ記録／再生が行われる。
【００８１】
光ピックアップ装置（１）が装備される光ディスク装置の仕様などにより、例えば、前記送り用ねじが設けられずに省略され、第一シャフト（３１０）に、光ピックアップ装置（１）のハウジング（１０１）を移動可能とさせる送りモータがつなげられたものも使用可能とされる。この場合、第一シャフト（３１０）に、光ピックアップ装置（１）のハウジング（１０１）を案内移動させる送り溝が設けられる。
【００８２】
このような光ディスク装置においては、送りモータを回動させることにより、第一シャフト（３１０）が回動する。そのときに、第一シャフト（３１０）の送り溝に合わせられたハウジング（１０１）側の係り合わせ部材が押動されることで、光ピックアップ装置（１）のハウジング（１０１）は、長尺状のシャフト（３１０，３２０）が延設された方向（Ｘ１）または（Ｘ２）に沿って移動する。
【００８３】
また、例えば、駆動用ベルト（図示せず）が用いられて、ハウジング（１０１）を移動可能とさせる光ピックアップ装置（１）が用いられてもよい。
【００８４】
また、光ディスクのデータ記録／再生が行われるときに、光ピックアップ装置１のハウジング１０１内の発光素子（図示せず）から出射されたレーザ光が、光ピックアップ装置１の対物レンズ１１０（図１）を透過し、光ピックアップ装置１の外側に向けて出射される。対物レンズ１１０によって絞られたレーザ光は、光ディスクの信号層（図示せず）に焦点が合わせられる。
【００８５】
対物レンズ１１０によって絞られたレーザ光の焦点が、光ディスクの信号層に合わせられるときに、対物レンズ１１０に装着されたレンズホルダ１１１は、アクチュエータ２００により上下左右に駆動される。この明細書における「上」、「下」、「左」、「右」の定義は、光ピックアップ装置１を説明するための便宜上のものとされる。
【００８６】
アクチュエータ２００は、例えば、対物レンズ１１０が装着されるレンズホルダ１１１と、電流が流されることで発生する電磁力によりレンズホルダ１１１を駆動させる各コイル（図示せず）と、不図示のコイルに向かい合わせられ常に磁束を発生する磁石（図示せず）と、不図示の磁石が取り付けられるヨーク（図示せず）とを備えて構成される。
【００８７】
図１の如く、この光ピックアップ装置１は、メディア（図示せず）のデータ／情報を読み取ったり、メディアにデータ／情報を書き込んだり、メディアのデータ／情報を書き換えたりするための各種部品１１０，１１１，１２０等が装備されるハウジング１０１を、少なくとも備えるものとして構成されている。
【００８８】
また、ハウジング１０１を移動可能に支える一対のシャフト３１０，３２０が、ハウジング１０１に装備されている。ハウジング１０１を移動可能に支える略丸棒状の第一シャフト３１０に対応して、ハウジング１０１の一側に、一対の略円筒状軸受部１１，１２が設けられている。また、ハウジング１０１を移動可能に支える略丸棒状の第二シャフト３２０に対応して、ハウジング１０１の他側に、略ガイド片状軸受部９３が設けられている。
【００８９】
各シャフト３１０，３２０がハウジング１０１の各軸受部１１，１２，９３に装備された状態で、光ピックアップ装置１の落下試験が行われる。
【００９０】
シャフト３１０，３２０を備えるハウジング１０１が落下され、シャフト３１０，３２０を備えるハウジング１０１に衝撃が加えられたときに（図２，図３）、第一軸受部１１を起点としたハウジング１０１の割れ発生を防ぐクラック発生防止部１６（図１〜図３）が、ハウジング１０１の第一軸受部１１に設けられている。
【００９１】
また、シャフト３１０，３２０（図１）を備えるハウジング１０１が落下され、シャフト３１０，３２０を備えるハウジング１０１に衝撃が加えられたときに（図２）、第二軸受部１２を起点としたハウジング１０１の割れ発生を防ぐクラック発生防止部１７（図１，図２）が、ハウジング１０１の第二軸受部１２に設けられている。
【００９２】
これにより、ハウジング１０１の軸受部１１，１２を起点としたクラックが、ハウジング１０１に生じるという不具合の発生は防止され易くなる。上述した如く、「クラック」とは、「割れ目」や「裂け目」を意味する。
【００９３】
ハウジング１０１の軸受部１１にクラック発生防止部１６が設けられることにより、例えば、シャフト３１０がハウジング１０１の軸受部１１に装備された状態の光ピックアップ装置１が落下してシャフト３１０に衝撃が加えられ、そのときに、衝撃がシャフト３１０を介してハウジング１０１の軸受部１１に伝えられ、その結果、軸受部１１を起点としてハウジング１０１が割れるということは、回避され易くなる。
【００９４】
また、ハウジング１０１の軸受部１２にクラック発生防止部１７が設けられることにより、例えば、シャフト３１０がハウジング１０１の軸受部１２に装備された状態の光ピックアップ装置１が落下してシャフト３１０に衝撃が加えられ、そのときに、衝撃がシャフト３１０を介してハウジング１０１の軸受部１２に伝えられ、その結果、軸受部１２を起点としてハウジング１０１が割れるということは、回避され易くなる。
【００９５】
従って、割れ難いハウジング１０１を備えた光ピックアップ装置１を、光ディスク装置に光ピックアップ装置１を組み込む光ディスク装置の組立メーカや、光ピックアップ装置１を備えるコンピュータの組立メーカ等に提供することができる。
【００９６】
図２〜図４の如く、第一軸受部１１に設けられたクラック発生防止部１６は、軸受部１１の外側開口部１１ａから軸受部１１の内部１１ｎに向けて深く穿設された切欠き部１６ｃを備えるものとして形成されている。また、図２の如く、第二軸受部１２に設けられたクラック発生防止部１７は、軸受部１２の外側開口部１２ａから軸受部１２の内部１２ｎ
に向けて深く穿設された切欠き部１７ｃを備えるものとして形成されている。
【００９７】
これにより、ハウジング１０１の軸受部１１，１２からクラックが生じることは、回避され易くなる。ハウジング１０１の軸受部１１，１２の内部１１ｎ，１２ｎに向けて、クラック発生防止用切欠き部１６ｃ，１７ｃが、軸受部１１，１２に深く穿設されているので、例えば、シャフト３１０がハウジング１０１の軸受部１１，１２に装備された状態の光ピックアップ装置１が落下して、シャフト３１０に衝撃が加えられたときに、シャフト３１０は、軸受部１１，１２の内部１１ｎ，１２ｎの深い部分に接することとなる。従って、シャフト３１０を介してハウジング１０１の軸受部１１，１２に衝撃が伝えられたときに、例えば、シャフト３１０がハウジング１０１の軸受部１１，１２の外側開口部１１ａ，１２ａに局部接触し、その結果、軸受部１１，１２の外側開口部１１ａ，１２ａからハウジング１０１に割れが生じるということは、回避され易くなる。
【００９８】
図２〜図４の如く、第一軸受部１１に設けられたクラック発生防止部１６は、軸受部１１の略丸状外側開口部１１ａから軸受部１１の略円筒状内部１１ｎに向けて略漏斗状にすぼめられつつ穿設された略円錐状の切欠き部１６ｃを備えるものとして形成されている。また、図２の如く、第二軸受部１２に設けられたクラック発生防止部１７は、軸受部１２の略丸状外側開口部１２ａから軸受部１２の略円筒状内部１２ｎに向けて略漏斗状にすぼめられつつ穿設された略円錐状の切欠き部１７ｃを備えるものとして形成されている。
【００９９】
ハウジング１０１の軸受部１１，１２の略丸状外側開口部１１ａ，１２ａから軸受部１１，１２の略円筒状内部１１ｎ，１２ｎに向けて略漏斗状にすぼめられた略円錐状のクラック発生防止用切欠き部１６ｃ，１７ｃが、ハウジング１０１の軸受部１１，１２に穿設されているので、例えば、略丸棒状のシャフト３１０がハウジング１０１の略円筒状軸受部１１，１２に装備された状態の光ピックアップ装置１が落下して、シャフト３１０に衝撃が加えられたときに、シャフト３１０がハウジング１０１の軸受開口部１１ａ，１２ａに局部接触して、ハウジング１０１の軸受開口部１１ａ，１２ａの一部に衝撃力が異常に集中するということは回避され易くなる。従って、ハウジング１０１の軸受開口部１１ａ，１２ａから割れが生じるという不具合の発生は、防止され易くなる。
【０１００】
図２の如く、第一軸受部１１と、第二軸受部１２とは、ハウジング本体１０１ｂの上側に左右対称に形成されている。
【０１０１】
ハウジング１０１の軸受部１１は、クラック発生防止用の略円錐状切欠き部１６ｃと、略円錐状の切欠き部１６ｃに続きシャフト３１０に接する略円筒状の軸摺接部１１ｓとを有するものとして形成されている。略円筒状の軸摺接部１１ｓの内面１１ｆに対し、略円錐状の切欠き部１６ｃの傾斜面１６ｆは鈍角に設定されて、傾斜面１６ｆは、軸受部１１の外側開口部１１ａに向けて広げられている。略円筒状軸摺接部１１ｓの内面１１ｆに対し、略円錐状切欠き部１６ｃの傾斜面１６ｆの角度ＡＬｐは、約１６９度に設定されている。
【０１０２】
ハウジング１０１の軸受部１１の内部形状が、図２〜図４に示す形状に形成されていれば、ハウジング１０１の軸受部１１の外側開口部１１ａにクラックが生じることは、回避され易くなる。「鈍角」とは、直角よりも大きく二直角よりも小さい角を意味する。即ち、「鈍角」とは、９０度よりも大きく１８０度よりも小さい角度のものを意味する。軸受部１１（図４）の軸摺接部１１ｓの内面１１ｆに対し、略円錐状をしたクラック発生防止用切欠き部１６ｃの傾斜面１６ｆは鈍角に設定され、クラック発生防止用切欠き部１６ｃの傾斜面１６ｆは、軸受部１１の外側開口部１１ａに向けて広げられているので、略丸棒状のシャフト３１０がハウジング１０１の略円筒状軸受部１１に装備された状態の光ピックアップ装置１が落下して、シャフト３１０に衝撃が加えられたときに、例えば、シャフ
ト３１０がハウジング１０１の軸受部１１の外側開口部１１ａに局部接触して、ハウジング１０１の軸受部１１の外側開口部１１ａに衝撃力が異常に集中するということは回避され易くなる。従って、軸受部１１の外側開口部１１ａからハウジング１０１に割れが生じるという不具合の発生は、防止され易くなる。
【０１０３】
略円錐状傾斜面１６ｆの角度ＡＬｐの度合いにより、略円錐状の切欠き部１６ｃは、例えば、皿ねじ状の座ぐり穴形状に形成される。略円錐状傾斜面１６ｆの角度ＡＬｐの度合いにより、略円錐状の切欠き部１６ｃは、例えば、軸受部１１の略丸状外側開口部１１ａから軸受部１１の略円筒状内部１１ｎに向けて穿設された皿ねじ状の座ぐり穴形状に形成される。
【０１０４】
略円筒状軸摺接部１１ｓの内面１１ｆに対し、略円錐状切欠き部１６ｃの傾斜面１６ｆの角度ＡＬｐは、例えば、略１３０度以上略１７０度以下に設定されるとよい。角度ＡＬｐが１３０度よりも小さい角度とされた場合、略円錐状の切欠き部１６ｃと、略円錐状の切欠き部１６ｃに続く略円筒状の軸摺接部１１ｓとの間の応力緩和部１６ｒにシャフト３１０が当てられたときに、応力緩和部１６ｒに力が集中され易くなる。角度ＡＬｐが１７０度よりも大きい角度とされた場合、略丸状の外側開口部１１ａの直径Ｄａと、略円筒状の軸摺接部１１ｓの直径Ｄｂとの差が少なくなり、切欠き部１６ｃがクラック発生防止用切欠き部１６ｃとして機能され難くなる。このようなことから、角度ＡＬｐは、例えば、約１６５度程度に設定されることが好ましい。
【０１０５】
ハウジング１０１に設けられた軸受部１１の軸摺接孔１１ｓに、シャフト３１０が挿入されたときに、軸受部１１の軸摺接孔１１ｓと、シャフト３１０との間に、隙間ＣＬ（図３）いわゆるクリアランスが形成される。切欠き部１６ｃ（図３，図４）の深さ寸法Ｌｃは、軸受部１１の軸摺接孔１１ｓと、シャフト３１０（図３）との間の隙間寸法ＣＬよりも大きく設定されている。
【０１０６】
これにより、ハウジング１０１の軸受部１１の開口部１１ａからクラックが生じることは、回避され易くなる。ハウジング１０１の軸受部１１に設けられたクラック発生防止用切欠き部１６ｃの深さ寸法Ｌｃは、軸受部１１の軸摺接孔１１ｓと、シャフト３１０との間の隙間寸法ＣＬよりも大きく設定されているので、例えば、シャフト３１０がハウジング１０１の軸受部１１に装備された状態の光ピックアップ装置１が落下して、シャフト３１０に衝撃が加えられたときに、シャフト３１０は、軸受部１１の内部１１ｎの比較的深い部分で接する。軸受部１１の内部１１ｎの比較的深い部分にシャフト３１０が接するので、シャフト３１０を介してハウジング１０１の軸受部１１に衝撃が伝えられたときに、例えば、ハウジング１０１の軸受部１１の開口部１１ａにシャフト３１０が局部接触し、その結果、軸受部１１の開口部１１ａからハウジング１０１が割れるという不具合の発生は、防止され易くなる。
【０１０７】
軸受部１１の軸摺接孔１１ｓの直径Ｄｂ（図４）は、例えば、３．００２〜３．０１２ｍｍ（ミリメートル）とされる。また、シャフト３１０（図３）の直径Ｄｓは、例えば、２．９８０〜３．０００ｍｍとされる。従って、軸受部１１の軸摺接孔１１ｓと、シャフト３１０との間の隙間寸法ＣＬは、０．００２〜０．０３２ｍｍとされる。また、切欠き部１６ｃの深さ寸法Ｌｃは、約２ｍｍとされている。
【０１０８】
また、切欠き部１６ｃの深さＬｃは、軸受部１１の幅Ｌｗの５分の１以上に設定されると共に、軸受部１１の幅Ｌｗの５分の４以下に設定されることが好ましい。具体的には、切欠き部１６ｃの深さＬｃは、軸受部１１の幅Ｌｗの２分の１以下に設定されている。
【０１０９】
切欠き部１６ｃの深さＬｃが、軸受部１１の幅Ｌｗの５分の１未満の小さい値とされた
場合、切欠き部１６ｃの深さＬｃが少なくなり、切欠き部１６ｃは、クラック発生防止用の切欠き部１６ｃとして機能しないことが懸念される。また、切欠き部１６ｃの深さＬｃが、軸受部１１の幅Ｌｗの５分の４を超える大きい値とされた場合、切欠き部１６ｃの深さＬｃが大きくなりすぎて、軸受部１１の軸摺接部１１ｓの幅長さＬａが不足することが懸念される。
【０１１０】
切欠き部１６ｃの深さ寸法Ｌｃが、例えば、軸受部１１の幅寸法Ｌｗの略４分の１程度に設定されていれば、軸受部１１の軸摺接部１１ｓの幅長さＬａが不足することなく、適度な深さＬｃのクラック発生防止用切欠き部１６ｃが軸受部１１に形成される。軸受部１１の幅寸法Ｌｗは、約７．８ｍｍとされている。また、切欠き部１６ｃの深さ寸法Ｌｃは、約２ｍｍとされている。
【０１１１】
光ピックアップ装置（１）の設計／仕様などにより、例えば、切欠き部（１６ｃ）の深さ寸法（Ｌｃ）が、軸受部（１１）の幅（Ｌｗ）の略半分とされる約３．８ｍｍに設定されたものも使用可能とされる（図示せず）。切欠き部１６ｃの深さＬｃが、軸受部１１の幅Ｌｗの２分の１以下（約３．９ｍｍ以下）に設定された場合、軸受部１１の軸摺接部１１ｓの幅長さＬａが十分に確保される。軸受部１１の軸摺接部１１ｓの幅長さＬａは、例えば、約１ｍｍ以上確保されることが好ましい。
【０１１２】
図２の如く、第一軸受部１１が真半分とされたときの断面積をＳ１，Ｓ２と定め、第二軸受部１２が真半分とされたときの断面積をＳ３，Ｓ４と定める。また、各断面積Ｓ１，Ｓ２，Ｓ３，Ｓ４の総和とされる総面積をＳと定める。また、ピックアップ装置１の重量をＷと定め、許容加速度をＧと定め、ハウジング１０１を形成する材料の許容応力をσと定めたときに、各軸受部１１，１２の総断面積Ｓは、下式（１）に基づいて設定される。
【０１１３】
Ｓ＞〔（Ｗ×Ｇ）／σ〕・・・（１）
式（１）に基づいて、ハウジング１０１の第一軸受部１１および第二軸受部１２の総面積Ｓが定められることにより、ハウジング１０１が衝撃を受けても、ハウジング１０１に設けられた各軸受部１１，１２に割れが生じることは回避される。
【０１１４】
図２，図３の如く、シャフト３１０を備えるハウジング１０１が落下して、シャフト３１０を備えるハウジング１０１に衝撃が加えられたときに、一瞬、大きく弾性変形した長尺状のシャフト３１０が、ハウジング１０１の軸受部１１に当たることで軸受部１１が受ける衝撃力をやわらげる応力緩和部１６ｒ（図３，図４）が、クラック発生防止部１６に設けられている。
【０１１５】
これにより、ハウジング１０１にクラックが生じるという不具合の発生は、より回避され易くなる。例えば、長尺状のシャフト３１０がハウジング１０１の軸受部１１に装備された状態の光ピックアップ装置１が落下して、長尺状シャフト３１０に衝撃が加えられ、そのときに、衝撃が長尺状シャフト３１０を介してハウジング１０１の軸受部１１に伝えられても、衝撃は、ハウジング１０１の軸受部１１に設けられたクラック発生防止用応力緩和部１６ｒにより、やわらげられる。従って、長尺状シャフト３１０を介してハウジング１０１の軸受部１１に衝撃が伝えられ、その結果、軸受部１１からハウジング１０１が割れるという不具合の発生は、防止され易くなる。
【０１１６】
図４の如く、クラック発生防止部１６の応力緩和部１６ｒは、略円錐状の切欠き部１６ｃと、略円錐状の切欠き部１６ｃに続き略丸棒状のシャフト３１０に接する略円筒状の軸摺接部１１ｓとの間に設けられている。
【０１１７】
シャフト３１０が受けた衝撃は、ハウジング１０１の略丸孔状軸受部１１に設けられた
略円錐状の切欠き部１６ｃと、この切欠き部１６ｃに続き略丸棒状のシャフト３１０に接する略円筒状の軸摺接部１１ｓとの間のクラック発生防止用応力緩和部１６ｒによって低減する。従って、ハウジング１０１の軸受部１１は、より割れ難いものとなる。
【０１１８】
クラック発生防止部１６の応力緩和部１６ｒは、略円錐状の切欠き部１６ｃと、略円筒状の軸摺接部１１ｓとを滑らかにつなぐ曲率半径の小さい曲面部１６ｒとして、軸受部１１内に形成されている。
【０１１９】
これにより、ハウジング１０１にクラックが生じるという不具合の発生は、さらに回避され易くなる。長尺状シャフト３１０が軸受部１１に当たることで軸受部１１が受ける衝撃力をやわらげる応力緩和部１６ｒが、曲率半径の小さい曲面部１６ｒとして軸受部１１内に形成されていれば、応力集中は、軸受部１１内に発生され難くなる。「応力集中」とは、例えば応力分布が高度に局在化した状態を意味する。軸受部１１内における応力集中の発生が回避され易くなるので、ハウジング１０１の軸受部１１を起点としたクラックの発生は、回避され易くなる。
【０１２０】
クラック発生防止部１６の曲面部１６ｒは、微小なＲ面取り状に形成されている。「面取り」とは、例えば、面と面との交わりの角（かど）に、斜面または丸みをつけることを意味する。Ｒ面取りとは、例えば、角に丸みがつけられたことを意味する。例えば、クラック発生防止部１６の曲面部１６ｒを微小なＣ面取り状に形成させてもよい。Ｃ面取りとは、例えば、角に斜面がつけられたことを意味する。
【０１２１】
図１，図２の如く、一本のシャフト３１０に対し、ハウジング１０１の本体１０１ｂに、一対の軸受部１１，１２が設けられている。隣り合う一対の軸受部１１，１２の両外側部１１ｗ，１２ｗに、クラック発生防止部１６，１７が形成されている。
【０１２２】
これにより、ハウジング１０１の軸受部１１，１２を起点としたクラックの発生は、より回避され易くなる。例えば、ハウジング１０１に設けられた一対の軸受部１１，１２に一本の長尺状シャフト３１０が装備された状態で、シャフト３１０に衝撃が加えられたときに、長尺状シャフト３１０は、一瞬、大きく撓まされることがある（図２）。その場合、長尺状シャフト３１０は隣り合う一対の軸受部１１，１２の両外側部１１ｗ，１２ｗに設けられた軸受開口部に接することが懸念される。
【０１２３】
ハウジング１０１に一対の軸受部１１，１２が設けられていれば、長尺状シャフト３１０からハウジング１０１に伝えられる衝撃は、一対の軸受部１１，１２に分散される。また、隣り合う一対の軸受部１１，１２の両外側部１１ｗ，１２ｗにクラック発生防止部１６，１７が形成されていれば、一対の軸受部１１，１２のうち何れか一方または両方の外側部１１ｗ，１２ｗを起点としたクラックの発生は、回避され易くなる。従って、光ピックアップ装置１を構成するハウジング１０１は、より割れ難いものとなる。
【０１２４】
ピックアップ装置１の設計／仕様などにより、例えば、一対の軸受部１１，１２の両外側開口部１１ａ，１２ａと、一対の軸受部１１，１２の両内側開口部１１ｂ，１２ｂ（図２）とに、クラック発生防止部１６，１７を構成させてもよい。
【０１２５】
図１の如く、第一シャフト３１０および第二シャフト３２０は、略丸棒状の長尺物状に形成されている。
【０１２６】
また、ハウジング１０１の第一軸受部１１は、略丸孔状に形成されて、略丸状の各開口部１１ａ，１１ｂを有するものとされている。また、クラック発生防止部１６は、第一軸受部１１の略丸状の外側開口部１１ａから軸受部１１の略円筒状内部１１ｎに向けて形成
された略丸孔状の切欠き部１６ｃを有するものとされている。略丸孔状の第一軸受部１１の外側開口部１１ａは、略丸孔状切欠き部１６ｃの開口部１１ａを兼ねて形成されている。
【０１２７】
略丸棒状の長尺物状シャフト３１０がハウジング１０１の略丸孔状の第一軸受部１１に装備されたときに、略丸棒状シャフト３１０の表面部３１０ｆは、略丸孔状の第一軸受部１１に設けられた略丸孔状切欠き部１６ｃの略丸状外側開口部１１ａに非接触とされている。
【０１２８】
また、ハウジング１０１の第二軸受部１２は、略丸孔状に形成されて、略丸状の各開口部１２ａ，１２ｂを有するものとされている。また、クラック発生防止部１７は、第二軸受部１２の略丸状の外側開口部１２ａから軸受部１２の略円筒状内部１２ｎに向けて形成された略丸孔状の切欠き部１７ｃを有するものとされている。略丸孔状の第二軸受部１２の外側開口部１２ａは、略丸孔状切欠き部１７ｃの開口部１２ａを兼ねて形成されている。
【０１２９】
略丸棒状の長尺物状シャフト３１０がハウジング１０１の略丸孔状の第二軸受部１２に装備されたときに、略丸棒状シャフト３１０の表面部３１０ｆは、略丸孔状の第二軸受部１２に設けられた略丸孔状切欠き部１７ｃの略丸状外側開口部１２ａに非接触とされている。
【０１３０】
これにより、ハウジング１０１の軸受部１１，１２の外側開口部１１ａ，１２ａがクラックの起点となって、軸受部１１，１２の外側開口部１１ａ，１２ａからハウジング１０１が割れるということは回避される。略丸棒状の長尺物状シャフト３１０がハウジング１０１の略丸孔状軸受部１１，１２に装備されたときに、略丸棒状シャフト３１０の表面部３１０ｆは、略丸孔状軸受部１１，１２に設けられた略丸孔状切欠き部１６ｃ，１７ｃの略丸状外側開口部１１ａ，１２ａに非接触とされているので、略丸棒状シャフト３１０からハウジング１０１に衝撃が伝えられたときに、ハウジング１０１の略丸孔状軸受部１１，１２の略丸状外側開口部１１ａ，１２ａからハウジング１０１が割れるということは回避される。
【０１３１】
例えば、略丸棒状の長尺状シャフト３１０がハウジング１０１の各略丸孔状軸受部１１，１２に装備された状態の光ピックアップ装置１が落下して、略丸棒状の長尺状シャフト３１０に衝撃が加えられ、そのときに、衝撃が略丸棒状の長尺状シャフト３１０を介してハウジング１０１の略丸孔状軸受部１１，１２の略丸状外側開口部１１ａ，１２ａに伝えられ、その結果、略丸孔状軸受部１１，１２の略丸状外側開口部１１ａ，１２ａを起点としてハウジング１０１が割れるということは、回避される。
【０１３２】
ハウジング１０１は、射出成形が可能であって耐熱性を有する熱可塑性の合成樹脂材料が用いられて形成されている。
【０１３３】
これにより、軽量化されたハウジング１０１を備える光ピックアップ装置１が構成される。一般に、樹脂材料は、金属材料よりも比重が小さい。そのため、樹脂材料が用いられてハウジング１０１が形成されることにより、ハウジング１０１の軽量化が図られる。また、合成樹脂製ハウジング１０１の軸受部１１，１２にクラック発生防止部１６，１７が設けられているので、軸受部１１，１２からハウジング１０１が割れるということは、回避され易くなる。従って、軽量化されると共に軸受部１１，１２から割れ難い合成樹脂製ハウジング１０１を備えた光ピックアップ装置１を、光ディスク装置に光ピックアップ装置１を組み込む光ディスク装置の組立メーカや、光ピックアップ装置１を備えるコンピュータの組立メーカ等に提供することができる。
【０１３４】
射出成形が可能であって耐熱性を有する熱可塑性の合成樹脂材料として、例えば、熱安定性性や、絶縁特性などの電気的特性や、機械的特性や、寸法安定性などに優れるポリフェニレンサルファイド樹脂（poly phenylene sulfide：ＰＰＳ）等のポリアリーレンサルファイド系樹脂などが挙げられる。ＰＰＳを基材としたものとして、例えば、大日本インキ化学工業製：ＤＩＣ（登録商標）等が挙げられる。具体的なＰＰＳとして、例えば、大日本インキ化学工業製：ＤＩＣ・ＰＰＳ＿ＦＺ−２１００等が挙げられる。
【０１３５】
このように、ハウジング１０１は、ＰＰＳなどの合成重合体が基材として用いられ、射出成形法に基づいて形成されている。射出成形法に基づいてハウジング１０１が形成されることにより、例えば、図１，図２に示す複雑な形状のハウジング１０１とされていても、効率よく大量にハウジング１０１が生産される。射出成形が行われることにより、各軸受部１１，１２，９３（図１）は、ハウジング本体１０１ｂに一体成形される。また、ハウジング本体１０１ｂと、各軸受部１１，１２，９３とは、同一の合成樹脂材料によって形成される。
【０１３６】
光ピックアップ装置１に備えられるシャフト３１０，３２０は、金属材料が用いられて形成されている。金属材料として、耐食性に優れるステンレス鋼が用いられた。ステンレス鋼として、例えば、ＳＵＳ３０１，ＳＵＳ３０２，ＳＵＳ３０４などが挙げられる。
【０１３７】
ステンレス鋼が用いられてシャフト３１０，３２０が形成されることにより、例えば、シャフト３１０，３２０が甚だしく腐食して、例えばシャフト３１０，３２０に腐食による錆が発生し、光ピックアップ装置１のハウジング１０１がシャフト３１０，３２０上を精度よく移動できないという不具合の発生は回避される。
【０１３８】
ハウジング１０１を備える光ピックアップ装置１に各シャフト３１０，３２０（図１）が装備されると共に、光ディスク装置（図示せず）のシャーシ（図示せず）に各シャフト３１０，３２０が装備されることで、光ピックアップ装置１を備える光ディスク装置が組み立てられる。
【０１３９】
これにより、ハウジング１０１の割れ対策が行われた光ピックアップ装置１を備える光ディスク装置が構成される。例えば、光ディスク装置が落下して光ディスク装置に衝撃が加えられても、光ディスク装置に装備された光ピックアップ装置１のハウジング１０１が割れるという不具合の発生は、防止され易くなる。従って、衝撃に強い光ピックアップ装置１が装備された光ディスク装置を、コンピュータに光ディスク装置を組み込むコンピュータ組立メーカ等に提供することができる。
【実施例２】
【０１４０】
図５は、本発明に係るピックアップ装置のハウジングの第二実施形態を示す拡大断面図である。
【０１４１】
図１〜図４に示す軸受部１１を備えたハウジング１０１に代えて、図５に示す軸受部２１を備えたハウジング１０２が用いられて、光ピックアップ装置が組み立てられた。図１〜図４に示す一対の軸受部１１，１２の内部形状に対し、一対の軸受部２１（図５）の内部形状だけが異なる。他の部分においては、図１〜図４に示す光ピックアップ装置１のハウジング１０１と、図５に示す光ピックアップ装置のハウジング１０２とは、同一とされている。また、他の部分においては、図１〜図４に示す実施例１の光ピックアップ装置１と、図５に示す実施例２の光ピックアップ装置とは、同じ構成とされている。実施例２において、実施例１にて説明したものと同一のものについては、同一の符号を付し、その詳細な説明を省略した。
【０１４２】
シャフト３１０（図１〜図３）がハウジング１０２（図５）の軸受部２１に装備された状態で、光ピックアップ装置の落下試験が行われる。シャフトを備えるハウジング１０２が落下され、シャフトを備えるハウジング１０２に衝撃が加えられたときに、軸受部２１を起点としたハウジング１０２の割れ発生を防ぐクラック発生防止部２６が、ハウジング１０２の軸受部２１に設けられている。
【０１４３】
これにより、ハウジング１０２の軸受部２１を起点としたクラックが、ハウジング１０２に生じるという不具合の発生は防止され易くなる。ハウジング１０２の軸受部２１にクラック発生防止部２６が設けられることにより、例えば、シャフトがハウジング１０２の軸受部２１に装備された状態で、シャフトに衝撃が加えられ、そのときに、衝撃がシャフトを介してハウジング１０２の軸受部２１に伝えられ、その結果、軸受部２１を起点としてハウジング１０２が割れるということは、回避され易くなる。従って、割れ難いハウジング１０２を備えた光ピックアップ装置を、光ディスク装置に光ピックアップ装置を組み込む光ディスク装置の組立メーカや、光ピックアップ装置を備えるコンピュータの組立メーカ等に提供することができる。
【０１４４】
軸受部２１に設けられたクラック発生防止部２６は、軸受部２１の外側開口部２１ａから軸受部２１の内部２１ｎに向けて深く穿設された切欠き部２６ｃを備えるものとして形成されている。
【０１４５】
これにより、ハウジング１０２の軸受部２１からクラックが生じることは、回避され易くなる。ハウジング１０２の軸受部２１の内部２１ｎに向けて、クラック発生防止用切欠き部２６ｃが、軸受部２１に深く穿設されているので、例えば、シャフトがハウジング１０２の軸受部２１に装備された状態で、シャフトに衝撃が加えられたときに、シャフトは、軸受部２１の内部２１ｎの深い部分に接することとなる。従って、シャフトを介してハウジング１０２の軸受部２１に衝撃が伝えられたときに、例えば、シャフトがハウジング１０２の軸受部２１の外側開口部２１ａに局部接触し、その結果、軸受部２１の外側開口部２１ａからハウジング１０２に割れが生じるということは、回避され易くなる。
【０１４６】
光ピックアップ装置の設計／仕様などにより、例えば、軸受部（２１）に設けられたクラック発生防止部（２６）の応力緩和部（２６ｒ）は、軸受部（２１）の略丸状外側開口部（２１ａ）側から軸受部（２１）の略円筒状内部（２１ｎ）に向けて略漏斗状にすぼめられつつ穿設された略円錐状の切欠き部（２６ｒ）として形成されていてもよい。
【０１４７】
応力緩和部（２６ｒ）は、シャフト（３１０）（図１〜図３）を備えるハウジング（１０２）（図５）が落下して、シャフトを備えるハウジング（１０２）に衝撃が加えられたときに、一瞬、大きく弾性変形した長尺状のシャフト（３１０）（図２，図３）が、ハウジング（１０２）（図５）の軸受部（２１）に当たることで軸受部（２１）が受ける衝撃力を和らげるためのものとされる。
【０１４８】
また、ハウジング（１０２）の軸受部（２１）は、クラック発生防止用の略円錐状切欠き部（２６ｒ）と、略円錐状の切欠き部（２６ｒ）に続きシャフト（３１０）に接する略円筒状の軸摺接部（２１ｓ）とを有するものとして形成されていてもよい。略円筒状の軸摺接部（２１ｓ）の内面（２１ｆ）に対し、略円錐状の切欠き部（２６ｒ）の傾斜面は鈍角に設定されて、傾斜面は、軸受部（２１）の外側開口部（２１ａ）側に向けて広げられていてもよい。
【０１４９】
軸受部２１に設けられたクラック発生防止部２６は、軸受部２１の略丸状外側開口部２１ａから軸受部２１の略円筒状内部２１ｎに向けて穿設された略座ぐり穴状の切欠き部２
６ｃを備えるものとして形成されている。
【０１５０】
ハウジング１０２の軸受部２１の略丸状外側開口部２１ａから軸受部２１の略円筒状内部２１ｎに向けた略座ぐり穴状のクラック発生防止用切欠き部２６ｃが、ハウジング１０２の軸受部２１に穿設されているので、略丸棒状のシャフトがハウジング１０２の略円筒状軸受部２１に装備された状態で、シャフトに衝撃が加えられたときに、例えば、軸受部２１の外側開口部２１ａからハウジング１０２に割れが生じるという不具合の発生は、防止され易くなる。
【０１５１】
ハウジング１０２に設けられた軸受部２１の軸摺接孔２１ｓに、シャフト３１０（図１〜図３）が挿入されたときに、軸受部２１（図５）の軸摺接孔２１ｓと、シャフト３１０（図３）との間に、隙間ＣＬいわゆるクリアランスが形成される。切欠き部２６ｃ（図５）の深さ寸法Ｌｃは、軸受部２１の軸摺接孔２１ｓと、シャフト３１０（図３）との間の隙間寸法ＣＬよりも大きく設定されている。
【０１５２】
これにより、ハウジング１０２（図５）の軸受部２１の開口部２１ａからクラックが生じることは、回避され易くなる。ハウジング１０２の軸受部２１に設けられたクラック発生防止用切欠き部２６ｃの深さ寸法Ｌｃは、軸受部２１の軸摺接孔２１ｓと、シャフト３１０（図３）との間の隙間寸法ＣＬよりも大きく設定されているので、例えば、シャフト３１０がハウジング１０２（図５）の軸受部２１に装備された状態の光ピックアップ装置が落下して、シャフト３１０（図１〜図３）に衝撃が加えられたときに、シャフト３１０は、軸受部２１（図５）の内部２１ｎの比較的深い部分で接する。軸受部２１の内部２１ｎの比較的深い部分にシャフト３１０（図３）が接するので、シャフト３１０を介してハウジング１０２（図５）の軸受部２１に衝撃が伝えられたときに、例えば、ハウジング１０２の軸受部２１の開口部２１ａにシャフト３１０（図３）が局部接触し、その結果、軸受部２１（図５）の開口部２１ａからハウジング１０２が割れるという不具合の発生は、防止され易くなる。
【０１５３】
軸受部２１の軸摺接孔２１ｓの直径Ｄｂは、例えば、３．００２〜３．０１２ｍｍとされる。また、シャフト３１０（図３）の直径Ｄｓは、例えば、２．９８０〜３．０００ｍｍとされる。従って、軸受部２１（図５）の軸摺接孔２１ｓと、シャフト３１０（図３）との間の隙間寸法ＣＬは、０．００２〜０．０３２ｍｍとされる。また、切欠き部２６ｃ（図５）の深さ寸法Ｌｃは、約２ｍｍとされている。
【０１５４】
また、切欠き部２６ｃの深さＬｃは、軸受部２１の幅Ｌｗの５分の１以上に設定されると共に、軸受部２１の幅Ｌｗの５分の４以下に設定されることが好ましい。具体的には、切欠き部２６ｃの深さＬｃは、軸受部２１の幅Ｌｗの２分の１以下に設定されている。
【０１５５】
切欠き部２６ｃの深さＬｃが、軸受部２１の幅Ｌｗの５分の１未満の小さい値とされた場合、切欠き部２６ｃの深さＬｃが少なくなり、切欠き部２６ｃは、クラック発生防止用の切欠き部２６ｃとして機能しないことが懸念される。また、切欠き部２６ｃの深さＬｃが、軸受部２１の幅Ｌｗの５分の４を超える大きい値とされた場合、切欠き部２６ｃの深さＬｃが大きくなりすぎて、軸受部２１の軸摺接部２１ｓの幅長さＬａが不足することが懸念される。
【０１５６】
切欠き部２６ｃの深さ寸法Ｌｃが、例えば、軸受部２１の幅寸法Ｌｗの略４分の１程度に設定されていれば、軸受部２１の軸摺接部２１ｓの幅長さＬａが不足することなく、適度な深さＬｃのクラック発生防止用切欠き部２６ｃが軸受部２１に形成される。軸受部２１の幅寸法Ｌｗは、約７．８ｍｍとされている。また、切欠き部２６ｃの深さ寸法Ｌｃは、約２ｍｍとされている。
【０１５７】
光ピックアップ装置の設計／仕様などにより、例えば、切欠き部（２６ｃ）の深さ寸法（Ｌｃ）が、軸受部（２１）の幅（Ｌｗ）の略半分とされる約３．８ｍｍに設定されたものも使用可能とされる（図示せず）。切欠き部２６ｃの深さＬｃが、軸受部２１の幅Ｌｗの２分の１以下（約３．９ｍｍ以下）に設定された場合、軸受部２１の軸摺接部２１ｓの幅長さＬａが十分に確保される。軸受部２１の軸摺接部２１ｓの幅長さＬａは、例えば、約１ｍｍ以上確保されることが好ましい。
【０１５８】
シャフト３１０（図１〜図３）を備えるハウジング１０２（図５）が落下して、シャフトを備えるハウジング１０２に衝撃が加えられたときに、一瞬、大きく弾性変形した長尺状のシャフト３１０（図２，図３）が、ハウジング１０２（図５）の軸受部２１に当たることで軸受部２１が受ける衝撃力をやわらげる応力緩和部２６ｒが、クラック発生防止部２６に設けられている。
【０１５９】
これにより、ハウジング１０２にクラックが生じるという不具合の発生は、より回避され易くなる。例えば、長尺状のシャフトがハウジング１０２の軸受部２１に装備された状態で、長尺状シャフトに衝撃が加えられ、そのときに、衝撃が長尺状シャフトを介してハウジング１０２の軸受部２１に伝えられても、衝撃は、ハウジング１０２の軸受部２１に設けられたクラック発生防止用応力緩和部２６ｒにより、やわらげられる。従って、長尺状シャフトを介してハウジング１０２の軸受部２１に衝撃が伝えられ、その結果、軸受部２１からハウジング１０２が割れるという不具合の発生は、防止され易くなる。
【０１６０】
略座ぐり穴状の切欠き部２６ｃは、略円筒状の側面部２６ｆと、側面部２６ｆに略直交する略円環状の底面部２６ｅとを有するものとして形成されている。略座ぐり穴状の切欠き部２６ｃに続き、略丸棒状のシャフトに接する略円筒状の軸摺接部２１ｓが、軸受部２１に設けられている。略丸棒状のシャフトが接する略円筒状軸摺接部２１ｓの内面部２１ｆに対し、略座ぐり穴状切欠き部２６ｃの略円環状底面部２６ｅは、略直交して軸受部２１内に設けられている。クラック発生防止部２６の応力緩和部２６ｒは、略座ぐり穴状の切欠き部２６ｃの底面部２６ｅと、底面部２６ｅに略直交すると共に切欠き部２６ｃに続きシャフトに接する略円筒状の軸摺接部２１ｓとの間に設けられている。
【０１６１】
シャフトが受けた衝撃は、略座ぐり穴状の切欠き部２６ｃの底面部２６ｅと、この底面部２６ｅに略直交すると共に切欠き部２６ｃに続き略丸棒状のシャフトに接する略円筒状の軸摺接部２１ｓとの間のクラック発生防止用応力緩和部２６ｒによって低減する。従って、軸受部２１からハウジング１０２が割れるという不具合の発生は、防止され易くなる。
【０１６２】
光ピックアップ装置の設計／仕様などにより、例えば、略円筒状軸摺接部（２１ｓ）の内面部（２１ｆ）に対し、略座ぐり穴状切欠き部（２６ｃ）の略円環状底面部（２６ｅ）が傾斜され、底面部（２６ｅ）が略丸孔状の軸受部（２１）の内部（２１ｎ）に向けてすぼめられて形成されたものも使用可能とされる（図示せず）。具体的に説明すると、略円筒状の軸摺接部（２１ｓ）の内面（２１ｆ）に対し、略座ぐり穴状の切欠き部（２６ｃ）の底面部（２６ｅ）は鈍角に設定されて、底面部（２６ｅ）が軸受部（２１）の外側開口部（２１ａ）に向けて傾斜面状に広げられたものも使用可能とされる。このような略座ぐり穴状の切欠き部は、例えば、皿ねじに対応した形状の座ぐり穴状切欠き部とされる。
【０１６３】
クラック発生防止部２６の応力緩和部２６ｒは、略座ぐり穴状の切欠き部２６ｃと、略円筒状の軸摺接部２１ｓとを滑らかにつなぐ曲率半径の小さい曲面部２６ｒとして、軸受部２１内に形成されている。
【０１６４】
これにより、ハウジング１０２にクラックが生じるという不具合の発生は、さらに回避され易くなる。長尺状シャフトが軸受部２１に当たることで軸受部２１が受ける衝撃力をやわらげる応力緩和部２６ｒが、曲率半径の小さい曲面部２６ｒとして軸受部２１内に形成されていれば、応力集中は、軸受部２１内に発生され難くなる。軸受部２１内における応力集中の発生が回避され易くなるので、ハウジング１０２の軸受部２１を起点としたクラックの発生は、回避され易くなる。
【０１６５】
クラック発生防止部２６の曲面部２６ｒは、微小なＲ面取り状に形成されている。例えば、クラック発生防止部２６の曲面部２６ｒを微小なＣ面取り状に形成させてもよい。
【０１６６】
一本のシャフト３１０（図１，図２）に対し、ハウジング１０２（図５）の本体１０２ｂに、一対の軸受部２１が設けられている。図２に示す一対の軸受部１１，１２と同じく、ハウジング本体１０２ｂ（図５）の上側に、一対の軸受部２１が左右対称に形成されている。隣り合う一対の軸受部２１の両外側部２１ｗに、クラック発生防止部２６が形成されている。
【０１６７】
これにより、ハウジング１０２の軸受部２１を起点としたクラックの発生は、より回避され易くなる。例えば、ハウジング１０２に設けられた一対の軸受部２１に一本の長尺状シャフト３１０（図１，図２）が装備された状態で、シャフト３１０に衝撃が加えられたときに、長尺状シャフト３１０は、一瞬、大きく撓まされることがある（図２）。その場合、長尺状シャフト３１０は隣り合う一対の軸受部２１（図５）の両外側部２１ｗに設けられた軸受開口部に接することが懸念される。
【０１６８】
ハウジング１０２に一対の軸受部２１が設けられていれば、長尺状シャフト３１０（図１，図２）からハウジング１０２（図５）に伝えられる衝撃は、一対の軸受部２１に分散される。また、隣り合う一対の軸受部２１の両外側部２１ｗにクラック発生防止部２６が形成されていれば、一対の軸受部２１のうち何れか一方または両方の外側部２１ｗを起点としたクラックの発生は、回避され易くなる。従って、光ピックアップ装置を構成するハウジング１０２は、より割れ難いものとなる。
【０１６９】
ピックアップ装置の設計／仕様などにより、例えば、一対の軸受部２１の両外側開口部２１ａと、一対の軸受部２１の両内側開口部２１ｂとに、クラック発生防止部２６を構成させてもよい。
【０１７０】
ハウジング１０２の軸受部２１は、略丸孔状に形成されて、略丸状の各開口部２１ａ，２１ｂを有するものとされている。また、クラック発生防止部２６は、軸受部２１の略丸状の外側開口部２１ａから軸受部２１の略円筒状内部２１ｎに向けて形成された略丸孔状の切欠き部２６ｃを有するものとされている。略丸孔状の軸受部２１の外側開口部２１ａは、略丸孔状切欠き部２６ｃの開口部２１ａを兼ねて形成されている。
【０１７１】
略丸棒状の長尺物状シャフト３１０（図１〜図３）がハウジング１０２（図５）の略丸孔状の軸受部２１に装備されたときに、略丸棒状シャフト３１０（図３）の表面部３１０ｆは、略丸孔状の軸受部２１（図５）に設けられた略丸孔状切欠き部２６ｃの略丸状外側開口部２１ａに非接触とされる。
【０１７２】
これにより、ハウジング１０２の軸受部２１の外側開口部２１ａがクラックの起点となって、軸受部２１の外側開口部２１ａからハウジング１０２が割れるということは回避される。略丸棒状の長尺物状シャフト３１０（図１〜図３）がハウジング１０２（図５）の略丸孔状軸受部２１に装備されたときに、略丸棒状シャフト３１０（図１〜図３）の表面部３１０ｆは、略丸孔状軸受部２１（図５）に設けられた略丸孔状切欠き部２６ｃの略丸
状外側開口部２１ａに非接触とされるので、略丸棒状シャフト３１０（図１〜図３）からハウジング１０２（図５）に衝撃が伝えられたときに、ハウジング１０２の略丸孔状軸受部２１の略丸状外側開口部２１ａからハウジング１０２が割れるということは回避される。
【０１７３】
例えば、略丸棒状の長尺状シャフト３１０（図１〜図３）がハウジング１０２（図５）の各略丸孔状軸受部２１に装備された状態で、略丸棒状の長尺状シャフト３１０（図１〜図３）に衝撃が加えられ、そのときに、衝撃が略丸棒状の長尺状シャフト３１０を介してハウジング１０２（図５）の略丸孔状軸受部２１の略丸状外側開口部２１ａに伝えられ、その結果、略丸孔状軸受部２１の略丸状外側開口部２１ａを起点としてハウジング１０２が割れるということは、回避される。
【０１７４】
ハウジング１０２は、射出成形が可能であって耐熱性を有する熱可塑性の合成樹脂材料が用いられて形成されている。
【０１７５】
これにより、軽量化されたハウジング１０２を備える光ピックアップ装置が構成される。一般に、樹脂材料は、金属材料よりも比重が小さい。そのため、樹脂材料が用いられてハウジング１０２が形成されることにより、ハウジング１０２の軽量化が図られる。また、合成樹脂製ハウジング１０２の軸受部２１にクラック発生防止部２６が設けられているので、軸受部２１からハウジング１０２が割れるということは、回避され易くなる。従って、軽量化されると共に軸受部２１から割れ難い合成樹脂製ハウジング１０２を備えた光ピックアップ装置を、光ディスク装置に光ピックアップ装置を組み込む光ディスク装置の組立メーカや、光ピックアップ装置を備えるコンピュータの組立メーカ等に提供することができる。
【０１７６】
射出成形が可能であって耐熱性を有する熱可塑性の合成樹脂材料として、例えば、熱安定性性や、絶縁特性などの電気的特性や、機械的特性や、寸法安定性などに優れるＰＰＳなどが挙げられる。
【０１７７】
このように、ハウジング１０２は、ＰＰＳなどの合成重合体が基材として用いられ、射出成形法に基づいて形成されている。射出成形法に基づいてハウジング１０２が形成されることにより、例えば複雑な形状のハウジング１０２とされていても、効率よく大量にハウジング１０２が生産される。射出成形が行われることにより、各軸受部２１は、ハウジング本体１０２ｂに一体成形される。また、ハウジング本体１０２ｂと、各軸受部２１とは、同一の合成樹脂材料によって形成される。
【０１７８】
ハウジング１０２を備える光ピックアップ装置に各シャフト３１０，３２０（図１）が装備されると共に、光ディスク装置（図示せず）のシャーシ（図示せず）に各シャフト３１０，３２０が装備されることで、光ピックアップ装置を備える光ディスク装置が組み立てられる。
【０１７９】
これにより、ハウジング１０２の割れ対策が行われた光ピックアップ装置を備える光ディスク装置が構成される。例えば、光ディスク装置が落下して光ディスク装置に衝撃が加えられても、光ディスク装置に装備された光ピックアップ装置のハウジング１０２が割れるという不具合の発生は、防止され易くなる。従って、衝撃に強い光ピックアップ装置が装備された光ディスク装置を、コンピュータに光ディスク装置を組み込むコンピュータ組立メーカ等に提供することができる。
【実施例３】
【０１８０】
図６は、本発明に係るピックアップ装置のハウジングの第三実施形態を示す拡大断面図
である。
【０１８１】
図１〜図４に示す軸受部１１を備えたハウジング１０１に代えて、図６に示す軸受部３１を備えたハウジング１０３が用いられて、光ピックアップ装置が組み立てられた。図１〜図４に示す一対の軸受部１１，１２の内部形状に対し、一対の軸受部３１（図６）の内部形状だけが異なる。他の部分においては、図１〜図４に示す光ピックアップ装置１のハウジング１０１と、図６に示す光ピックアップ装置のハウジング１０３とは、同一とされている。また、他の部分においては、図１〜図４に示す実施例１の光ピックアップ装置１と、図６に示す実施例３の光ピックアップ装置とは、同じ構成とされている。実施例３において、実施例１にて説明したものと同一のものについては、同一の符号を付し、その詳細な説明を省略した。
【０１８２】
シャフト３１０（図１〜図３）がハウジング１０３（図６）の軸受部３１に装備された状態で、光ピックアップ装置の落下試験が行われる。シャフトを備えるハウジング１０３が落下され、シャフトを備えるハウジング１０３に衝撃が加えられたときに、軸受部３１を起点としたハウジング１０３の割れ発生を防ぐクラック発生防止部３６が、ハウジング１０３の軸受部３１に設けられている。
【０１８３】
これにより、ハウジング１０３の軸受部３１を起点としたクラックが、ハウジング１０３に生じるという不具合の発生は防止され易くなる。ハウジング１０３の軸受部３１にクラック発生防止部３６が設けられることにより、例えば、シャフトがハウジング１０３の軸受部３１に装備された状態で、シャフトに衝撃が加えられ、そのときに、衝撃がシャフトを介してハウジング１０３の軸受部３１に伝えられ、その結果、軸受部３１を起点としてハウジング１０３が割れるということは、回避され易くなる。従って、割れ難いハウジング１０３を備えた光ピックアップ装置を、光ディスク装置に光ピックアップ装置を組み込む光ディスク装置の組立メーカや、光ピックアップ装置を備えるコンピュータの組立メーカ等に提供することができる。
【０１８４】
軸受部３１に設けられたクラック発生防止部３６は、軸受部３１の外側開口部３１ａから軸受部３１の内部３１ｎに向けて深く穿設された切欠き部３６ｃ，３６ｄを備えるものとして形成されている。
【０１８５】
これにより、ハウジング１０３の軸受部３１からクラックが生じることは、回避され易くなる。ハウジング１０３の軸受部３１の内部３１ｎに向けて、クラック発生防止用切欠き部３６ｃ，３６ｄが、軸受部３１に深く穿設されているので、例えば、シャフトがハウジング１０３の軸受部３１に装備された状態で、シャフトに衝撃が加えられたときに、シャフトは、軸受部３１の内部３１ｎの深い部分に接することとなる。従って、シャフトを介してハウジング１０３の軸受部３１に衝撃が伝えられたときに、例えば、シャフトがハウジング１０３の軸受部３１の外側開口部３１ａに局部接触し、その結果、軸受部３１の外側開口部３１ａからハウジング１０３に割れが生じるということは、回避され易くなる。
【０１８６】
軸受部３１に設けられたクラック発生防止部３６は、軸受部３１の略丸状外側開口部３１ａから軸受部３１の略円筒状内部３１ｎに向けて穿設された略円筒状の大径切欠き部３６ｄと、略円筒状大径切欠き部３６ｄに続き軸受部３１の略円筒状小径内部３１ｎに向けてすぼめられつつ穿設された略円錐状の切欠き部３６ｃとを備えるものとして形成されている。
【０１８７】
ハウジング１０３の軸受部３１の略丸状外側開口部３１ａから軸受部３１の略円筒状内部３１ｎに向けて形成された略円筒状の大径切欠き部３６ｄと、略円筒状大径切欠き部３
６ｄに続き軸受部３１の略円筒状小径内部３１ｎに向けてすぼめられた略円錐状のクラック発生防止用切欠き部３６ｃとが、ハウジング１０３の軸受部３１に穿設されているので、例えば、略丸棒状のシャフトがハウジング１０３の略円筒状軸受部３１に装備された状態で、シャフトに衝撃が加えられたときに、シャフトがハウジング１０３の軸受開口部３１ａに局部接触して、ハウジング１０３の軸受開口部３１ａの一部に衝撃力が異常に集中するということは回避され易くなる。従って、ハウジング１０３の軸受開口部３１ａから割れが生じるという不具合の発生は、防止され易くなる。
【０１８８】
ハウジング１０３の軸受部３１は、クラック発生防止用の略円筒状の大径切欠き部３６ｄと、略円筒状の大径切欠き部３６ｄに続くクラック発生防止用の略円錐状切欠き部３６ｃと、略円錐状の切欠き部３６ｃに続きシャフトに接する略円筒状の小径軸摺接部３１ｓとを有するものとして形成されている。略円筒状の軸摺接部３１ｓの内面３１ｆに対し、略円錐状の切欠き部３６ｃの傾斜面３６ｆは鈍角に設定されて、傾斜面３６ｆは、軸受部３１の外側開口部３１ａに向けて広げられている。略円筒状軸摺接部３１ｓの内面３１ｆに対し、略円錐状切欠き部３６ｃの傾斜面３６ｆの角度ＡＬｑは、約１３５度に設定されている。
【０１８９】
ハウジング１０３の軸受部３１の内部形状が、図６に示す形状に形成されていれば、ハウジング１０３の軸受部３１の外側開口部３１ａにクラックが生じることは、回避され易くなる。軸受部３１の略円筒状小径軸摺接部３１ｓの内面３１ｆに対し、略円錐状をしたクラック発生防止用切欠き部３６ｃの傾斜面３６ｆは鈍角に設定され、クラック発生防止用切欠き部３６ｃの傾斜面３６ｆは、軸受部３１の外側開口部３１ａに向けて広げられ、その先に略円筒状大径切欠き部３６ｄが続いて外側開口部３１ａが設けられているので、略丸棒状のシャフトがハウジング１０３の略円筒状軸受部３１に装備された状態で、シャフトに衝撃が加えられたときに、例えば、シャフトがハウジング１０３の軸受部３１の外側開口部３１ａに局部接触して、ハウジング１０３の軸受部３１の外側開口部３１ａに衝撃力が異常に集中するということは回避され易くなる。従って、軸受部３１の外側開口部３１ａからハウジング１０３に割れが生じるという不具合の発生は、防止され易くなる。
【０１９０】
略円錐状傾斜面３６ｆの角度ＡＬｑの度合いにより、切欠き部３６ｃ，３６ｄは、例えば、略座ぐり穴形状に形成される。略円錐状傾斜面３６ｆの角度ＡＬｑの度合いにより、切欠き部３６ｃ，３６ｄは、例えば、軸受部３１の略丸状外側開口部３１ａから軸受部３１の略円筒状内部３１ｎに向けて穿設された略座ぐり穴形状に形成される。
【０１９１】
略円筒状軸摺接部３１ｓの内面３１ｆに対し、略円錐状切欠き部３６ｃの傾斜面３６ｆの角度ＡＬｑは、例えば、略１３０度以上略１７０度以下に設定されるとよい。角度ＡＬｑが１３０度よりも小さい角度とされた場合、略円錐状の切欠き部３６ｃと、略円錐状の切欠き部３６ｃに続く略円筒状の軸摺接部３１ｓとの間の応力緩和部３６ｒにシャフトが当てられたときに、応力緩和部３６ｒに力が集中され易くなる。角度ＡＬｑが１７０度よりも大きい角度とされた場合、略丸状の外側開口部３１ａの直径Ｄａと、略円筒状の軸摺接部３１ｓの直径Ｄｂとの差が少なくなり、切欠き部３６ｃがクラック発生防止用切欠き部３６ｃとして機能され難くなる。このようなことから、角度ＡＬｑは、例えば、約１３５度程度に設定されることが好ましい。
【０１９２】
ハウジング１０３に設けられた軸受部３１の軸摺接孔３１ｓに、シャフト３１０（図１〜図３）が挿入されたときに、軸受部３１（図６）の軸摺接孔３１ｓと、シャフト３１０（図３）との間に、隙間ＣＬいわゆるクリアランスが形成される。切欠き部３６ｃ（図６）の深さ寸法Ｌｃは、軸受部３１の軸摺接孔３１ｓと、シャフト３１０（図３）との間の隙間寸法ＣＬよりも大きく設定されている。
【０１９３】
これにより、ハウジング１０３（図６）の軸受部３１の開口部３１ａからクラックが生じることは、回避され易くなる。ハウジング１０３の軸受部３１に設けられたクラック発生防止用切欠き部３６ｃの深さ寸法Ｌｃは、軸受部３１の軸摺接孔３１ｓと、シャフト３１０（図３）との間の隙間寸法ＣＬよりも大きく設定されているので、例えば、シャフト３１０がハウジング１０３（図６）の軸受部３１に装備された状態の光ピックアップ装置が落下して、シャフト３１０（図１〜図３）に衝撃が加えられたときに、シャフト３１０は、軸受部３１（図６）の内部３１ｎの比較的深い部分で接する。軸受部３１の内部３１ｎの比較的深い部分にシャフト３１０（図３）が接するので、シャフト３１０を介してハウジング１０３（図６）の軸受部３１に衝撃が伝えられたときに、例えば、ハウジング１０３の軸受部３１の開口部３１ａにシャフト３１０（図３）が局部接触し、その結果、軸受部３１（図６）の開口部３１ａからハウジング１０３が割れるという不具合の発生は、防止され易くなる。
【０１９４】
軸受部３１の軸摺接孔３１ｓの直径Ｄｂは、例えば、３．００２〜３．０１２ｍｍとされる。また、シャフト３１０（図３）の直径Ｄｓは、例えば、２．９８０〜３．０００ｍｍとされる。従って、軸受部３１（図６）の軸摺接孔３１ｓと、シャフト３１０（図３）との間の隙間寸法ＣＬは、０．００２〜０．０３２ｍｍとされる。また、切欠き部３６ｃ（図６）の深さ寸法Ｌｃは、約２ｍｍとされている。
【０１９５】
また、切欠き部３６ｃ，３６ｄの深さＬｃは、軸受部３１の幅Ｌｗの５分の１以上に設定されると共に、軸受部３１の幅Ｌｗの５分の４以下に設定されることが好ましい。具体的には、切欠き部３６ｃ，３６ｄの深さＬｃは、軸受部３１の幅Ｌｗの２分の１以下に設定されている。
【０１９６】
切欠き部３６ｃ，３６ｄの深さＬｃが、軸受部３１の幅Ｌｗの５分の１未満の小さい値とされた場合、切欠き部３６ｃ，３６ｄの深さＬｃが少なくなり、切欠き部３６ｃ，３６ｄは、クラック発生防止用の切欠き部３６ｃ，３６ｄとして機能しないことが懸念される。また、切欠き部３６ｃ，３６ｄの深さＬｃが、軸受部３１の幅Ｌｗの５分の４を超える大きい値とされた場合、切欠き部３６ｃ，３６ｄの深さＬｃが大きくなりすぎて、軸受部３１の軸摺接部３１ｓの幅長さＬａが不足することが懸念される。
【０１９７】
切欠き部３６ｃ，３６ｄの深さ寸法Ｌｃが、例えば、軸受部３１の幅寸法Ｌｗの略４分の１程度に設定されていれば、軸受部３１の軸摺接部３１ｓの幅長さＬａが不足することなく、適度な深さＬｃのクラック発生防止用切欠き部３６ｃ，３６ｄが軸受部３１に形成される。軸受部３１の幅寸法Ｌｗは、約７．８ｍｍとされている。また、切欠き部３６ｃ，３６ｄの深さ寸法Ｌｃは、約２ｍｍとされている。
【０１９８】
光ピックアップ装置の設計／仕様などにより、例えば、切欠き部（３６ｃ，３６ｄ）の深さ寸法（Ｌｃ）が、軸受部（３１）の幅（Ｌｗ）の略半分とされる約３．８ｍｍに設定されたものも使用可能とされる（図示せず）。切欠き部３６ｃ，３６ｄの深さＬｃが、軸受部３１の幅Ｌｗの２分の１以下（約３．９ｍｍ以下）に設定された場合、軸受部３１の軸摺接部３１ｓの幅長さＬａが十分に確保される。軸受部３１の軸摺接部３１ｓの幅長さＬａは、例えば、約１ｍｍ以上確保されることが好ましい。
【０１９９】
シャフト３１０（図１〜図３）を備えるハウジング１０３（図６）が落下して、シャフトを備えるハウジング１０３に衝撃が加えられたときに、一瞬、大きく弾性変形した長尺状のシャフト３１０（図２，図３）が、ハウジング１０３（図６）の軸受部３１に当たることで軸受部３１が受ける衝撃力をやわらげる応力緩和部３６ｒが、クラック発生防止部３６に設けられている。
【０２００】
これにより、ハウジング１０３にクラックが生じるという不具合の発生は、より回避され易くなる。例えば、長尺状のシャフトがハウジング１０３の軸受部３１に装備された状態で、長尺状シャフトに衝撃が加えられ、そのときに、衝撃が長尺状シャフトを介してハウジング１０３の軸受部３１に伝えられても、衝撃は、ハウジング１０３の軸受部３１に設けられたクラック発生防止用応力緩和部３６ｒにより、やわらげられる。従って、長尺状シャフトを介してハウジング１０３の軸受部３１に衝撃が伝えられ、その結果、軸受部３１からハウジング１０３が割れるという不具合の発生は、防止され易くなる。
【０２０１】
クラック発生防止部３６の応力緩和部３６ｒは、略円錐状の切欠き部３６ｃと、略円錐状の切欠き部３６ｃに続き略丸棒状のシャフトに接する略円筒状の軸摺接部３１ｓとの間に設けられている。
【０２０２】
シャフトが受けた衝撃は、ハウジング１０３の略丸孔状軸受部３１に設けられた略円錐状の切欠き部３６ｃと、この切欠き部３６ｃに続き略丸棒状のシャフトに接する略円筒状の軸摺接部３１ｓとの間のクラック発生防止用応力緩和部３６ｒによって低減する。従って、ハウジング１０３の軸受部３１は、より割れ難いものとなる。
【０２０３】
クラック発生防止部３６の応力緩和部３６ｒは、略円錐状の切欠き部３６ｃと、略円筒状の軸摺接部３１ｓとを滑らかにつなぐ曲率半径の小さい曲面部３６ｒとして、軸受部３１内に形成されている。
【０２０４】
これにより、ハウジング１０３にクラックが生じるという不具合の発生は、さらに回避され易くなる。長尺状シャフトが軸受部３１に当たることで軸受部３１が受ける衝撃力をやわらげる応力緩和部３６ｒが、曲率半径の小さい曲面部３６ｒとして軸受部３１内に形成されていれば、応力集中は、軸受部３１内に発生され難くなる。軸受部３１内における応力集中の発生が回避され易くなるので、ハウジング１０３の軸受部３１を起点としたクラックの発生は、回避され易くなる。
【０２０５】
クラック発生防止部３６の曲面部３６ｒは、微小なＲ面取り状に形成されている。例えば、クラック発生防止部３６の曲面部３６ｒを微小なＣ面取り状に形成させてもよい。
【０２０６】
一本のシャフト３１０（図１，図２）に対し、ハウジング１０３（図６）の本体１０３ｂに、一対の軸受部３１が設けられている。図２に示す一対の軸受部１１，１２と同じく、ハウジング本体１０３ｂ（図６）の上側に、一対の軸受部３１が左右対称に形成されている。隣り合う一対の軸受部３１の両外側部３１ｗに、クラック発生防止部３６が形成されている。
【０２０７】
これにより、ハウジング１０３の軸受部３１を起点としたクラックの発生は、より回避され易くなる。例えば、ハウジング１０３に設けられた一対の軸受部３１に一本の長尺状シャフト３１０（図１，図２）が装備された状態で、シャフト３１０に衝撃が加えられたときに、長尺状シャフト３１０は、一瞬、大きく撓まされることがある（図２）。その場合、長尺状シャフト３１０は隣り合う一対の軸受部３１（図６）の両外側部３１ｗに設けられた軸受開口部に接することが懸念される。
【０２０８】
ハウジング１０３に一対の軸受部３１が設けられていれば、長尺状シャフト３１０（図１，図２）からハウジング１０３（図６）に伝えられる衝撃は、一対の軸受部３１に分散される。また、隣り合う一対の軸受部３１の両外側部３１ｗにクラック発生防止部３６が形成されていれば、一対の軸受部３１のうち何れか一方または両方の外側部３１ｗを起点としたクラックの発生は、回避され易くなる。従って、光ピックアップ装置を構成するハウジング１０３は、より割れ難いものとなる。
【０２０９】
ピックアップ装置の設計／仕様などにより、例えば、一対の軸受部３１の両外側開口部３１ａと、一対の軸受部３１の両内側開口部３１ｂとに、クラック発生防止部３６を構成させてもよい。
【０２１０】
ハウジング１０３の軸受部３１は、略丸孔状に形成されて、略丸状の各開口部３１ａ，３１ｂを有するものとされている。また、クラック発生防止部３６は、軸受部３１の略丸状の外側開口部３１ａから軸受部３１の略円筒状内部３１ｎに向けて形成された略丸孔状の切欠き部３６ｃを有するものとされている。略丸孔状の軸受部３１の外側開口部３１ａは、略丸孔状切欠き部３６ｃの開口部３１ａを兼ねて形成されている。
【０２１１】
略丸棒状の長尺物状シャフト３１０（図１〜図３）がハウジング１０３（図６）の略丸孔状の軸受部３１に装備されたときに、略丸棒状シャフト３１０（図３）の表面部３１０ｆは、略丸孔状の軸受部３１（図６）に設けられた略丸孔状切欠き部３６ｃの略丸状外側開口部３１ａに非接触とされる。
【０２１２】
これにより、ハウジング１０３の軸受部３１の外側開口部３１ａがクラックの起点となって、軸受部３１の外側開口部３１ａからハウジング１０３が割れるということは回避される。略丸棒状の長尺物状シャフト３１０（図１〜図３）がハウジング１０３（図６）の略丸孔状軸受部３１に装備されたときに、略丸棒状シャフト３１０（図１〜図３）の表面部３１０ｆは、略丸孔状軸受部３１（図６）に設けられた略丸孔状切欠き部３６ｃの略丸状外側開口部３１ａに非接触とされるので、略丸棒状シャフト３１０（図１〜図３）からハウジング１０３（図６）に衝撃が伝えられたときに、ハウジング１０３の略丸孔状軸受部３１の略丸状外側開口部３１ａからハウジング１０３が割れるということは回避される。
【０２１３】
例えば、略丸棒状の長尺状シャフト３１０（図１〜図３）がハウジング１０３（図６）の各略丸孔状軸受部３１に装備された状態で、略丸棒状の長尺状シャフト３１０（図１〜図３）に衝撃が加えられ、そのときに、衝撃が略丸棒状の長尺状シャフト３１０を介してハウジング１０３（図６）の略丸孔状軸受部３１の略丸状外側開口部３１ａに伝えられ、その結果、略丸孔状軸受部３１の略丸状外側開口部３１ａを起点としてハウジング１０３が割れるということは、回避される。
【０２１４】
ハウジング１０３は、射出成形が可能であって耐熱性を有する熱可塑性の合成樹脂材料が用いられて形成されている。
【０２１５】
これにより、軽量化されたハウジング１０３を備える光ピックアップ装置が構成される。一般に、樹脂材料は、金属材料よりも比重が小さい。そのため、樹脂材料が用いられてハウジング１０３が形成されることにより、ハウジング１０３の軽量化が図られる。また、合成樹脂製ハウジング１０３の軸受部３１にクラック発生防止部３６が設けられているので、軸受部３１からハウジング１０３が割れるということは、回避され易くなる。従って、軽量化されると共に軸受部３１から割れ難い合成樹脂製ハウジング１０３を備えた光ピックアップ装置を、光ディスク装置に光ピックアップ装置を組み込む光ディスク装置の組立メーカや、光ピックアップ装置を備えるコンピュータの組立メーカ等に提供することができる。
【０２１６】
射出成形が可能であって耐熱性を有する熱可塑性の合成樹脂材料として、例えば、熱安定性性や、絶縁特性などの電気的特性や、機械的特性や、寸法安定性などに優れるＰＰＳなどが挙げられる。
【０２１７】
このように、ハウジング１０３は、ＰＰＳなどの合成重合体が基材として用いられ、射出成形法に基づいて形成されている。射出成形法に基づいてハウジング１０３が形成されることにより、例えば複雑な形状のハウジング１０３とされていても、効率よく大量にハウジング１０３が生産される。射出成形が行われることにより、各軸受部３１は、ハウジング本体１０３ｂに一体成形される。また、ハウジング本体１０３ｂと、各軸受部３１とは、同一の合成樹脂材料によって形成される。
【０２１８】
ハウジング１０３を備える光ピックアップ装置に各シャフト３１０，３２０（図１）が装備されると共に、光ディスク装置（図示せず）のシャーシ（図示せず）に各シャフト３１０，３２０が装備されることで、光ピックアップ装置を備える光ディスク装置が組み立てられる。
【０２１９】
これにより、ハウジング１０３の割れ対策が行われた光ピックアップ装置を備える光ディスク装置が構成される。例えば、光ディスク装置が落下して光ディスク装置に衝撃が加えられても、光ディスク装置に装備された光ピックアップ装置のハウジング１０３が割れるという不具合の発生は、防止され易くなる。従って、衝撃に強い光ピックアップ装置が装備された光ディスク装置を、コンピュータに光ディスク装置を組み込むコンピュータ組立メーカ等に提供することができる。
【実施例４】
【０２２０】
図７は、本発明に係るピックアップ装置のハウジングの第四実施形態を示す拡大断面図である。
【０２２１】
図１〜図４に示す軸受部１１を備えたハウジング１０１に代えて、図７に示す軸受部４１を備えたハウジング１０４が用いられて、光ピックアップ装置が組み立てられた。図１〜図４に示す一対の軸受部１１，１２の内部形状に対し、一対の軸受部４１（図７）の内部形状だけが異なる。他の部分においては、図１〜図４に示す光ピックアップ装置１のハウジング１０１と、図７に示す光ピックアップ装置のハウジング１０４とは、同一とされている。また、他の部分においては、図１〜図４に示す実施例１の光ピックアップ装置１と、図７に示す実施例４の光ピックアップ装置とは、同じ構成とされている。実施例４において、実施例１にて説明したものと同一のものについては、同一の符号を付し、その詳細な説明を省略した。
【０２２２】
シャフト３１０（図１〜図３）がハウジング１０４（図７）の軸受部４１に装備された状態で、光ピックアップ装置の落下試験が行われる。シャフトを備えるハウジング１０４が落下され、シャフトを備えるハウジング１０４に衝撃が加えられたときに、軸受部４１を起点としたハウジング１０４の割れ発生を防ぐクラック発生防止部４６が、ハウジング１０４の軸受部４１に設けられている。
【０２２３】
これにより、ハウジング１０４の軸受部４１を起点としたクラックが、ハウジング１０４に生じるという不具合の発生は防止され易くなる。ハウジング１０４の軸受部４１にクラック発生防止部４６が設けられることにより、例えば、シャフトがハウジング１０４の軸受部４１に装備された状態で、シャフトに衝撃が加えられ、そのときに、衝撃がシャフトを介してハウジング１０４の軸受部４１に伝えられ、その結果、軸受部４１を起点としてハウジング１０４が割れるということは、回避され易くなる。従って、割れ難いハウジング１０４を備えた光ピックアップ装置を、光ディスク装置に光ピックアップ装置を組み込む光ディスク装置の組立メーカや、光ピックアップ装置を備えるコンピュータの組立メーカ等に提供することができる。
【０２２４】
軸受部４１に設けられたクラック発生防止部４６は、軸受部４１の内側開口部４１ｂか
ら軸受部４１の内部４１ｎに向けて深く穿設された切欠き部４６ｃを備えるものとして形成されている。
【０２２５】
これにより、ハウジング１０４の軸受部４１からクラックが生じることは、回避され易くなる。ハウジング１０４の軸受部４１の内部４１ｎに向けて、クラック発生防止用切欠き部４６ｃが、軸受部４１に深く穿設されているので、例えば、シャフトがハウジング１０４の軸受部４１に装備された状態で、シャフトに衝撃が加えられたときに、シャフトは、軸受部４１の内部４１ｎの深い部分に接することとなる。従って、シャフトを介してハウジング１０４の軸受部４１に衝撃が伝えられたときに、例えば、シャフトがハウジング１０４の軸受部４１の内側開口部４１ｂに局部接触し、その結果、軸受部４１の内側開口部４１ｂからハウジング１０４に割れが生じるということは、回避され易くなる。
【０２２６】
軸受部４１に設けられたクラック発生防止部４６は、軸受部４１の略丸状内側開口部４１ｂから軸受部４１の略円筒状内部４１ｎに向けて略漏斗状にすぼめられつつ穿設された略円錐状の切欠き部４６ｃを備えるものとして形成されている。
【０２２７】
ハウジング１０４の軸受部４１の略丸状内側開口部４１ｂから軸受部４１の略円筒状内部４１ｎに向けて略漏斗状にすぼめられた略円錐状のクラック発生防止用切欠き部４６ｃが、ハウジング１０４の軸受部４１に穿設されているので、例えば、略丸棒状のシャフトがハウジング１０４の略円筒状軸受部４１に装備された状態で、シャフトに衝撃が加えられたときに、シャフトがハウジング１０４の軸受開口部４１ｂに局部接触して、ハウジング１０４の軸受開口部４１ｂの一部に衝撃力が異常に集中するということは回避され易くなる。従って、ハウジング１０４の軸受開口部４１ｂから割れが生じるという不具合の発生は、防止され易くなる。
【０２２８】
ハウジング１０４の軸受部４１は、クラック発生防止用の略円錐状切欠き部４６ｃと、略円錐状の切欠き部４６ｃに続きシャフトに接する略円筒状の軸摺接部４１ｓとを有するものとして形成されている。略円筒状の軸摺接部４１ｓの内面４１ｆに対し、略円錐状の切欠き部４６ｃの傾斜面４６ｆは鈍角に設定されて、傾斜面４６ｆは、軸受部４１の内側開口部４１ｂに向けて広げられている。略円筒状軸摺接部４１ｓの内面４１ｆに対し、略円錐状切欠き部４６ｃの傾斜面４６ｆの角度ＡＬｐは、約１６９度に設定されている。
【０２２９】
ハウジング１０４の軸受部４１の内部形状が、図７に示す形状に形成されていれば、ハウジング１０４の軸受部４１の内側開口部４１ｂにクラックが生じることは、回避され易くなる。軸受部４１の軸摺接部４１ｓの内面４１ｆに対し、略円錐状をしたクラック発生防止用切欠き部４６ｃの傾斜面４６ｆは鈍角に設定され、クラック発生防止用切欠き部４６ｃの傾斜面４６ｆは、軸受部４１の内側開口部４１ｂに向けて広げられているので、略丸棒状のシャフトがハウジング１０４の略円筒状軸受部４１に装備された状態で、シャフトに衝撃が加えられたときに、例えば、シャフトがハウジング１０４の軸受部４１の内側開口部４１ｂに局部接触して、ハウジング１０４の軸受部４１の内側開口部４１ｂに衝撃力が異常に集中するということは回避され易くなる。従って、軸受部４１の内側開口部４１ｂからハウジング１０４に割れが生じるという不具合の発生は、防止され易くなる。
【０２３０】
略円錐状傾斜面４６ｆの角度ＡＬｐの度合いにより、略円錐状の切欠き部４６ｃは、例えば、皿ねじ状の座ぐり穴形状に形成される。略円錐状傾斜面４６ｆの角度ＡＬｐの度合いにより、略円錐状の切欠き部４６ｃは、例えば、軸受部４１の略丸状内側開口部４１ｂから軸受部４１の略円筒状内部４１ｎに向けて穿設された皿ねじ状の座ぐり穴形状に形成される。
【０２３１】
略円筒状軸摺接部４１ｓの内面４１ｆに対し、略円錐状切欠き部４６ｃの傾斜面４６ｆ
の角度ＡＬｐは、例えば、略１３０度以上略１７０度以下に設定されるとよい。角度ＡＬｐが１３０度よりも小さい角度とされた場合、略円錐状の切欠き部４６ｃと、略円錐状の切欠き部４６ｃに続く略円筒状の軸摺接部４１ｓとの間の応力緩和部４６ｒにシャフトが当てられたときに、応力緩和部４６ｒに力が集中され易くなる。角度ＡＬｐが１７０度よりも大きい角度とされた場合、略丸状の内側開口部４１ｂの直径Ｄａと、略円筒状の軸摺接部４１ｓの直径Ｄｂとの差が少なくなり、切欠き部４６ｃがクラック発生防止用切欠き部４６ｃとして機能され難くなる。このようなことから、角度ＡＬｐは、例えば、約１６５度程度に設定されることが好ましい。
【０２３２】
ハウジング１０４に設けられた軸受部４１の軸摺接孔４１ｓに、シャフト３１０（図１〜図３）が挿入されたときに、軸受部４１（図７）の軸摺接孔４１ｓと、シャフト３１０（図３）との間に、隙間ＣＬいわゆるクリアランスが形成される。切欠き部４６ｃ（図７）の深さ寸法Ｌｃは、軸受部４１の軸摺接孔４１ｓと、シャフト３１０（図３）との間の隙間寸法ＣＬよりも大きく設定されている。
【０２３３】
これにより、ハウジング１０４（図７）の軸受部４１の開口部４１ｂからクラックが生じることは、回避され易くなる。ハウジング１０４の軸受部４１に設けられたクラック発生防止用切欠き部４６ｃの深さ寸法Ｌｃは、軸受部４１の軸摺接孔４１ｓと、シャフト３１０（図３）との間の隙間寸法ＣＬよりも大きく設定されているので、例えば、シャフト３１０がハウジング１０４（図７）の軸受部４１に装備された状態の光ピックアップ装置が落下して、シャフト３１０（図１〜図３）に衝撃が加えられたときに、シャフト３１０は、軸受部４１（図７）の内部４１ｎの比較的深い部分で接する。軸受部４１の内部４１ｎの比較的深い部分にシャフト３１０（図３）が接するので、シャフト３１０を介してハウジング１０４（図７）の軸受部４１に衝撃が伝えられたときに、例えば、ハウジング１０４の軸受部４１の開口部４１ｂにシャフト３１０（図３）が局部接触し、その結果、軸受部４１（図７）の開口部４１ｂからハウジング１０４が割れるという不具合の発生は、防止され易くなる。
【０２３４】
軸受部４１の軸摺接孔４１ｓの直径Ｄｂは、例えば、３．００２〜３．０１２ｍｍとされる。また、シャフト３１０（図３）の直径Ｄｓは、例えば、２．９８０〜３．０００ｍｍとされる。従って、軸受部４１（図７）の軸摺接孔４１ｓと、シャフト３１０（図３）との間の隙間寸法ＣＬは、０．００２〜０．０３２ｍｍとされる。また、切欠き部４６ｃ（図７）の深さ寸法Ｌｃは、約２ｍｍとされている。
【０２３５】
また、切欠き部４６ｃの深さＬｃは、軸受部４１の幅Ｌｗの５分の１以上に設定されると共に、軸受部４１の幅Ｌｗの５分の４以下に設定されることが好ましい。具体的には、切欠き部４６ｃの深さＬｃは、軸受部４１の幅Ｌｗの２分の１以下に設定されている。
【０２３６】
切欠き部４６ｃの深さＬｃが、軸受部４１の幅Ｌｗの５分の１未満の小さい値とされた場合、切欠き部４６ｃの深さＬｃが少なくなり、切欠き部４６ｃは、クラック発生防止用の切欠き部４６ｃとして機能しないことが懸念される。また、切欠き部４６ｃの深さＬｃが、軸受部４１の幅Ｌｗの５分の４を超える大きい値とされた場合、切欠き部４６ｃの深さＬｃが大きくなりすぎて、軸受部４１の軸摺接部４１ｓの幅長さＬｂが不足することが懸念される。
【０２３７】
切欠き部４６ｃの深さ寸法Ｌｃが、例えば、軸受部４１の幅寸法Ｌｗの略４分の１程度に設定されていれば、軸受部４１の軸摺接部４１ｓの幅長さＬｂが不足することなく、適度な深さＬｃのクラック発生防止用切欠き部４６ｃが軸受部４１に形成される。軸受部４１の幅寸法Ｌｗは、約７．８ｍｍとされている。また、切欠き部４６ｃの深さ寸法Ｌｃは、約２ｍｍとされている。
【０２３８】
光ピックアップ装置の設計／仕様などにより、例えば、切欠き部（４６ｃ）の深さ寸法（Ｌｃ）が、軸受部（４１）の幅（Ｌｗ）の略半分とされる約３．８ｍｍに設定されたものも使用可能とされる（図示せず）。切欠き部４６ｃの深さＬｃが、軸受部４１の幅Ｌｗの２分の１以下（約３．９ｍｍ以下）に設定された場合、軸受部４１の軸摺接部４１ｓの幅長さＬｂが十分に確保される。軸受部４１の軸摺接部４１ｓの幅長さＬｂは、例えば、約１ｍｍ以上確保されることが好ましい。
【０２３９】
シャフト３１０（図１〜図３）を備えるハウジング１０４（図７）が落下して、シャフトを備えるハウジング１０４に衝撃が加えられたときに、一瞬、大きく弾性変形した長尺状のシャフト３１０（図２，図３）が、ハウジング１０４（図７）の軸受部４１に当たることで軸受部４１が受ける衝撃力をやわらげる応力緩和部４６ｒが、クラック発生防止部４６に設けられている。
【０２４０】
これにより、ハウジング１０４にクラックが生じるという不具合の発生は、より回避され易くなる。例えば、長尺状のシャフトがハウジング１０４の軸受部４１に装備された状態で、長尺状シャフトに衝撃が加えられ、そのときに、衝撃が長尺状シャフトを介してハウジング１０４の軸受部４１に伝えられても、衝撃は、ハウジング１０４の軸受部４１に設けられたクラック発生防止用応力緩和部４６ｒにより、やわらげられる。従って、長尺状シャフトを介してハウジング１０４の軸受部４１に衝撃が伝えられ、その結果、軸受部４１からハウジング１０４が割れるという不具合の発生は、防止され易くなる。
【０２４１】
クラック発生防止部４６の応力緩和部４６ｒは、略円錐状の切欠き部４６ｃと、略円錐状の切欠き部４６ｃに続き略丸棒状のシャフトに接する略円筒状の軸摺接部４１ｓとの間に設けられている。
【０２４２】
シャフトが受けた衝撃は、ハウジング１０４の略丸孔状軸受部４１に設けられた略円錐状の切欠き部４６ｃと、この切欠き部４６ｃに続き略丸棒状のシャフトに接する略円筒状の軸摺接部４１ｓとの間のクラック発生防止用応力緩和部４６ｒによって低減する。従って、ハウジング１０４の軸受部４１は、より割れ難いものとなる。
【０２４３】
クラック発生防止部４６の応力緩和部４６ｒは、略円錐状の切欠き部４６ｃと、略円筒状の軸摺接部４１ｓとを滑らかにつなぐ曲率半径の小さい曲面部４６ｒとして、軸受部４１内に形成されている。
【０２４４】
これにより、ハウジング１０４にクラックが生じるという不具合の発生は、さらに回避され易くなる。長尺状シャフトが軸受部４１に当たることで軸受部４１が受ける衝撃力をやわらげる応力緩和部４６ｒが、曲率半径の小さい曲面部４６ｒとして軸受部４１内に形成されていれば、応力集中は、軸受部４１内に発生され難くなる。軸受部４１内における応力集中の発生が回避され易くなるので、ハウジング１０４の軸受部４１を起点としたクラックの発生は、回避され易くなる。
【０２４５】
クラック発生防止部４６の曲面部４６ｒは、微小なＲ面取り状に形成されている。例えば、クラック発生防止部４６の曲面部４６ｒを微小なＣ面取り状に形成させてもよい。
【０２４６】
一本のシャフト３１０（図１，図２）に対し、ハウジング１０４（図７）の本体１０４ｂに、一対の軸受部４１が設けられている。図２に示す一対の軸受部１１，１２と同じく、ハウジング本体１０４ｂ（図７）の上側に、一対の軸受部４１が左右対称に形成されている。隣り合う一対の軸受部４１の両対向部４１ｖに、クラック発生防止部４６が形成されている。
【０２４７】
これにより、ハウジング１０４の軸受部４１を起点としたクラックの発生は、より回避され易くなる。例えば、ハウジング１０４に設けられた一対の軸受部４１に一本の長尺状シャフト３１０（図１，図２）が装備された状態で、シャフト３１０に衝撃が加えられたときに、長尺状シャフト３１０は、一瞬、大きく撓まされることがある（図２）。その場合、長尺状シャフト３１０は隣り合う一対の軸受部４１（図７）の両対向部４１ｖに設けられた軸受開口部に接することが懸念される。
【０２４８】
ハウジング１０４に一対の軸受部４１が設けられていれば、長尺状シャフト３１０（図１，図２）からハウジング１０４（図７）に伝えられる衝撃は、一対の軸受部４１に分散される。また、隣り合う一対の軸受部４１の両対向部４１ｖにクラック発生防止部４６が形成されていれば、一対の軸受部４１のうち何れか一方または両方の対向部４１ｖを起点としたクラックの発生は、回避され易くなる。従って、光ピックアップ装置を構成するハウジング１０４は、より割れ難いものとなる。
【０２４９】
ピックアップ装置の設計／仕様などにより、例えば、一対の軸受部４１の両内側開口部４１ｂと、一対の軸受部４１の両外側開口部４１ａとに、クラック発生防止部４６を構成させてもよい。ハウジング１０４の軸受部４１の外側開口部４１ａには、Ｃ面取り部４１ｃが設けられている。
【０２５０】
ハウジング１０４の軸受部４１は、略丸孔状に形成されて、略丸状の各開口部４１ａ，４１ｂを有するものとされている。また、クラック発生防止部４６は、軸受部４１の略丸状の内側開口部４１ｂから軸受部４１の略円筒状内部４１ｎに向けて形成された略丸孔状の切欠き部４６ｃを有するものとされている。略丸孔状の軸受部４１の内側開口部４１ｂは、略丸孔状切欠き部４６ｃの開口部４１ｂを兼ねて形成されている。
【０２５１】
略丸棒状の長尺物状シャフト３１０（図１〜図３）がハウジング１０４（図７）の略丸孔状の軸受部４１に装備されたときに、略丸棒状シャフト３１０（図３）の表面部３１０ｆは、略丸孔状の軸受部４１（図７）に設けられた略丸孔状切欠き部４６ｃの略丸状内側開口部４１ｂに非接触とされる。
【０２５２】
これにより、ハウジング１０４の軸受部４１の内側開口部４１ｂがクラックの起点となって、軸受部４１の内側開口部４１ｂからハウジング１０４が割れるということは回避される。略丸棒状の長尺物状シャフト３１０（図１〜図３）がハウジング１０４（図７）の略丸孔状軸受部４１に装備されたときに、略丸棒状シャフト３１０（図１〜図３）の表面部３１０ｆは、略丸孔状軸受部４１（図７）に設けられた略丸孔状切欠き部４６ｃの略丸状内側開口部４１ｂに非接触とされるので、略丸棒状シャフト３１０（図１〜図３）からハウジング１０４（図７）に衝撃が伝えられたときに、ハウジング１０４の略丸孔状軸受部４１の略丸状内側開口部４１ｂからハウジング１０４が割れるということは回避される。
【０２５３】
例えば、略丸棒状の長尺状シャフト３１０（図１〜図３）がハウジング１０４（図７）の各略丸孔状軸受部４１に装備された状態で、略丸棒状の長尺状シャフト３１０（図１〜図３）に衝撃が加えられ、そのときに、衝撃が略丸棒状の長尺状シャフト３１０を介してハウジング１０４（図７）の略丸孔状軸受部４１の略丸状内側開口部４１ｂに伝えられ、その結果、略丸孔状軸受部４１の略丸状内側開口部４１ｂを起点としてハウジング１０４が割れるということは、回避される。
【０２５４】
ハウジング１０４は、射出成形が可能であって耐熱性を有する熱可塑性の合成樹脂材料が用いられて形成されている。
【０２５５】
これにより、軽量化されたハウジング１０４を備える光ピックアップ装置が構成される。一般に、樹脂材料は、金属材料よりも比重が小さい。そのため、樹脂材料が用いられてハウジング１０４が形成されることにより、ハウジング１０４の軽量化が図られる。また、合成樹脂製ハウジング１０４の軸受部４１にクラック発生防止部４６が設けられているので、軸受部４１からハウジング１０４が割れるということは、回避され易くなる。従って、軽量化されると共に軸受部４１から割れ難い合成樹脂製ハウジング１０４を備えた光ピックアップ装置を、光ディスク装置に光ピックアップ装置を組み込む光ディスク装置の組立メーカや、光ピックアップ装置を備えるコンピュータの組立メーカ等に提供することができる。
【０２５６】
射出成形が可能であって耐熱性を有する熱可塑性の合成樹脂材料として、例えば、熱安定性性や、絶縁特性などの電気的特性や、機械的特性や、寸法安定性などに優れるＰＰＳなどが挙げられる。
【０２５７】
このように、ハウジング１０４は、ＰＰＳなどの合成重合体が基材として用いられ、射出成形法に基づいて形成されている。射出成形法に基づいてハウジング１０４が形成されることにより、例えば複雑な形状のハウジング１０４とされていても、効率よく大量にハウジング１０４が生産される。射出成形が行われることにより、各軸受部４１は、ハウジング本体１０４ｂに一体成形される。また、ハウジング本体１０４ｂと、各軸受部４１とは、同一の合成樹脂材料によって形成される。
【０２５８】
ハウジング１０４を備える光ピックアップ装置に各シャフト３１０，３２０（図１）が装備されると共に、光ディスク装置（図示せず）のシャーシ（図示せず）に各シャフト３１０，３２０が装備されることで、光ピックアップ装置を備える光ディスク装置が組み立てられる。
【０２５９】
これにより、ハウジング１０４の割れ対策が行われた光ピックアップ装置を備える光ディスク装置が構成される。例えば、光ディスク装置が落下して光ディスク装置に衝撃が加えられても、光ディスク装置に装備された光ピックアップ装置のハウジング１０４が割れるという不具合の発生は、防止され易くなる。従って、衝撃に強い光ピックアップ装置が装備された光ディスク装置を、コンピュータに光ディスク装置を組み込むコンピュータ組立メーカ等に提供することができる。
【実施例５】
【０２６０】
図８は、本発明に係るピックアップ装置のハウジングの第五実施形態を示す拡大断面図である。
【０２６１】
図１〜図４に示す軸受部１１を備えたハウジング１０１に代えて、図８に示す軸受部５１を備えたハウジング１０５が用いられて、光ピックアップ装置が組み立てられた。図１〜図４に示す一対の軸受部１１，１２の内部形状に対し、一対の軸受部５１（図８）の内部形状だけが異なる。他の部分においては、図１〜図４に示す光ピックアップ装置１のハウジング１０１と、図８に示す光ピックアップ装置のハウジング１０５とは、同一とされている。また、他の部分においては、図１〜図４に示す実施例１の光ピックアップ装置１と、図８に示す実施例５の光ピックアップ装置とは、同じ構成とされている。実施例５において、実施例１にて説明したものと同一のものについては、同一の符号を付し、その詳細な説明を省略した。
【０２６２】
シャフト３１０（図１〜図３）がハウジング１０５（図８）の軸受部５１に装備された状態で、光ピックアップ装置の落下試験が行われる。シャフトを備えるハウジング１０５
が落下され、シャフトを備えるハウジング１０５に衝撃が加えられたときに、軸受部５１を起点としたハウジング１０５の割れ発生を防ぐクラック発生防止部５６が、ハウジング１０５の軸受部５１に設けられている。
【０２６３】
これにより、ハウジング１０５の軸受部５１を起点としたクラックが、ハウジング１０５に生じるという不具合の発生は防止され易くなる。ハウジング１０５の軸受部５１にクラック発生防止部５６が設けられることにより、例えば、シャフトがハウジング１０５の軸受部５１に装備された状態で、シャフトに衝撃が加えられ、そのときに、衝撃がシャフトを介してハウジング１０５の軸受部５１に伝えられ、その結果、軸受部５１を起点としてハウジング１０５が割れるということは、回避され易くなる。従って、割れ難いハウジング１０５を備えた光ピックアップ装置を、光ディスク装置に光ピックアップ装置を組み込む光ディスク装置の組立メーカや、光ピックアップ装置を備えるコンピュータの組立メーカ等に提供することができる。
【０２６４】
軸受部５１に設けられたクラック発生防止部５６は、軸受部５１の内側開口部５１ｂから軸受部５１の内部５１ｎに向けて深く穿設された切欠き部５６ｃを備えるものとして形成されている。
【０２６５】
これにより、ハウジング１０５の軸受部５１からクラックが生じることは、回避され易くなる。ハウジング１０５の軸受部５１の内部５１ｎに向けて、クラック発生防止用切欠き部５６ｃが、軸受部５１に深く穿設されているので、例えば、シャフトがハウジング１０５の軸受部５１に装備された状態で、シャフトに衝撃が加えられたときに、シャフトは、軸受部５１の内部５１ｎの深い部分に接することとなる。従って、シャフトを介してハウジング１０５の軸受部５１に衝撃が伝えられたときに、例えば、シャフトがハウジング１０５の軸受部５１の内側開口部５１ｂに局部接触し、その結果、軸受部５１の内側開口部５１ｂからハウジング１０５に割れが生じるということは、回避され易くなる。
【０２６６】
光ピックアップ装置の設計／仕様などにより、例えば、軸受部（５１）に設けられたクラック発生防止部（５６）の応力緩和部（５６ｒ）は、軸受部（５１）の略丸状内側開口部（５１ａ）側から軸受部（５１）の略円筒状内部（５１ｎ）に向けて略漏斗状にすぼめられつつ穿設された略円錐状の切欠き部（５６ｒ）として形成されていてもよい。
【０２６７】
応力緩和部（５６ｒ）は、シャフト（３１０）（図１〜図３）を備えるハウジング（１０５）（図８）が落下して、シャフトを備えるハウジング（１０５）に衝撃が加えられたときに、一瞬、大きく弾性変形した長尺状のシャフト（３１０）（図２，図３）が、ハウジング（１０５）（図８）の軸受部（５１）に当たることで軸受部（５１）が受ける衝撃力を和らげるためのものとされる。
【０２６８】
また、ハウジング（１０５）の軸受部（５１）は、クラック発生防止用の略円錐状切欠き部（５６ｒ）と、略円錐状の切欠き部（５６ｒ）に続きシャフト（３１０）に接する略円筒状の軸摺接部（５１ｓ）とを有するものとして形成されていてもよい。略円筒状の軸摺接部（５１ｓ）の内面（５１ｆ）に対し、略円錐状の切欠き部（５６ｒ）の傾斜面は鈍角に設定されて、傾斜面は、軸受部（５１）の内側開口部（５１ａ）側に向けて広げられていてもよい。
【０２６９】
軸受部５１に設けられたクラック発生防止部５６は、軸受部５１の略丸状内側開口部５１ｂから軸受部５１の略円筒状内部５１ｎに向けて穿設された略座ぐり穴状の切欠き部５６ｃを備えるものとして形成されている。
【０２７０】
ハウジング１０５の軸受部５１の略丸状内側開口部５１ｂから軸受部５１の略円筒状内
部５１ｎに向けた略座ぐり穴状のクラック発生防止用切欠き部５６ｃが、ハウジング１０５の軸受部５１に穿設されているので、略丸棒状のシャフトがハウジング１０５の略円筒状軸受部５１に装備された状態で、シャフトに衝撃が加えられたときに、例えば、軸受部５１の内側開口部５１ｂからハウジング１０５に割れが生じるという不具合の発生は、防止され易くなる。
【０２７１】
ハウジング１０５に設けられた軸受部５１の軸摺接孔５１ｓに、シャフト３１０（図１〜図３）が挿入されたときに、軸受部５１（図８）の軸摺接孔５１ｓと、シャフト３１０（図３）との間に、隙間ＣＬいわゆるクリアランスが形成される。切欠き部５６ｃ（図８）の深さ寸法Ｌｃは、軸受部５１の軸摺接孔５１ｓと、シャフト３１０（図３）との間の隙間寸法ＣＬよりも大きく設定されている。
【０２７２】
これにより、ハウジング１０５（図８）の軸受部５１の開口部５１ｂからクラックが生じることは、回避され易くなる。ハウジング１０５の軸受部５１に設けられたクラック発生防止用切欠き部５６ｃの深さ寸法Ｌｃは、軸受部５１の軸摺接孔５１ｓと、シャフト３１０（図３）との間の隙間寸法ＣＬよりも大きく設定されているので、例えば、シャフト３１０がハウジング１０５（図８）の軸受部５１に装備された状態の光ピックアップ装置が落下して、シャフト３１０（図１〜図３）に衝撃が加えられたときに、シャフト３１０は、軸受部５１（図８）の内部５１ｎの比較的深い部分で接する。軸受部５１の内部５１ｎの比較的深い部分にシャフト３１０（図３）が接するので、シャフト３１０を介してハウジング１０５（図８）の軸受部５１に衝撃が伝えられたときに、例えば、ハウジング１０５の軸受部５１の開口部５１ｂにシャフト３１０（図３）が局部接触し、その結果、軸受部５１（図８）の開口部５１ｂからハウジング１０５が割れるという不具合の発生は、防止され易くなる。
【０２７３】
軸受部５１の軸摺接孔５１ｓの直径Ｄｂは、例えば、３．００２〜３．０１２ｍｍとされる。また、シャフト３１０（図３）の直径Ｄｓは、例えば、２．９８０〜３．０００ｍｍとされる。従って、軸受部５１（図８）の軸摺接孔５１ｓと、シャフト３１０（図３）との間の隙間寸法ＣＬは、０．００２〜０．０３２ｍｍとされる。また、切欠き部５６ｃ（図８）の深さ寸法Ｌｃは、約２ｍｍとされている。
【０２７４】
また、切欠き部５６ｃの深さＬｃは、軸受部５１の幅Ｌｗの５分の１以上に設定されると共に、軸受部５１の幅Ｌｗの５分の４以下に設定されることが好ましい。具体的には、切欠き部５６ｃの深さＬｃは、軸受部５１の幅Ｌｗの２分の１以下に設定されている。
【０２７５】
切欠き部５６ｃの深さＬｃが、軸受部５１の幅Ｌｗの５分の１未満の小さい値とされた場合、切欠き部５６ｃの深さＬｃが少なくなり、切欠き部５６ｃは、クラック発生防止用の切欠き部５６ｃとして機能しないことが懸念される。また、切欠き部５６ｃの深さＬｃが、軸受部５１の幅Ｌｗの５分の４を超える大きい値とされた場合、切欠き部５６ｃの深さＬｃが大きくなりすぎて、軸受部５１の軸摺接部５１ｓの幅長さＬｂが不足することが懸念される。
【０２７６】
切欠き部５６ｃの深さ寸法Ｌｃが、例えば、軸受部５１の幅寸法Ｌｗの略４分の１程度に設定されていれば、軸受部５１の軸摺接部５１ｓの幅長さＬｂが不足することなく、適度な深さＬｃのクラック発生防止用切欠き部５６ｃが軸受部５１に形成される。軸受部５１の幅寸法Ｌｗは、約７．８ｍｍとされている。また、切欠き部５６ｃの深さ寸法Ｌｃは、約２ｍｍとされている。
【０２７７】
光ピックアップ装置の設計／仕様などにより、例えば、切欠き部（５６ｃ）の深さ寸法（Ｌｃ）が、軸受部（５１）の幅（Ｌｗ）の略半分とされる約３．８ｍｍに設定されたも
のも使用可能とされる（図示せず）。切欠き部５６ｃの深さＬｃが、軸受部５１の幅Ｌｗの２分の１以下（約３．９ｍｍ以下）に設定された場合、軸受部５１の軸摺接部５１ｓの幅長さＬｂが十分に確保される。軸受部５１の軸摺接部５１ｓの幅長さＬｂは、例えば、約１ｍｍ以上確保されることが好ましい。
【０２７８】
シャフト３１０（図１〜図３）を備えるハウジング１０５（図８）が落下して、シャフトを備えるハウジング１０５に衝撃が加えられたときに、一瞬、大きく弾性変形した長尺状のシャフト３１０（図２，図３）が、ハウジング１０５（図８）の軸受部５１に当たることで軸受部５１が受ける衝撃力をやわらげる応力緩和部５６ｒが、クラック発生防止部５６に設けられている。
【０２７９】
これにより、ハウジング１０５にクラックが生じるという不具合の発生は、より回避され易くなる。例えば、長尺状のシャフトがハウジング１０５の軸受部５１に装備された状態で、長尺状シャフトに衝撃が加えられ、そのときに、衝撃が長尺状シャフトを介してハウジング１０５の軸受部５１に伝えられても、衝撃は、ハウジング１０５の軸受部５１に設けられたクラック発生防止用応力緩和部５６ｒにより、やわらげられる。従って、長尺状シャフトを介してハウジング１０５の軸受部５１に衝撃が伝えられ、その結果、軸受部５１からハウジング１０５が割れるという不具合の発生は、防止され易くなる。
【０２８０】
略座ぐり穴状の切欠き部５６ｃは、略円筒状の側面部５６ｆと、側面部５６ｆに略直交する略円環状の底面部５６ｅとを有するものとして形成されている。略座ぐり穴状の切欠き部５６ｃに続き、略丸棒状のシャフトに接する略円筒状の軸摺接部５１ｓが、軸受部５１に設けられている。略丸棒状のシャフトが接する略円筒状軸摺接部５１ｓの内面部５１ｆに対し、略座ぐり穴状切欠き部５６ｃの略円環状底面部５６ｅは、略直交して軸受部５１内に設けられている。クラック発生防止部５６の応力緩和部５６ｒは、略座ぐり穴状の切欠き部５６ｃの底面部５６ｅと、底面部５６ｅに略直交すると共に切欠き部５６ｃに続きシャフトに接する略円筒状の軸摺接部５１ｓとの間に設けられている。
【０２８１】
シャフトが受けた衝撃は、略座ぐり穴状の切欠き部５６ｃの底面部５６ｅと、この底面部５６ｅに略直交すると共に切欠き部５６ｃに続き略丸棒状のシャフトに接する略円筒状の軸摺接部５１ｓとの間のクラック発生防止用応力緩和部５６ｒによって低減する。従って、軸受部５１からハウジング１０５が割れるという不具合の発生は、防止され易くなる。
【０２８２】
光ピックアップ装置の設計／仕様などにより、例えば、略円筒状軸摺接部（５１ｓ）の内面部（５１ｆ）に対し、略座ぐり穴状切欠き部（５６ｃ）の略円環状底面部（５６ｅ）が傾斜され、底面部（５６ｅ）が略丸孔状の軸受部（５１）の内部（５１ｎ）に向けてすぼめられて形成されたものも使用可能とされる（図示せず）。具体的に説明すると、略円筒状の軸摺接部（５１ｓ）の内面（５１ｆ）に対し、略座ぐり穴状の切欠き部（５６ｃ）の底面部（５６ｅ）は鈍角に設定されて、底面部（５６ｅ）が軸受部（５１）の内側開口部（５１ｂ）に向けて傾斜面状に広げられたものも使用可能とされる。このような略座ぐり穴状の切欠き部は、例えば、皿ねじに対応した形状の座ぐり穴状切欠き部とされる。
【０２８３】
クラック発生防止部５６の応力緩和部５６ｒは、略座ぐり穴状の切欠き部５６ｃと、略円筒状の軸摺接部５１ｓとを滑らかにつなぐ曲率半径の小さい曲面部５６ｒとして、軸受部５１内に形成されている。
【０２８４】
これにより、ハウジング１０５にクラックが生じるという不具合の発生は、さらに回避され易くなる。長尺状シャフトが軸受部５１に当たることで軸受部５１が受ける衝撃力をやわらげる応力緩和部５６ｒが、曲率半径の小さい曲面部５６ｒとして軸受部５１内に形
成されていれば、応力集中は、軸受部５１内に発生され難くなる。軸受部５１内における応力集中の発生が回避され易くなるので、ハウジング１０５の軸受部５１を起点としたクラックの発生は、回避され易くなる。
【０２８５】
クラック発生防止部５６の曲面部５６ｒは、微小なＲ面取り状に形成されている。例えば、クラック発生防止部５６の曲面部５６ｒを微小なＣ面取り状に形成させてもよい。
【０２８６】
一本のシャフト３１０（図１，図２）に対し、ハウジング１０５（図８）の本体１０５ｂに、一対の軸受部５１が設けられている。図２に示す一対の軸受部１１，１２と同じく、ハウジング本体１０５ｂ（図８）の上側に、一対の軸受部５１が左右対称に形成されている。隣り合う一対の軸受部５１の両対向部５１ｖに、クラック発生防止部５６が形成されている。
【０２８７】
これにより、ハウジング１０５の軸受部５１を起点としたクラックの発生は、より回避され易くなる。例えば、ハウジング１０５に設けられた一対の軸受部５１に一本の長尺状シャフト３１０（図１，図２）が装備された状態で、シャフト３１０に衝撃が加えられたときに、長尺状シャフト３１０は、一瞬、大きく撓まされることがある（図２）。その場合、長尺状シャフト３１０は隣り合う一対の軸受部５１（図８）の両対向部５１ｖに設けられた軸受開口部に接することが懸念される。
【０２８８】
ハウジング１０５に一対の軸受部５１が設けられていれば、長尺状シャフト３１０（図１，図２）からハウジング１０５（図８）に伝えられる衝撃は、一対の軸受部５１に分散される。また、隣り合う一対の軸受部５１の両対向部５１ｖにクラック発生防止部５６が形成されていれば、一対の軸受部５１のうち何れか一方または両方の対向部５１ｖを起点としたクラックの発生は、回避され易くなる。従って、光ピックアップ装置を構成するハウジング１０５は、より割れ難いものとなる。
【０２８９】
ピックアップ装置の設計／仕様などにより、例えば、一対の軸受部５１の両内側開口部５１ｂと、一対の軸受部５１の両外側開口部５１ａとに、クラック発生防止部５６を構成させてもよい。ハウジング１０５の軸受部５１の外側開口部５１ａには、Ｃ面取り部５１ｃが設けられている。
【０２９０】
ハウジング１０５の軸受部５１は、略丸孔状に形成されて、略丸状の各開口部５１ａ，５１ｂを有するものとされている。また、クラック発生防止部５６は、軸受部５１の略丸状の内側開口部５１ｂから軸受部５１の略円筒状内部５１ｎに向けて形成された略丸孔状の切欠き部５６ｃを有するものとされている。略丸孔状の軸受部５１の内側開口部５１ｂは、略丸孔状切欠き部５６ｃの開口部５１ｂを兼ねて形成されている。
【０２９１】
略丸棒状の長尺物状シャフト３１０（図１〜図３）がハウジング１０５（図８）の略丸孔状の軸受部５１に装備されたときに、略丸棒状シャフト３１０（図３）の表面部３１０ｆは、略丸孔状の軸受部５１（図８）に設けられた略丸孔状切欠き部５６ｃの略丸状内側開口部５１ｂに非接触とされる。
【０２９２】
これにより、ハウジング１０５の軸受部５１の内側開口部５１ｂがクラックの起点となって、軸受部５１の内側開口部５１ｂからハウジング１０５が割れるということは回避される。略丸棒状の長尺物状シャフト３１０（図１〜図３）がハウジング１０５（図８）の略丸孔状軸受部５１に装備されたときに、略丸棒状シャフト３１０（図１〜図３）の表面部３１０ｆは、略丸孔状軸受部５１（図８）に設けられた略丸孔状切欠き部５６ｃの略丸状内側開口部５１ｂに非接触とされるので、略丸棒状シャフト３１０（図１〜図３）からハウジング１０５（図８）に衝撃が伝えられたときに、ハウジング１０５の略丸孔状軸受
部５１の略丸状内側開口部５１ｂからハウジング１０５が割れるということは回避される。
【０２９３】
例えば、略丸棒状の長尺状シャフト３１０（図１〜図３）がハウジング１０５（図８）の各略丸孔状軸受部５１に装備された状態で、略丸棒状の長尺状シャフト３１０（図１〜図３）に衝撃が加えられ、そのときに、衝撃が略丸棒状の長尺状シャフト３１０を介してハウジング１０５（図８）の略丸孔状軸受部５１の略丸状内側開口部５１ｂに伝えられ、その結果、略丸孔状軸受部５１の略丸状内側開口部５１ｂを起点としてハウジング１０５が割れるということは、回避される。
【０２９４】
ハウジング１０５は、射出成形が可能であって耐熱性を有する熱可塑性の合成樹脂材料が用いられて形成されている。
【０２９５】
これにより、軽量化されたハウジング１０５を備える光ピックアップ装置が構成される。一般に、樹脂材料は、金属材料よりも比重が小さい。そのため、樹脂材料が用いられてハウジング１０５が形成されることにより、ハウジング１０５の軽量化が図られる。また、合成樹脂製ハウジング１０５の軸受部５１にクラック発生防止部５６が設けられているので、軸受部５１からハウジング１０５が割れるということは、回避され易くなる。従って、軽量化されると共に軸受部５１から割れ難い合成樹脂製ハウジング１０５を備えた光ピックアップ装置を、光ディスク装置に光ピックアップ装置を組み込む光ディスク装置の組立メーカや、光ピックアップ装置を備えるコンピュータの組立メーカ等に提供することができる。
【０２９６】
射出成形が可能であって耐熱性を有する熱可塑性の合成樹脂材料として、例えば、熱安定性性や、絶縁特性などの電気的特性や、機械的特性や、寸法安定性などに優れるＰＰＳなどが挙げられる。
【０２９７】
このように、ハウジング１０５は、ＰＰＳなどの合成重合体が基材として用いられ、射出成形法に基づいて形成されている。射出成形法に基づいてハウジング１０５が形成されることにより、例えば複雑な形状のハウジング１０５とされていても、効率よく大量にハウジング１０５が生産される。射出成形が行われることにより、各軸受部５１は、ハウジング本体１０５ｂに一体成形される。また、ハウジング本体１０５ｂと、各軸受部５１とは、同一の合成樹脂材料によって形成される。
【０２９８】
ハウジング１０５を備える光ピックアップ装置に各シャフト３１０，３２０（図１）が装備されると共に、光ディスク装置（図示せず）のシャーシ（図示せず）に各シャフト３１０，３２０が装備されることで、光ピックアップ装置を備える光ディスク装置が組み立てられる。
【０２９９】
これにより、ハウジング１０５の割れ対策が行われた光ピックアップ装置を備える光ディスク装置が構成される。例えば、光ディスク装置が落下して光ディスク装置に衝撃が加えられても、光ディスク装置に装備された光ピックアップ装置のハウジング１０５が割れるという不具合の発生は、防止され易くなる。従って、衝撃に強い光ピックアップ装置が装備された光ディスク装置を、コンピュータに光ディスク装置を組み込むコンピュータ組立メーカ等に提供することができる。
【実施例６】
【０３００】
図９は、本発明に係るピックアップ装置のハウジングの第六実施形態を示す拡大断面図である。
【０３０１】
図１〜図４に示す軸受部１１を備えたハウジング１０１に代えて、図９に示す軸受部６１を備えたハウジング１０６が用いられて、光ピックアップ装置が組み立てられた。図１〜図４に示す一対の軸受部１１，１２の内部形状に対し、一対の軸受部６１（図９）の内部形状だけが異なる。他の部分においては、図１〜図４に示す光ピックアップ装置１のハウジング１０１と、図９に示す光ピックアップ装置のハウジング１０６とは、同一とされている。また、他の部分においては、図１〜図４に示す実施例１の光ピックアップ装置１と、図９に示す実施例６の光ピックアップ装置とは、同じ構成とされている。実施例６において、実施例１にて説明したものと同一のものについては、同一の符号を付し、その詳細な説明を省略した。
【０３０２】
シャフト３１０（図１〜図３）がハウジング１０６（図９）の軸受部６１に装備された状態で、光ピックアップ装置の落下試験が行われる。シャフトを備えるハウジング１０６が落下され、シャフトを備えるハウジング１０６に衝撃が加えられたときに、軸受部６１を起点としたハウジング１０６の割れ発生を防ぐクラック発生防止部６６が、ハウジング１０６の軸受部６１に設けられている。
【０３０３】
これにより、ハウジング１０６の軸受部６１を起点としたクラックが、ハウジング１０６に生じるという不具合の発生は防止され易くなる。ハウジング１０６の軸受部６１にクラック発生防止部６６が設けられることにより、例えば、シャフトがハウジング１０６の軸受部６１に装備された状態で、シャフトに衝撃が加えられ、そのときに、衝撃がシャフトを介してハウジング１０６の軸受部６１に伝えられ、その結果、軸受部６１を起点としてハウジング１０６が割れるということは、回避され易くなる。従って、割れ難いハウジング１０６を備えた光ピックアップ装置を、光ディスク装置に光ピックアップ装置を組み込む光ディスク装置の組立メーカや、光ピックアップ装置を備えるコンピュータの組立メーカ等に提供することができる。
【０３０４】
軸受部６１に設けられたクラック発生防止部６６は、軸受部６１の内側開口部６１ｂから軸受部６１の内部６１ｎに向けて深く穿設された切欠き部６６ｃ，６６ｄを備えるものとして形成されている。
【０３０５】
これにより、ハウジング１０６の軸受部６１からクラックが生じることは、回避され易くなる。ハウジング１０６の軸受部６１の内部６１ｎに向けて、クラック発生防止用切欠き部６６ｃ，６６ｄが、軸受部６１に深く穿設されているので、例えば、シャフトがハウジング１０６の軸受部６１に装備された状態で、シャフトに衝撃が加えられたときに、シャフトは、軸受部６１の内部６１ｎの深い部分に接することとなる。従って、シャフトを介してハウジング１０６の軸受部６１に衝撃が伝えられたときに、例えば、シャフトがハウジング１０６の軸受部６１の内側開口部６１ｂに局部接触し、その結果、軸受部６１の内側開口部６１ｂからハウジング１０６に割れが生じるということは、回避され易くなる。
【０３０６】
軸受部６１に設けられたクラック発生防止部６６は、軸受部６１の略丸状内側開口部６１ｂから軸受部６１の略円筒状内部６１ｎに向けて穿設された略円筒状の大径切欠き部６６ｄと、略円筒状大径切欠き部６６ｄに続き軸受部６１の略円筒状小径内部６１ｎに向けてすぼめられつつ穿設された略円錐状の切欠き部６６ｃとを備えるものとして形成されている。
【０３０７】
ハウジング１０６の軸受部６１の略丸状内側開口部６１ｂから軸受部６１の略円筒状内部６１ｎに向けて形成された略円筒状の大径切欠き部６６ｄと、略円筒状大径切欠き部６６ｄに続き軸受部６１の略円筒状小径内部６１ｎに向けてすぼめられた略円錐状のクラック発生防止用切欠き部６６ｃとが、ハウジング１０６の軸受部６１に穿設されているので
、例えば、略丸棒状のシャフトがハウジング１０６の略円筒状軸受部６１に装備された状態で、シャフトに衝撃が加えられたときに、シャフトがハウジング１０６の軸受開口部６１ｂに局部接触して、ハウジング１０６の軸受開口部６１ｂの一部に衝撃力が異常に集中するということは回避され易くなる。従って、ハウジング１０６の軸受開口部６１ｂから割れが生じるという不具合の発生は、防止され易くなる。
【０３０８】
ハウジング１０６の軸受部６１は、クラック発生防止用の略円筒状の大径切欠き部６６ｄと、略円筒状の大径切欠き部６６ｄに続くクラック発生防止用の略円錐状切欠き部６６ｃと、略円錐状の切欠き部６６ｃに続きシャフトに接する略円筒状の小径軸摺接部６１ｓとを有するものとして形成されている。略円筒状の軸摺接部６１ｓの内面６１ｆに対し、略円錐状の切欠き部６６ｃの傾斜面６６ｆは鈍角に設定されて、傾斜面６６ｆは、軸受部６１の内側開口部６１ｂに向けて広げられている。略円筒状軸摺接部６１ｓの内面６１ｆに対し、略円錐状切欠き部６６ｃの傾斜面６６ｆの角度ＡＬｑは、約１３５度に設定されている。
【０３０９】
ハウジング１０６の軸受部６１の内部形状が、図９に示す形状に形成されていれば、ハウジング１０６の軸受部６１の内側開口部６１ｂにクラックが生じることは、回避され易くなる。軸受部６１の略円筒状小径軸摺接部６１ｓの内面６１ｆに対し、略円錐状をしたクラック発生防止用切欠き部６６ｃの傾斜面６６ｆは鈍角に設定され、クラック発生防止用切欠き部６６ｃの傾斜面６６ｆは、軸受部６１の内側開口部６１ｂに向けて広げられ、その先に略円筒状大径切欠き部６６ｄが続いて内側開口部６１ｂが設けられているので、略丸棒状のシャフトがハウジング１０６の略円筒状軸受部６１に装備された状態で、シャフトに衝撃が加えられたときに、例えば、シャフトがハウジング１０６の軸受部６１の内側開口部６１ｂに局部接触して、ハウジング１０６の軸受部６１の内側開口部６１ｂに衝撃力が異常に集中するということは回避され易くなる。従って、軸受部６１の内側開口部６１ｂからハウジング１０６に割れが生じるという不具合の発生は、防止され易くなる。
【０３１０】
略円錐状傾斜面６６ｆの角度ＡＬｑの度合いにより、切欠き部６６ｃ，６６ｄは、例えば、略座ぐり穴形状に形成される。略円錐状傾斜面６６ｆの角度ＡＬｑの度合いにより、切欠き部６６ｃ，６６ｄは、例えば、軸受部６１の略丸状内側開口部６１ｂから軸受部６１の略円筒状内部６１ｎに向けて穿設された略座ぐり穴形状に形成される。
【０３１１】
略円筒状軸摺接部６１ｓの内面６１ｆに対し、略円錐状切欠き部６６ｃの傾斜面６６ｆの角度ＡＬｑは、例えば、略１３０度以上略１７０度以下に設定されるとよい。角度ＡＬｑが１３０度よりも小さい角度とされた場合、略円錐状の切欠き部６６ｃと、略円錐状の切欠き部６６ｃに続く略円筒状の軸摺接部６１ｓとの間の応力緩和部６６ｒにシャフトが当てられたときに、応力緩和部６６ｒに力が集中され易くなる。角度ＡＬｑが１７０度よりも大きい角度とされた場合、略丸状の内側開口部６１ｂの直径Ｄａと、略円筒状の軸摺接部６１ｓの直径Ｄｂとの差が少なくなり、切欠き部６６ｃがクラック発生防止用切欠き部６６ｃとして機能され難くなる。このようなことから、角度ＡＬｑは、例えば、約１３５度程度に設定されることが好ましい。
【０３１２】
ハウジング１０６に設けられた軸受部６１の軸摺接孔６１ｓに、シャフト３１０（図１〜図３）が挿入されたときに、軸受部６１（図９）の軸摺接孔６１ｓと、シャフト３１０（図３）との間に、隙間ＣＬいわゆるクリアランスが形成される。切欠き部６６ｃ（図９）の深さ寸法Ｌｃは、軸受部６１の軸摺接孔６１ｓと、シャフト３１０（図３）との間の隙間寸法ＣＬよりも大きく設定されている。
【０３１３】
これにより、ハウジング１０６（図９）の軸受部６１の開口部６１ｂからクラックが生じることは、回避され易くなる。ハウジング１０６の軸受部６１に設けられたクラック発
生防止用切欠き部６６ｃの深さ寸法Ｌｃは、軸受部６１の軸摺接孔６１ｓと、シャフト３１０（図３）との間の隙間寸法ＣＬよりも大きく設定されているので、例えば、シャフト３１０がハウジング１０６（図９）の軸受部６１に装備された状態の光ピックアップ装置が落下して、シャフト３１０（図１〜図３）に衝撃が加えられたときに、シャフト３１０は、軸受部６１（図９）の内部６１ｎの比較的深い部分で接する。軸受部６１の内部６１ｎの比較的深い部分にシャフト３１０（図３）が接するので、シャフト３１０を介してハウジング１０６（図９）の軸受部６１に衝撃が伝えられたときに、例えば、ハウジング１０６の軸受部６１の開口部６１ｂにシャフト３１０（図３）が局部接触し、その結果、軸受部６１（図９）の開口部６１ｂからハウジング１０６が割れるという不具合の発生は、防止され易くなる。
【０３１４】
軸受部６１の軸摺接孔６１ｓの直径Ｄｂは、例えば、３．００２〜３．０１２ｍｍとされる。また、シャフト３１０（図３）の直径Ｄｓは、例えば、２．９８０〜３．０００ｍｍとされる。従って、軸受部６１（図９）の軸摺接孔６１ｓと、シャフト３１０（図３）との間の隙間寸法ＣＬは、０．００２〜０．０３２ｍｍとされる。また、切欠き部６６ｃ（図９）の深さ寸法Ｌｃは、約２ｍｍとされている。
【０３１５】
また、切欠き部６６ｃ，６６ｄの深さＬｃは、軸受部６１の幅Ｌｗの５分の１以上に設定されると共に、軸受部６１の幅Ｌｗの５分の４以下に設定されることが好ましい。具体的には、切欠き部６６ｃ，６６ｄの深さＬｃは、軸受部６１の幅Ｌｗの２分の１以下に設定されている。
【０３１６】
切欠き部６６ｃ，６６ｄの深さＬｃが、軸受部６１の幅Ｌｗの５分の１未満の小さい値とされた場合、切欠き部６６ｃ，６６ｄの深さＬｃが少なくなり、切欠き部６６ｃ，６６ｄは、クラック発生防止用の切欠き部６６ｃ，６６ｄとして機能しないことが懸念される。また、切欠き部６６ｃ，６６ｄの深さＬｃが、軸受部６１の幅Ｌｗの５分の４を超える大きい値とされた場合、切欠き部６６ｃ，６６ｄの深さＬｃが大きくなりすぎて、軸受部６１の軸摺接部６１ｓの幅長さＬｂが不足することが懸念される。
【０３１７】
切欠き部６６ｃ，６６ｄの深さ寸法Ｌｃが、例えば、軸受部６１の幅寸法Ｌｗの略４分の１程度に設定されていれば、軸受部６１の軸摺接部６１ｓの幅長さＬｂが不足することなく、適度な深さＬｃのクラック発生防止用切欠き部６６ｃ，６６ｄが軸受部６１に形成される。軸受部６１の幅寸法Ｌｗは、約７．８ｍｍとされている。また、切欠き部６６ｃ，６６ｄの深さ寸法Ｌｃは、約２ｍｍとされている。
【０３１８】
光ピックアップ装置の設計／仕様などにより、例えば、切欠き部（６６ｃ，６６ｄ）の深さ寸法（Ｌｃ）が、軸受部（６１）の幅（Ｌｗ）の略半分とされる約３．８ｍｍに設定されたものも使用可能とされる（図示せず）。切欠き部６６ｃ，６６ｄの深さＬｃが、軸受部６１の幅Ｌｗの２分の１以下（約３．９ｍｍ以下）に設定された場合、軸受部６１の軸摺接部６１ｓの幅長さＬｂが十分に確保される。軸受部６１の軸摺接部６１ｓの幅長さＬｂは、例えば、約１ｍｍ以上確保されることが好ましい。
【０３１９】
シャフト３１０（図１〜図３）を備えるハウジング１０６（図９）が落下して、シャフトを備えるハウジング１０６に衝撃が加えられたときに、一瞬、大きく弾性変形した長尺状のシャフト３１０（図２，図３）が、ハウジング１０６（図９）の軸受部６１に当たることで軸受部６１が受ける衝撃力をやわらげる応力緩和部６６ｒが、クラック発生防止部６６に設けられている。
【０３２０】
これにより、ハウジング１０６にクラックが生じるという不具合の発生は、より回避され易くなる。例えば、長尺状のシャフトがハウジング１０６の軸受部６１に装備された状
態で、長尺状シャフトに衝撃が加えられ、そのときに、衝撃が長尺状シャフトを介してハウジング１０６の軸受部６１に伝えられても、衝撃は、ハウジング１０６の軸受部６１に設けられたクラック発生防止用応力緩和部６６ｒにより、やわらげられる。従って、長尺状シャフトを介してハウジング１０６の軸受部６１に衝撃が伝えられ、その結果、軸受部６１からハウジング１０６が割れるという不具合の発生は、防止され易くなる。
【０３２１】
クラック発生防止部６６の応力緩和部６６ｒは、略円錐状の切欠き部６６ｃと、略円錐状の切欠き部６６ｃに続き略丸棒状のシャフトに接する略円筒状の軸摺接部６１ｓとの間に設けられている。
【０３２２】
シャフトが受けた衝撃は、ハウジング１０６の略丸孔状軸受部６１に設けられた略円錐状の切欠き部６６ｃと、この切欠き部６６ｃに続き略丸棒状のシャフトに接する略円筒状の軸摺接部６１ｓとの間のクラック発生防止用応力緩和部６６ｒによって低減する。従って、ハウジング１０６の軸受部６１は、より割れ難いものとなる。
【０３２３】
クラック発生防止部６６の応力緩和部６６ｒは、略円錐状の切欠き部６６ｃと、略円筒状の軸摺接部６１ｓとを滑らかにつなぐ曲率半径の小さい曲面部６６ｒとして、軸受部６１内に形成されている。
【０３２４】
これにより、ハウジング１０６にクラックが生じるという不具合の発生は、さらに回避され易くなる。長尺状シャフトが軸受部６１に当たることで軸受部６１が受ける衝撃力をやわらげる応力緩和部６６ｒが、曲率半径の小さい曲面部６６ｒとして軸受部６１内に形成されていれば、応力集中は、軸受部６１内に発生され難くなる。軸受部６１内における応力集中の発生が回避され易くなるので、ハウジング１０６の軸受部６１を起点としたクラックの発生は、回避され易くなる。
【０３２５】
クラック発生防止部６６の曲面部６６ｒは、微小なＲ面取り状に形成されている。例えば、クラック発生防止部６６の曲面部６６ｒを微小なＣ面取り状に形成させてもよい。
【０３２６】
一本のシャフト３１０（図１，図２）に対し、ハウジング１０６（図９）の本体１０６ｂに、一対の軸受部６１が設けられている。図２に示す一対の軸受部１１，１２と同じく、ハウジング本体１０６ｂ（図９）の上側に、一対の軸受部６１が左右対称に形成されている。隣り合う一対の軸受部６１の両対向部６１ｖに、クラック発生防止部６６が形成されている。
【０３２７】
これにより、ハウジング１０６の軸受部６１を起点としたクラックの発生は、より回避され易くなる。例えば、ハウジング１０６に設けられた一対の軸受部６１に一本の長尺状シャフト３１０（図１，図２）が装備された状態で、シャフト３１０に衝撃が加えられたときに、長尺状シャフト３１０は、一瞬、大きく撓まされることがある（図２）。その場合、長尺状シャフト３１０は隣り合う一対の軸受部６１（図９）の両対向部６１ｖに設けられた軸受開口部に接することが懸念される。
【０３２８】
ハウジング１０６に一対の軸受部６１が設けられていれば、長尺状シャフト３１０（図１，図２）からハウジング１０６（図９）に伝えられる衝撃は、一対の軸受部６１に分散される。また、隣り合う一対の軸受部６１の両対向部６１ｖにクラック発生防止部６６が形成されていれば、一対の軸受部６１のうち何れか一方または両方の対向部６１ｖを起点としたクラックの発生は、回避され易くなる。従って、光ピックアップ装置を構成するハウジング１０６は、より割れ難いものとなる。
【０３２９】
ピックアップ装置の設計／仕様などにより、例えば、一対の軸受部６１の両内側開口部
６１ｂと、一対の軸受部６１の両外側開口部６１ａとに、クラック発生防止部６６を構成させてもよい。ハウジング１０６の軸受部６１の外側開口部６１ａには、Ｃ面取り部６１ｃが設けられている。
【０３３０】
ハウジング１０６の軸受部６１は、略丸孔状に形成されて、略丸状の各開口部６１ａ，６１ｂを有するものとされている。また、クラック発生防止部６６は、軸受部６１の略丸状の内側開口部６１ｂから軸受部６１の略円筒状内部６１ｎに向けて形成された略丸孔状の切欠き部６６ｃを有するものとされている。略丸孔状の軸受部６１の内側開口部６１ｂは、略丸孔状切欠き部６６ｃの開口部６１ｂを兼ねて形成されている。
【０３３１】
略丸棒状の長尺物状シャフト３１０（図１〜図３）がハウジング１０６（図９）の略丸孔状の軸受部６１に装備されたときに、略丸棒状シャフト３１０（図３）の表面部３１０ｆは、略丸孔状の軸受部６１（図９）に設けられた略丸孔状切欠き部６６ｃの略丸状内側開口部６１ｂに非接触とされる。
【０３３２】
これにより、ハウジング１０６の軸受部６１の内側開口部６１ｂがクラックの起点となって、軸受部６１の内側開口部６１ｂからハウジング１０６が割れるということは回避される。略丸棒状の長尺物状シャフト３１０（図１〜図３）がハウジング１０６（図９）の略丸孔状軸受部６１に装備されたときに、略丸棒状シャフト３１０（図１〜図３）の表面部３１０ｆは、略丸孔状軸受部６１（図９）に設けられた略丸孔状切欠き部６６ｃの略丸状内側開口部６１ｂに非接触とされるので、略丸棒状シャフト３１０（図１〜図３）からハウジング１０６（図９）に衝撃が伝えられたときに、ハウジング１０６の略丸孔状軸受部６１の略丸状内側開口部６１ｂからハウジング１０６が割れるということは回避される。
【０３３３】
例えば、略丸棒状の長尺状シャフト３１０（図１〜図３）がハウジング１０６（図９）の各略丸孔状軸受部６１に装備された状態で、略丸棒状の長尺状シャフト３１０（図１〜図３）に衝撃が加えられ、そのときに、衝撃が略丸棒状の長尺状シャフト３１０を介してハウジング１０６（図９）の略丸孔状軸受部６１の略丸状内側開口部６１ｂに伝えられ、その結果、略丸孔状軸受部６１の略丸状内側開口部６１ｂを起点としてハウジング１０６が割れるということは、回避される。
【０３３４】
ハウジング１０６は、射出成形が可能であって耐熱性を有する熱可塑性の合成樹脂材料が用いられて形成されている。
【０３３５】
これにより、軽量化されたハウジング１０６を備える光ピックアップ装置が構成される。一般に、樹脂材料は、金属材料よりも比重が小さい。そのため、樹脂材料が用いられてハウジング１０６が形成されることにより、ハウジング１０６の軽量化が図られる。また、合成樹脂製ハウジング１０６の軸受部６１にクラック発生防止部６６が設けられているので、軸受部６１からハウジング１０６が割れるということは、回避され易くなる。従って、軽量化されると共に軸受部６１から割れ難い合成樹脂製ハウジング１０６を備えた光ピックアップ装置を、光ディスク装置に光ピックアップ装置を組み込む光ディスク装置の組立メーカや、光ピックアップ装置を備えるコンピュータの組立メーカ等に提供することができる。
【０３３６】
射出成形が可能であって耐熱性を有する熱可塑性の合成樹脂材料として、例えば、熱安定性性や、絶縁特性などの電気的特性や、機械的特性や、寸法安定性などに優れるＰＰＳなどが挙げられる。
【０３３７】
このように、ハウジング１０６は、ＰＰＳなどの合成重合体が基材として用いられ、射
出成形法に基づいて形成されている。射出成形法に基づいてハウジング１０６が形成されることにより、例えば複雑な形状のハウジング１０６とされていても、効率よく大量にハウジング１０６が生産される。射出成形が行われることにより、各軸受部６１は、ハウジング本体１０６ｂに一体成形される。また、ハウジング本体１０６ｂと、各軸受部６１とは、同一の合成樹脂材料によって形成される。
【０３３８】
ハウジング１０６を備える光ピックアップ装置に各シャフト３１０，３２０（図１）が装備されると共に、光ディスク装置（図示せず）のシャーシ（図示せず）に各シャフト３１０，３２０が装備されることで、光ピックアップ装置を備える光ディスク装置が組み立てられる。
【０３３９】
これにより、ハウジング１０６の割れ対策が行われた光ピックアップ装置を備える光ディスク装置が構成される。例えば、光ディスク装置が落下して光ディスク装置に衝撃が加えられても、光ディスク装置に装備された光ピックアップ装置のハウジング１０６が割れるという不具合の発生は、防止され易くなる。従って、衝撃に強い光ピックアップ装置が装備された光ディスク装置を、コンピュータに光ディスク装置を組み込むコンピュータ組立メーカ等に提供することができる。
【０３４０】
上記光ピックアップ装置１を備える不図示の光ディスク装置は、例えば、ノート型パーソナルコンピュータ（図示せず）や、ラップトップ型パーソナルコンピュータ（図示せず）や、デスクトップ型パーソナルコンピュータ（図示せず）などのコンピュータや、ＣＤプレーヤなどの音響機器や、ＤＶＤプレーヤなどの音響／映像機器（図示せず）などに装備可能とされる。
【０３４１】
本発明のピックアップ装置およびそれを備えるディスク装置は、図示されたものに限定されるものではない。例えば、「Blu ray Disc」系の光ディスクに対応した光ピックアップ装置に、本発明のものを適用させてもよい。本発明のものは、その要旨を逸脱しない範囲において、種々変更可能とされる。
【符号の説明】
【０３４２】
１                光ピックアップ装置（ピックアップ装置）
１１，１２，２１，３１，４１，５１，６１，９３  軸受部
１１ａ，１１ｂ，１２ａ，１２ｂ，２１ａ，２１ｂ，３１ａ，３１ｂ，４１ａ，４１ｂ，５１ａ，５１ｂ，６１ａ，６１ｂ  軸受開口部（開口部）
１１ｆ，２１ｆ，３１ｆ，４１ｆ，５１ｆ，６１ｆ  内面（内面部）
１１ｎ，１２ｎ，２１ｎ，３１ｎ，４１ｎ，５１ｎ，６１ｎ  内部
１１ｓ，２１ｓ，３１ｓ，４１ｓ，５１ｓ，６１ｓ  軸摺接孔（軸摺接部）
１１ｗ，１２ｗ，２１ｗ，３１ｗ  外側部
１６，１７，２６，３６，４６，５６，６６  クラック発生防止部
１６ｃ，１７ｃ，２６ｃ，３６ｃ，３６ｄ，４６ｃ，５６ｃ，６６ｃ，６６ｄ  切欠き部
１６ｆ，３６ｆ，４６ｆ，６６ｆ  傾斜面
１６ｒ，２６ｒ，３６ｒ，４６ｒ，５６ｒ，６６ｒ  曲面部（応力緩和部）
２６ｅ，５６ｅ    底面部
２６ｆ，５６ｆ    側面部
４１ｖ，５１ｖ，６１ｖ  対向部
４１ｃ，５１ｃ，６１ｃ  Ｃ面取り部（面取り部）
１０１，１０２，１０３，１０４，１０５，１０６  ハウジング
１０１ｂ，１０２ｂ，１０３ｂ，１０４ｂ，１０５ｂ，１０６ｂ  ハウジング本体（本体）
１１０            対物レンズ（部品）
１１１            レンズホルダ（部品）
１２０            サスペンションワイヤ（部品）
２００            アクチュエータ
３１０，３２０    シャフト（軸部材）
３１０ｆ          表面部
ＡＬｐ，ＡＬｑ    角度
Ｃ                係数
ＣＬ              隙間寸法（隙間）
Ｄａ，Ｄｂ，Ｄｓ  直径（径）
Ｇ                許容加速度
Ｌａ，Ｌｂ        幅長さ（長さ）
Ｌｃ              深さ寸法（深さ）
Ｌｗ              幅寸法（幅）
Ｓ１，Ｓ２，Ｓ３，Ｓ４  断面積（面積）
Ｓ                総面積（面積）
Ｗ                重量
Ｘ１，Ｘ２        送り方向（方向）
σ                許容応力
【図１】
2010231886.tif 000003
【図２】
2010231886.tif 000004
【図３】
2010231886.tif 000005
【図４】
2010231886.tif 000006
【図５】
2010231886.tif 000007
【図６】
2010231886.tif 000008
【図７】
2010231886.tif 000009
【図８】
2010231886.tif 000010
【図９】
2010231886.tif 000011
【図１０】
2010231886.tif 000012
【図１１】
2010231886.tif 000013
【図１２】
2010231886.tif 000014
【図１３】
2010231886.tif 000015
【図１４】
2010231886.tif 000016
【手続補正書】
【提出日】平成22年8月6日(2010.8.6)
【手続補正１】
【補正対象書類名】明細書
【補正対象項目名】００１８
【補正方法】変更
【補正の内容】
【００１８】
上記目的を達成するために、本発明の請求項１に係るピックアップ装置は、メディアのデータを読み取るための部品が装備されるハウジングを備え、該ハウジングを移動可能に支える軸部材に対応して、該ハウジングに軸受部が設けられ、該軸部材が該軸受部に装備された状態で該ハウジングに衝撃が加えられたときに、該ハウジングの割れを防ぐクラック発生防止部が、該軸受部に設けられ、該クラック発生防止部は、該軸受部の内部に向けてすぼめられつつ深く穿設された略円錐状の切欠き部を備え、該軸受部は、該切欠き部と、該切欠き部に続き該軸部材に接する略円筒状の軸摺接部とを有し、該軸摺接部の内面に対し、該切欠き部の傾斜面は、略１３０度以上の鈍角に設定されて、該傾斜面は、該軸受部の開口部に向けて広げられ、該切欠き部の深さは、該軸受部の幅の５分の１以上に設定されると共に該軸受部の該幅の５分の４以下に設定されたことを特徴とする。
【手続補正２】
【補正対象書類名】明細書
【補正対象項目名】００１９
【補正方法】変更
【補正の内容】
【００１９】
上記構成により、ハウジングにクラックが生じるという不具合の発生は防止され易くなる。クラックとは、割れ目や裂け目を意味する。また、ハウジングとは、例えば、装置、部品などの物が収容される箱形のものや、箱に類似したものを意味する。ハウジングの軸受部にクラック発生防止部が設けられることにより、例えば、軸部材がハウジングの軸受部に装備された状態で軸部材に衝撃が加えられ、そのときに、衝撃が軸部材を介してハウジングの軸受部に伝えられ、その結果、軸受部を起点としてハウジングが割れるということは、回避され易くなる。
また、ハウジングの軸受部からクラックが生じることは、回避され易くなる。ハウジングの軸受部の内部に向けて、クラック発生防止用切欠き部が軸受部に深く穿設されているので、例えば、軸部材がハウジングの軸受部に装備された状態で軸部材に衝撃が加えられたときに、軸部材は、軸受部の内部の深い部分に接することとなる。従って、軸部材を介してハウジングの軸受部に衝撃が伝えられたときに、例えば、軸部材がハウジングの軸受部の開口部に局部接触し、その結果、軸受部の開口部からハウジングに割れが生じるということは、回避され易くなる。
また、ハウジングの軸受部の内部に向けてすぼめられた略円錐状のクラック発生防止用切欠き部が、ハウジングの軸受部に穿設されているので、例えば、軸部材がハウジングの軸受部に装備された状態で軸部材に衝撃が加えられたときに、軸部材がハウジングの軸受部に局部接触して、ハウジングの軸受部の一部に衝撃力が異常に集中するということは回避され易くなる。従って、ハウジングの軸受部から割れが生じるという不具合の発生は、防止され易くなる。
また、ハウジングの軸受部の開口部にクラックが生じることは、回避され易くなる。鈍角とは、直角よりも大きく二直角よりも小さい角を意味する。軸受部の軸摺接部の内面に対し、略円錐状をしたクラック発生防止用切欠き部の傾斜面は鈍角に設定され、クラック発生防止用切欠き部の傾斜面は、軸受部の開口部に向けて広げられているので、軸部材がハウジングの軸受部に装備された状態で軸部材に衝撃が加えられたときに、例えば、軸部材がハウジングの軸受部の開口部に局部接触して、ハウジングの軸受部の開口部に衝撃力が異常に集中するということは回避され易くなる。従って、軸受部の開口部からハウジングに割れが生じるという不具合の発生は、防止され易くなる。
従って、割れ難いハウジングを備えたピックアップ装置の提供が可能となる。
【手続補正３】
【補正対象書類名】明細書
【補正対象項目名】００２０
【補正方法】変更
【補正の内容】
【００２０】
請求項２に係るピックアップ装置は、請求項１に記載のピックアップ装置において、前記切欠き部の前記深さは、前記軸受部の前記幅の５分の１以上に設定されると共に該軸受部の該幅の２分の１以下に設定されたことを特徴とする。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】変更
【補正の内容】
【００２２】
請求項３に係るピックアップ装置は、請求項１又は２に記載のピックアップ装置において、前記軸摺接部の前記内面に対し、前記切欠き部の前記傾斜面は、１８０度よりも小さい前記鈍角に設定されたことを特徴とする。
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】変更
【補正の内容】
【００２４】
請求項４に係るピックアップ装置は、請求項１〜３の何れか１項に記載のピックアップ装置において、前記軸摺接部の前記内面に対し、前記切欠き部の前記傾斜面は、略１７０以下の前記鈍角に設定されたことを特徴とする。
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】変更
【補正の内容】
【００２６】
請求項５に係るピックアップ装置は、請求項１〜４の何れか１項に記載のピックアップ装置において、前記クラック発生防止部は、前記軸受部の前記内部に向けて穿設された略座ぐり穴状の前記切欠き部を備えることを特徴とする。
【手続補正１０】
【補正対象書類名】明細書
【補正対象項目名】００２８
【補正方法】変更
【補正の内容】
【００２８】
請求項６に係るピックアップ装置は、請求項１〜５の何れか１項に記載のピックアップ装置において、前記クラック発生防止部は、前記軸受部の開口部から該軸受部の前記内部に向けて深く穿設された前記切欠き部を備え、該軸受部に前記軸部材が挿入されたときに、該軸受部と該軸部材との間に隙間が形成され、該切欠き部の深さ寸法は、該軸受部と該軸部材との間の隙間寸法よりも大きく設定されたことを特徴とする。
【手続補正１１】
【補正対象書類名】明細書
【補正対象項目名】００３０
【補正方法】変更
【補正の内容】
【００３０】
請求項７に係るピックアップ装置は、請求項６に記載のピックアップ装置において、前記隙間寸法は、０．００２〜０．０３２ｍｍとされたことを特徴とする。
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】変更
【補正の内容】
【００３２】
請求項８に係るピックアップ装置は、請求項１〜７の何れか１項に記載のピックアップ装置において、前記クラック発生防止部は、略丸孔状の前記軸受部の前記内部に向けてすぼめられて形成された略円錐状の前記切欠き部を備え、略丸棒状の前記軸部材を備える前記ハウジングに衝撃が加えられたときに、該軸部材が該軸受部に当たることで該軸受部が受ける衝撃力をやわらげる応力緩和部が、略円錐状の該切欠き部と、該切欠き部に続き該軸部材に接する略円筒状の軸摺接部との間に設けられたことを特徴とする。
【手続補正１４】
【補正対象書類名】明細書
【補正対象項目名】００３４
【補正方法】変更
【補正の内容】
【００３４】
請求項９に係るピックアップ装置は、請求項１〜７の何れか１項に記載のピックアップ装置において、前記クラック発生防止部は、前記軸受部の前記内部に向けて形成された略座ぐり穴状の前記切欠き部を備え、略座ぐり穴状の該切欠き部は、略円筒状の側面部と、該側面部に略直交する略円環状の底面部とを有し、前記軸部材を備える前記ハウジングに衝撃が加えられたときに、該軸部材が該軸受部に当たることで該軸受部が受ける衝撃力をやわらげる応力緩和部が、略座ぐり穴状の該切欠き部の該底面部と、該底面部に略直交すると共に該切欠き部に続き該軸部材に接する略円筒状の軸摺接部との間に設けられたことを特徴とする。
【手続補正１５】
【補正対象書類名】明細書
【補正対象項目名】００３６
【補正方法】変更
【補正の内容】
【００３６】
請求項１０に係るピックアップ装置は、請求項８又は９に記載のピックアップ装置において、前記応力緩和部は、曲面部として形成されたことを特徴とする。
【手続補正１６】
【補正対象書類名】明細書
【補正対象項目名】００４２
【補正方法】変更
【補正の内容】
【００４２】
請求項１３に係るピックアップ装置は、請求項１〜１２の何れか１項に記載のピックアップ装置において、前記軸部材は、略丸棒状に形成され、前記軸受部は、略丸孔状に形成されて略丸状の開口部を有し、前記クラック発生防止部は、該軸受部の該開口部から該軸受部の前記内部に向けて形成された前記切欠き部を有し、該軸受部の該開口部は、該切欠き部の開口部を兼ねて形成され、該軸部材が該軸受部に装備されたときに、該軸部材の表面部は、該開口部に非接触とされたことを特徴とする。
【手続補正１７】
【補正対象書類名】明細書
【補正対象項目名】００４６
【補正方法】変更
【補正の内容】
【００４６】
請求項１５に係るピックアップ装置は、請求項１〜１４の何れか１項に記載のピックアップ装置において、前記ハウジングは、ポリアリーレンサルファイド系樹脂が用いられて形成されたことを特徴とする。
【手続補正１８】
【補正対象書類名】明細書
【補正対象項目名】００４７
【補正方法】変更
【補正の内容】
【００４７】
請求項１６に係るディスク装置は、請求項１〜１５の何れか１項に記載のピックアップ装置を備えることを特徴とする。
上記構成により、ハウジングの割れ対策が行われたピックアップ装置を備えるディスク
装置が構成される。ディスク装置に衝撃が加えられても、ディスク装置に装備されたピックアップ装置のハウジングが割れるという不具合の発生は、防止され易くなる。従って、衝撃に強いピックアップ装置を備えたディスク装置の提供が可能となる。
【手続補正１９】
【補正対象書類名】明細書
【補正対象項目名】００４８
【補正方法】変更
【補正の内容】
【００４８】
以上の如く、請求項１に記載の発明によれば、ハウジングにクラックが生じるという不具合の発生は防止され易くなる。ハウジングの軸受部にクラック発生防止部が設けられることにより、例えば、軸部材がハウジングの軸受部に装備された状態で軸部材に衝撃が加えられ、そのときに、衝撃が軸部材を介してハウジングの軸受部に伝えられ、その結果、軸受部を起点としてハウジングが割れるということは、回避され易くなる。
また、ハウジングの軸受部からクラックが生じることは、回避され易くなる。ハウジングの軸受部の内部に向けて、クラック発生防止用切欠き部が軸受部に深く穿設されているので、例えば、軸部材がハウジングの軸受部に装備された状態で軸部材に衝撃が加えられたときに、軸部材は、軸受部の内部の深い部分に接することとなる。従って、軸部材を介してハウジングの軸受部に衝撃が伝えられたときに、例えば、軸部材がハウジングの軸受部の開口部に局部接触し、その結果、軸受部の開口部からハウジングに割れが生じるということを、回避させ易くすることができる。
また、ハウジングの軸受部の内部に向けてすぼめられた略円錐状のクラック発生防止用切欠き部が、ハウジングの軸受部に穿設されているので、例えば、軸部材がハウジングの軸受部に装備された状態で軸部材に衝撃が加えられたときに、軸部材がハウジングの軸受部に局部接触して、ハウジングの軸受部の一部に衝撃力が異常に集中するということは回避され易くなる。従って、ハウジングの軸受部から割れが生じるという不具合の発生を、防止させ易くすることができる。
また、ハウジングの軸受部の開口部にクラックが生じることは、回避され易くなる。軸受部の軸摺接部の内面に対し、略円錐状をしたクラック発生防止用切欠き部の傾斜面は鈍角に設定され、クラック発生防止用切欠き部の傾斜面は、軸受部の開口部に向けて広げられているので、軸部材がハウジングの軸受部に装備された状態で軸部材に衝撃が加えられたときに、例えば、軸部材がハウジングの軸受部の開口部に局部接触して、ハウジングの軸受部の開口部に衝撃力が異常に集中するということは回避され易くなる。従って、軸受部の開口部からハウジングに割れが生じるという不具合の発生を、防止させ易くすることができる。
従って、割れ難いハウジングを備えたピックアップ装置を提供することができる。
【手続補正２０】
【補正対象書類名】明細書
【補正対象項目名】００４９
【補正方法】削除
【補正の内容】
【手続補正２１】
【補正対象書類名】明細書
【補正対象項目名】００５０
【補正方法】削除
【補正の内容】
【手続補正２２】
【補正対象書類名】明細書
【補正対象項目名】００５１
【補正方法】削除
【補正の内容】
【手続補正２３】
【補正対象書類名】明細書
【補正対象項目名】００５４
【補正方法】削除
【補正の内容】
【手続補正２４】
【補正対象書類名】明細書
【補正対象項目名】００６２
【補正方法】変更
【補正の内容】
【００６２】
請求項１６に記載の発明によれば、ハウジングの割れ対策が行われたピックアップ装置を備えるディスク装置が構成される。ディスク装置に衝撃が加えられても、ディスク装置に装備されたピックアップ装置のハウジングが割れるという不具合の発生は、防止され易くなる。従って、衝撃に強いピックアップ装置を備えたディスク装置を提供することができる。
【手続補正２５】
【補正対象書類名】明細書
【補正対象項目名】００６３
【補正方法】変更
【補正の内容】
【００６３】
【図１】本発明に係るピックアップ装置およびそれを備えるディスク装置の第一実施形態を示す斜視図である。
【図２】ピックアップ装置に装備された軸部材に変形が生じた状態を示す断面図である。
【図３】図２のＢ部を示す拡大図である。
【図４】ピックアップ装置のハウジングの第一実施形態を示す拡大断面図である。
【図５】ピックアップ装置のハウジングの第二形態を示す拡大断面図である。
【図６】本発明に係るピックアップ装置のハウジングの第三実施形態を示す拡大断面図である。
【図７】本発明に係るピックアップ装置のハウジングの第四実施形態を示す拡大断面図である。
【図８】ピックアップ装置のハウジングの第五形態を示す拡大断面図である。
【図９】本発明に係るピックアップ装置のハウジングの第六実施形態を示す拡大断面図である。
【図１０】従来のピックアップ装置の一形態を示す平面図である。
【図１１】図１０のＰ−Ｐ断面図である。
【図１２】図１１のＱ部を示す拡大図である。
【図１３】ピックアップ装置に装備された軸部材に変形が生じた状態を示す断面図である。
【図１４】図１３のＲ部を示す拡大図である。
【手続補正２６】
【補正対象書類名】明細書
【補正対象項目名】００７０
【補正方法】変更
【補正の内容】
【００７０】
「ＣＤ−ＲＯＭ」もしくは「ＤＶＤ−ＲＯＭ」の「ＲＯＭ」は、「Read Only Memory」の略称である。「ＣＤ−ＲＯＭ」もしくは「ＤＶＤ−ＲＯＭ」は、データ／情報読出し専用のものである。また、「ＣＤ−Ｒ」または「ＤＶＤ−Ｒ」もしくは「ＤＶＤ＋Ｒ」の「Ｒ」は、「Recordable」の略称である。「ＣＤ−Ｒ」または「ＤＶＤ−Ｒ」もしくは「ＤＶＤ＋Ｒ」は、データ／情報の書込みが可能なものである。また、「ＣＤ−ＲＷ」または
「ＤＶＤ−ＲＷ」もしくは「ＤＶＤ＋ＲＷ」の「ＲＷ」は、「Re-Writable 」の略称である。「ＣＤ−ＲＷ」または「ＤＶＤ−ＲＷ」もしくは「ＤＶＤ＋ＲＷ」は、データ／情報の書換えが可能なものである。又「ＤＶＤ−ＲＡＭ」は、「Digital Versatile Disc Random Access Memory 」の略称である。「ＤＶＤ−ＲＡＭ」は、データ／情報の読み書き／消去が可能なものである。
【手続補正２７】
【補正対象書類名】明細書
【補正対象項目名】０１４０
【補正方法】変更
【補正の内容】
【０１４０】
図５は、ピックアップ装置のハウジングの第二形態を示す拡大断面図である。
【手続補正２８】
【補正対象書類名】明細書
【補正対象項目名】０２６０
【補正方法】変更
【補正の内容】
【０２６０】
図８は、ピックアップ装置のハウジングの第五形態を示す拡大断面図である。
【手続補正２９】
【補正対象書類名】明細書
【補正対象項目名】０３４２
【補正方法】変更
【補正の内容】
【０３４２】
１                光ピックアップ装置（ピックアップ装置）
１１，１２，２１，３１，４１，５１，６１，９３  軸受部
１１ａ，１１ｂ，１２ａ，１２ｂ，２１ａ，２１ｂ，３１ａ，３１ｂ，４１ａ，４１ｂ，５１ａ，５１ｂ，６１ａ，６１ｂ  軸受開口部（開口部）
１１ｆ，２１ｆ，３１ｆ，４１ｆ，５１ｆ，６１ｆ  内面（内面部）
１１ｎ，１２ｎ，２１ｎ，３１ｎ，４１ｎ，５１ｎ，６１ｎ  内部
１１ｓ，２１ｓ，３１ｓ，４１ｓ，５１ｓ，６１ｓ  軸摺接孔（軸摺接部）
１１ｗ，１２ｗ，２１ｗ，３１ｗ  外側部
１６，１７，２６，３６，４６，５６，６６  クラック発生防止部
１６ｃ，１７ｃ，２６ｃ，３６ｃ，３６ｄ，４６ｃ，５６ｃ，６６ｃ，６６ｄ  切欠き部
１６ｆ，３６ｆ，４６ｆ，６６ｆ  傾斜面
１６ｒ，２６ｒ，３６ｒ，４６ｒ，５６ｒ，６６ｒ  曲面部（応力緩和部）
２６ｅ，５６ｅ    底面部
２６ｆ，５６ｆ    側面部
４１ｖ，５１ｖ，６１ｖ  対向部
４１ｃ，５１ｃ，６１ｃ  Ｃ面取り部（面取り部）
１０１，１０２，１０３，１０４，１０５，１０６  ハウジング
１０１ｂ，１０２ｂ，１０３ｂ，１０４ｂ，１０５ｂ，１０６ｂ  ハウジング本体（本体）
１１０            対物レンズ（部品）
１１１            レンズホルダ（部品）
１２０            サスペンションワイヤ（部品）
２００            アクチュエータ
３１０，３２０    シャフト（軸部材）
３１０ｆ          表面部
ＡＬｐ，ＡＬｑ    角度
ＣＬ              隙間寸法（隙間）
Ｄａ，Ｄｂ，Ｄｓ  直径（径）
Ｇ                許容加速度
Ｌａ，Ｌｂ        幅長さ（長さ）
Ｌｃ              深さ寸法（深さ）
Ｌｗ              幅寸法（幅）
Ｓ１，Ｓ２，Ｓ３，Ｓ４  断面積（面積）
Ｓ                総面積（面積）
Ｗ                重量
Ｘ１，Ｘ２        送り方向（方向）
【手続補正３０】
【補正対象書類名】特許請求の範囲
【補正対象項目名】全文
【補正方法】変更
【補正の内容】
【特許請求の範囲】
【請求項１】
メディアのデータを読み取るための部品が装備されるハウジングを備え、
該ハウジングを移動可能に支える軸部材に対応して、該ハウジングに軸受部が設けられ、
該軸部材が該軸受部に装備された状態で該ハウジングに衝撃が加えられたときに、該ハウジングの割れを防ぐクラック発生防止部が、該軸受部に設けられ、
該クラック発生防止部は、該軸受部の内部に向けてすぼめられつつ深く穿設された略円錐状の切欠き部を備え、
該軸受部は、該切欠き部と、該切欠き部に続き該軸部材に接する略円筒状の軸摺接部とを有し、
該軸摺接部の内面に対し、該切欠き部の傾斜面は、略１３０度以上の鈍角に設定されて、該傾斜面は、該軸受部の開口部に向けて広げられ、
該切欠き部の深さは、該軸受部の幅の５分の１以上に設定されると共に該軸受部の該幅の５分の４以下に設定されたことを特徴とするピックアップ装置。
【請求項２】
前記切欠き部の前記深さは、前記軸受部の前記幅の５分の１以上に設定されると共に該軸受部の該幅の２分の１以下に設定されたことを特徴とする請求項１に記載のピックアップ装置。
【請求項３】
前記軸摺接部の前記内面に対し、前記切欠き部の前記傾斜面は、１８０度よりも小さい前記鈍角に設定されたことを特徴とする請求項１又は２に記載のピックアップ装置。
【請求項４】
前記軸摺接部の前記内面に対し、前記切欠き部の前記傾斜面は、略１７０以下の前記鈍角に設定されたことを特徴とする請求項１〜３の何れか１項に記載のピックアップ装置。
【請求項５】
前記クラック発生防止部は、前記軸受部の前記内部に向けて穿設された略座ぐり穴状の前記切欠き部を備えることを特徴とする請求項１〜４の何れか１項に記載のピックアップ装置。
【請求項６】
前記クラック発生防止部は、前記軸受部の開口部から該軸受部の前記内部に向けて深く穿設された前記切欠き部を備え、
該軸受部に前記軸部材が挿入されたときに、該軸受部と該軸部材との間に隙間が形成さ
れ、該切欠き部の深さ寸法は、該軸受部と該軸部材との間の隙間寸法よりも大きく設定されたことを特徴とする請求項１〜５の何れか１項に記載のピックアップ装置。
【請求項７】
前記隙間寸法は、０．００２〜０．０３２ｍｍとされたことを特徴とする請求項６に記載のピックアップ装置。
【請求項８】
前記クラック発生防止部は、略丸孔状の前記軸受部の前記内部に向けてすぼめられて形成された略円錐状の前記切欠き部を備え、
略丸棒状の前記軸部材を備える前記ハウジングに衝撃が加えられたときに、該軸部材が該軸受部に当たることで該軸受部が受ける衝撃力をやわらげる応力緩和部が、略円錐状の該切欠き部と、該切欠き部に続き該軸部材に接する略円筒状の軸摺接部との間に設けられたことを特徴とする請求項１〜７の何れか１項に記載のピックアップ装置。
【請求項９】
前記クラック発生防止部は、前記軸受部の前記内部に向けて形成された略座ぐり穴状の前記切欠き部を備え、
略座ぐり穴状の該切欠き部は、略円筒状の側面部と、該側面部に略直交する略円環状の底面部とを有し、
前記軸部材を備える前記ハウジングに衝撃が加えられたときに、該軸部材が該軸受部に当たることで該軸受部が受ける衝撃力をやわらげる応力緩和部が、略座ぐり穴状の該切欠き部の該底面部と、該底面部に略直交すると共に該切欠き部に続き該軸部材に接する略円筒状の軸摺接部との間に設けられたことを特徴とする請求項１〜７の何れか１項に記載のピックアップ装置。
【請求項１０】
前記応力緩和部は、曲面部として形成されたことを特徴とする請求項８又は９に記載のピックアップ装置。
【請求項１１】
前記ハウジングに一対の前記軸受部が設けられ、隣り合う一対の該軸受部の両外側部に、前記クラック発生防止部が形成されたことを特徴とする請求項１〜１０の何れか１項に記載のピックアップ装置。
【請求項１２】
前記ハウジングに一対の前記軸受部が設けられ、隣り合う一対の該軸受部の両対向部に、前記クラック発生防止部が形成されたことを特徴とする請求項１〜１１の何れか１項に記載のピックアップ装置。
【請求項１３】
前記軸部材は、略丸棒状に形成され、
前記軸受部は、略丸孔状に形成されて略丸状の開口部を有し、
前記クラック発生防止部は、該軸受部の該開口部から該軸受部の前記内部に向けて形成された前記切欠き部を有し、
該軸受部の該開口部は、該切欠き部の開口部を兼ねて形成され、
該軸部材が該軸受部に装備されたときに、該軸部材の表面部は、該開口部に非接触とされたことを特徴とする請求項１〜１２の何れか１項に記載のピックアップ装置。
【請求項１４】
前記ハウジングは、樹脂材料が用いられて形成されたことを特徴とする請求項１〜１３の何れか１項に記載のピックアップ装置。
【請求項１５】
前記ハウジングは、ポリアリーレンサルファイド系樹脂が用いられて形成されたことを特徴とする請求項１〜１４の何れか１項に記載のピックアップ装置。
【請求項１６】
請求項１〜１５の何れか１項に記載のピックアップ装置を備えることを特徴とするディスク装置。